(57)【要約】【課題】画像の濃度補正に使用する濃度パッチを記憶する記憶装置の容量を低減させることができる画像処理装置、画像印刷装置および画像処理プログラムを提供すること。【解決手段】対応濃度データ領域１２８ｂに記憶された各ディザマトリクスの各設定濃度の時の各測定濃度を、基準濃度パッチＣ１〜Ｋ４の各測定濃度とすることで、従来のように各ディザマトリクスに対応して作成される濃度パッチをカラーレーザープリンタ１の搬送ベルト６８に形成し、その形成した濃度パッチを濃度測定センサ８０で測定することなく、画像の濃度補正を行うことができる。よって、従来、画像の濃度補正に必要であった各ディザマトリクスに対応して作成されていた濃度パッチを不要とすることができる。従って、各ディザマトリクスに対応して作成されていた濃度パッチを記憶する記憶装置の容量が不要となり、記憶装置の容量を低減させることができる。【選択図】図１４
2008246997.tif 000002
【特許請求の範囲】
【請求項１】
処理対象である画像に従って画像データを作成するための所定の閾値がドット毎に設定されたディザデータを記憶するディザデータ記憶手段と、
そのディザデータ記憶手段に記憶されたディザデータに基づいて作成された画像データを、その画像データに従って画像を形成すると共にその形成した画像の濃度を測定する機能を有する画像印刷装置に送信する送信手段と、
前記ディザデータ記憶手段に記憶されたディザデータについて、濃度補正の目標となる目標濃度を設定濃度に対応して記憶する目標濃度記憶手段と、
その目標濃度記憶手段に記憶された設定濃度に対応する目標濃度に基づいて、前記ディザデータに基づいて作成される画像データを補正する補正手段とを備える画像処理装置において、
前記ディザデータ記憶手段に記憶されたディザデータを各設定濃度毎に２値化した濃度パッチデータに変換し、その変換した各設定濃度毎の濃度パッチデータを前記画像印刷装置に送信する濃度パッチデータ送信手段と、
その濃度パッチデータ送信手段により送信された濃度パッチデータに基づいて前記画像印刷装置が測定した濃度パッチの各設定濃度毎の各測定濃度を、前記画像印刷装置から受信する濃度パッチ測定濃度受信手段と、
前記各設定濃度毎に２値化された基準となる基準濃度パッチデータに基づいて前記画像印刷装置が測定した基準濃度パッチの各設定濃度毎の各測定濃度を、前記画像印刷装置から受信する基準濃度パッチ測定濃度受信手段と、
その基準濃度パッチ測定濃度受信手段により受信された基準濃度パッチの各設定濃度毎の各測定濃度と、前記濃度パッチ測定濃度受信手段により受信された濃度パッチの各設定濃度毎の各測定濃度とに基づいて、前記基準濃度パッチが１の設定濃度のときの測定濃度の所定の範囲内となる測定濃度を実現する前記ディザデータの設定濃度を、前記基準濃度パッチの各設定濃度毎に検索し、その検索した前記ディザデータの各設定濃度を、前記基準濃度パッチの各設定濃度毎の各測定濃度と対応させて記憶するディザデータ設定濃度記憶手段と、
そのディザデータ設定濃度記憶手段に前記ディザデータの各設定濃度と対応して記憶された基準濃度パッチの各設定濃度毎の各測定濃度を、前記ディザデータの各設定濃度のときの各測定濃度として設定し、その設定した前記ディザデータの各設定濃度毎の各測定濃度と前記目標濃度記憶手段に記憶された前記ディザデータの設定濃度に対応した目標濃度との関係に基づいて前記画像データを前記補正手段に補正させ、画像印刷装置が形成する画像の濃度を補正する補正制御手段とを備えていることを特徴とする画像処理装置。
【請求項２】
前記ディザデータ設定濃度記憶手段は、前記基準濃度パッチ測定濃度受信手段により前記基準濃度パッチの各設定濃度毎の各測定濃度が新たに受信された場合に、前記ディザデータの各設定濃度に対応して記憶された基準濃度パッチの各設定濃度毎の各測定濃度を更新する更新手段を備え、
前記補正制御手段は、前記更新手段により更新された基準濃度パッチの各設定濃度毎の各測定濃度を、前記ディザデータの各設定濃度のときの各測定濃度として設定し、前記画像データを前記補正手段に補正させることを特徴とする請求項１記載の画像処理装置。
【請求項３】
前記請求項１または２に記載の画像処理装置から送信された前記画像データに基づいて画像を形成する画像形成手段と、
前記請求項１または２に記載の画像処理装置から送信された前記各設定濃度毎の濃度パッチデータを受信する濃度パッチデータ受信手段と、
その濃度パッチデータ受信手段により受信された各設定濃度毎の濃度パッチデータに基づいて、各設定濃度毎に濃度パッチを前記画像形成手段に形成させ、その形成させた濃度パッチの濃度を各設定濃度毎にそれぞれ測定する濃度パッチ測定手段と、
前記各設定濃度毎に２値化された基準濃度パッチデータを記憶する基準濃度パッチデータ記憶手段と、
その基準濃度パッチデータ記憶手段に記憶された基準濃度パッチデータに基づいて、前記各設定濃度毎に基準濃度パッチを前記画像形成手段に形成させ、その形成させた基準濃度パッチの濃度を各設定濃度毎にそれぞれ測定する基準濃度パッチ測定手段と、
その濃度パッチ測定手段が測定した各設定濃度毎の濃度パッチの各測定濃度と、前記基準濃度パッチ測定手段が測定した各設定濃度毎の基準濃度パッチの各測定濃度とを前記請求項１または２に記載の画像処理装置に送信する測定濃度送信手段とを備えていることを特徴とする画像印刷装置。
【請求項４】
前記画像形成手段は、前記請求項１または２に記載の画像処理装置の前記ディザデータ記憶手段に複数の解像度毎に記憶されたディザデータに対応して、前記複数の解像度で画像を形成可能に構成され、
前記基準濃度パッチデータ記憶手段は、前記各設定濃度毎に２値化された基準濃度パッチデータを前記複数の解像度毎のディザデータに対して１種類有していることを特徴とする請求項３記載の画像印刷装置。
【請求項５】
前記画像形成手段は、前記請求項１または２に記載の画像処理装置の前記ディザデータ記憶手段に記憶された前記複数の解像度毎にそれぞれ設けられた前記所定の閾値の設定が異なるディザデータに対応して、前記所定の閾値の異なる設定に応じて画像を形成可能に構成され、
前記基準濃度パッチデータ記憶手段は、前記各設定濃度毎に２値化された基準濃度パッチデータを前記所定の閾値の異なる設定のディザデータに対して１種類有していることを特徴とする請求項３または４に記載の画像印刷装置。
【請求項６】
前記画像形成手段は、前記請求項１または２に記載の画像処理装置の前記ディザデータ記憶手段に複数の色毎に記憶されたディザデータに対応して、前記複数の色で画像を形成可能に構成され、
前記基準濃度パッチデータ記憶手段は、前記各設定濃度毎に２値化された基準濃度パッチデータを前記複数の色毎のディザデータに対して１種類有していることを特徴とする請求項３から５のいずれかに記載の画像印刷装置。
【請求項７】
前記請求項１または２に記載の画像処理装置と、前記請求項３から６のいずれかに記載の画像印刷装置とを備えていることを特徴とする画像形成システム。
【請求項８】
処理対象である画像に従って画像データを作成するための所定の閾値がドット毎に設定されているディザデータ記憶手段に記憶されたディザデータに基づいて前記画像データを作成させる画像データ作成ステップと、
その画像データ形成ステップにより作成させた画像データを、その画像データに従って画像を形成すると共にその形成した画像の濃度を測定する機能を有する画像印刷装置に送信させる送信ステップと、
目標濃度記憶手段に記憶された前記ディザデータの濃度補正の目標となる設定濃度に対応する目標濃度に基づいて、画像データ作成ステップにより前記ディザデータに基づいて作成させる画像データを補正させる濃度補正ステップとを備えた画像処理装置に実行させる画像処理プログラムにおいて、
前記ディザデータ記憶手段に記憶されたディザデータを各設定濃度毎に２値化した濃度パッチデータに変換させ、その変換させた各設定濃度毎の濃度パッチデータを前記画像印刷装置へ送信させる濃度パッチデータ送信ステップと、
その濃度パッチデータ送信ステップにより送信させた濃度パッチデータに基づいて前記画像印刷装置が測定した濃度パッチの各設定濃度毎の各測定濃度を、前記画像印刷装置から受信させる濃度パッチ測定濃度受信ステップと、
前記設定濃度毎に２値化された基準となる基準濃度パッチデータに基づいて前記画像印刷装置が測定した基準濃度パッチの各設定濃度毎の各測定濃度を、前記画像印刷装置から受信させる基準濃度パッチ測定濃度受信ステップと、
その基準濃度パッチ測定濃度受信ステップにより受信させた基準濃度パッチの各設定濃度毎の各測定濃度と、前記濃度パッチ測定濃度受信ステップにより受信させた濃度パッチの各設定濃度毎の各測定濃度とに基づいて、前記基準濃度パッチが１の設定濃度のときの測定濃度の所定の範囲内となる測定濃度を実現する前記ディザデータの設定濃度を、前記基準濃度パッチの各設定濃度毎に検索させ、その検索させた前記ディザデータの各設定濃度を、前記基準濃度パッチの各設定濃度毎の各測定濃度と対応させて記憶させるディザデータ設定濃度記憶ステップと、
そのディザデータ設定濃度記憶ステップにより前記ディザデータの各設定濃度と対応して記憶させた基準濃度パッチの各設定濃度毎の各測定濃度を、前記ディザデータの各設定濃度のときの各測定濃度として設定させ、その設定させた前記ディザデータの各設定濃度毎の各測定濃度と前記目標濃度記憶手段に記憶された前記ディザデータの設定濃度に対応した目標濃度との関係に基づいて前記画像データを補正させ、画像印刷装置が形成する画像の濃度を補正させる補正制御ステップとを備えていることを特徴とする画像処理プログラム。
【発明の詳細な説明】
【技術分野】
【０００１】
本発明は画像処理装置、画像印刷装置および画像処理プログラムに関し、特に、画像の濃度補正に使用する濃度パッチを記憶する記憶装置の容量を低減させることができる画像処理装置、画像印刷装置および画像処理プログラムに関するものである。
【背景技術】
【０００２】
経時変化に起因する濃度測定誤差の発生、ロット変化に起因する濃度測定誤差の発生等を防止するために、既知濃度の試料を用いて濃度測定動作を行なわせ、濃度測定結果に基づいて画像の濃度の経時変化等を補正するキャリブレーション（画像の濃度補正）に関しては、例えば、特開２００４−１１４３４３号公報に記載の画像処理装置が知られている。
【０００３】
この画像処理装置は、設定された印刷条件に従ってテスト画像２６を印刷してキャリブレーションを行い、テスト画像２６に基づいてキャリブレーションデータ５０を取得する際に、取得するキャリブレーションデータ５０と共に、テスト画像２６の印刷条件を対応関係データ５２に記憶する。そして、画像２４を印刷する際には、画像処理装置は、オペレータに、画像２４を印刷するための印刷条件の設定及びキャリブレーションデータ５０の選択を行わせる。このときオペレータにより設定された印刷条件と、オペレータにより選択されたキャリブレーションデータ５０が取得された際の印刷条件とが不一致の場合には、画像処理装置はオペレータに警告を行うように構成されている。よって、オペレータは、この警告によって、オペレータが設定した印刷条件とキャリブレーションデータ５０を取得した際の印刷条件とが不一致であることを認識することができる。よって、この画像処理装置によれば、不適なキャリブレーションデータを用いて、オペレータの意図しない画像が印刷されるのを防止することができる。
【特許文献１】特開２００４−１１４３４３号公報
【発明の開示】
【発明が解決しようとする課題】
【０００４】
上記の画像処理装置では、テスト画像（以下、「濃度パッチ」と称す）が、印刷条件（画像の濃度、画像の色、画像の解像度等）に応じて記憶されている。これは、印刷条件が異なれば、印刷時に画像を形成するために使用されるディザデータ（画像を形成するための所定の閾値がドット毎に設定されたデータ）が異なるためである。よって、印刷条件毎に濃度パッチを変更してその濃度パッチを形成し、その印刷条件毎に変更して形成した濃度パッチの濃度をそれぞれ測定して、形成される画像の濃度補正を行っている。この理由から、濃度パッチの濃度が例えば５種類設定されており、画像の色が４種類であり、画像の解像度が３種類であれば、濃度パッチは６０種類（５種類の濃度×４種類の画像の色×３種類の画像の解像度）必要となる。このように、印刷条件が増加すると、それに応じてキャリブレーションに使用される濃度パッチも増加する。従って、この濃度パッチを記憶する記憶装置の容量が増大してしまうという問題点があった。
【０００５】
また、キャリブレーションに使用される濃度パッチが増加すると、その濃度パッチを形成して、形成した濃度パッチを測定する時間が増加する。よって、キャリブレーションに費やす時間が増大してしまうという問題点があった。
【０００６】
本発明は、上述した問題点を解決するためになされたものであり、画像の濃度補正に使用する濃度パッチを記憶する記憶装置の容量を低減させることができる画像処理装置、画像印刷装置および画像処理プログラムを提供することを目的としている。
【課題を解決するための手段】
【０００７】
この目的を達成するために請求項１記載の画像処理装置は、処理対象である画像に従って画像データを作成するための所定の閾値がドット毎に設定されたディザデータを記憶するディザデータ記憶手段と、そのディザデータ記憶手段に記憶されたディザデータに基づいて作成された画像データを、その画像データに従って画像を形成すると共にその形成した画像の濃度を測定する機能を有する画像印刷装置に送信する送信手段と、前記ディザデータ記憶手段に記憶されたディザデータについて、濃度補正の目標となる目標濃度を設定濃度に対応して記憶する目標濃度記憶手段と、その目標濃度記憶手段に記憶された設定濃度に対応する目標濃度に基づいて、前記ディザデータに基づいて作成される画像データを補正する補正手段とを備えるものであり、前記ディザデータ記憶手段に記憶されたディザデータを各設定濃度毎に２値化した濃度パッチデータに変換し、その変換した各設定濃度毎の濃度パッチデータを前記画像印刷装置に送信する濃度パッチデータ送信手段と、その濃度パッチデータ送信手段により送信された濃度パッチデータに基づいて前記画像印刷装置が測定した濃度パッチの各設定濃度毎の各測定濃度を、前記画像印刷装置から受信する濃度パッチ測定濃度受信手段と、前記各設定濃度毎に２値化された基準となる基準濃度パッチデータに基づいて前記画像印刷装置が測定した基準濃度パッチの各設定濃度毎の各測定濃度を、前記画像印刷装置から受信する基準濃度パッチ測定濃度受信手段と、その基準濃度パッチ測定濃度受信手段により受信された基準濃度パッチの各設定濃度毎の各測定濃度と、前記濃度パッチ測定濃度受信手段により受信された濃度パッチの各設定濃度毎の各測定濃度とに基づいて、前記基準濃度パッチが１の設定濃度のときの測定濃度の所定の範囲内となる測定濃度を実現する前記ディザデータの設定濃度を、前記基準濃度パッチの各設定濃度毎に検索し、その検索した前記ディザデータの各設定濃度を、前記基準濃度パッチの各設定濃度毎の各測定濃度と対応させて記憶するディザデータ設定濃度記憶手段と、そのディザデータ設定濃度記憶手段に前記ディザデータの各設定濃度と対応して記憶された基準濃度パッチの各設定濃度毎の各測定濃度を、前記ディザデータの各設定濃度のときの各測定濃度として設定し、その設定した前記ディザデータの各設定濃度毎の各測定濃度と前記目標濃度記憶手段に記憶された前記ディザデータの設定濃度に対応した目標濃度との関係に基づいて前記画像データを前記補正手段に補正させ、画像印刷装置が形成する画像の濃度を補正する補正制御手段とを備えている。
【０００８】
請求項２記載の画像処理装置は、請求項１記載の画像処理装置において、前記ディザデータ設定濃度記憶手段は、前記基準濃度パッチ測定濃度受信手段により前記基準濃度パッチの各設定濃度毎の各測定濃度が新たに受信された場合に、前記ディザデータの各設定濃度に対応して記憶された基準濃度パッチの各設定濃度毎の各測定濃度を更新する更新手段を備え、前記補正制御手段は、前記更新手段により更新された基準濃度パッチの各設定濃度毎の各測定濃度を、前記ディザデータの各設定濃度のときの各測定濃度として設定し、前記画像データを前記補正手段に補正させるものである。
【０００９】
請求項３記載の画像印刷装置は、前記請求項１または２に記載の画像処理装置から送信された前記画像データに基づいて画像を形成する画像形成手段と、前記請求項１または２に記載の画像処理装置から送信された前記各設定濃度毎の濃度パッチデータを受信する濃度パッチデータ受信手段と、その濃度パッチデータ受信手段により受信された各設定濃度毎の濃度パッチデータに基づいて、各設定濃度毎に濃度パッチを前記画像形成手段に形成させ、その形成させた濃度パッチの濃度を各設定濃度毎にそれぞれ測定する濃度パッチ測定手段と、前記各設定濃度毎に２値化された基準濃度パッチデータを記憶する基準濃度パッチデータ記憶手段と、その基準濃度パッチデータ記憶手段に記憶された基準濃度パッチデータに基づいて、前記各設定濃度毎に基準濃度パッチを前記画像形成手段に形成させ、その形成させた基準濃度パッチの濃度を各設定濃度毎にそれぞれ測定する基準濃度パッチ測定手段と、その濃度パッチ測定手段が測定した各設定濃度毎の濃度パッチの各測定濃度と、前記基準濃度パッチ測定手段が測定した各設定濃度毎の基準濃度パッチの各測定濃度とを前記請求項１または２に記載の画像処理装置に送信する測定濃度送信手段とを備えている。
【００１０】
請求項４記載の画像印刷装置は、請求項３記載の画像印刷装置において、前記画像形成手段は、前記請求項１または２に記載の画像処理装置の前記ディザデータ記憶手段に複数の解像度毎に記憶されたディザデータに対応して、前記複数の解像度で画像を形成可能に構成され、前記基準濃度パッチデータ記憶手段は、前記各設定濃度毎に２値化された基準濃度パッチデータを前記複数の解像度毎のディザデータに対して１種類有している。
【００１１】
請求項５記載の画像印刷装置は、請求項３または４に記載の画像印刷装置において、前記画像形成手段は、前記請求項１または２に記載の画像処理装置の前記ディザデータ記憶手段に記憶された前記複数の解像度毎にそれぞれ設けられた前記所定の閾値の設定が異なるディザデータに対応して、前記所定の閾値の異なる設定に応じて画像を形成可能に構成され、前記基準濃度パッチデータ記憶手段は、前記各設定濃度毎に２値化された基準濃度パッチデータを前記所定の閾値の異なる設定のディザデータに対して１種類有している。
【００１２】
請求項６記載の画像印刷装置は、請求項３から５のいずれかに記載の画像印刷装置において、前記画像形成手段は、前記請求項１または２に記載の画像処理装置の前記ディザデータ記憶手段に複数の色毎に記憶されたディザデータに対応して、前記複数の色で画像を形成可能に構成され、前記基準濃度パッチデータ記憶手段は、前記各設定濃度毎に２値化された基準濃度パッチデータを前記複数の色毎のディザデータに対して１種類有している。
【００１３】
請求項７記載の画像形成システムは、前記請求項１または２に記載の画像処理装置と、前記請求項３から６のいずれかに記載の画像印刷装置とを備えている。
【００１４】
請求項８記載の画像処理装置に実行させる画像処理プログラムは、処理対象である画像に従って画像データを作成するための所定の閾値がドット毎に設定されているディザデータ記憶手段に記憶されたディザデータに基づいて前記画像データを作成させる画像データ作成ステップと、その画像データ形成ステップにより作成させた画像データを、その画像データに従って画像を形成すると共にその形成した画像の濃度を測定する機能を有する画像印刷装置に送信させる送信ステップと、目標濃度記憶手段に記憶された前記ディザデータの濃度補正の目標となる設定濃度に対応する目標濃度に基づいて、画像データ作成ステップにより前記ディザデータに基づいて作成させる画像データを補正させる濃度補正ステップとを備えた画像処理装置に実行させるものであり、前記ディザデータ記憶手段に記憶されたディザデータを各設定濃度毎に２値化した濃度パッチデータに変換させ、その変換させた各設定濃度毎の濃度パッチデータを前記画像印刷装置へ送信させる濃度パッチデータ送信ステップと、その濃度パッチデータ送信ステップにより送信させた濃度パッチデータに基づいて前記画像印刷装置が測定した濃度パッチの各設定濃度毎の各測定濃度を、前記画像印刷装置から受信させる濃度パッチ測定濃度受信ステップと、前記設定濃度毎に２値化された基準となる基準濃度パッチデータに基づいて前記画像印刷装置が測定した基準濃度パッチの各設定濃度毎の各測定濃度を、前記画像印刷装置から受信させる基準濃度パッチ測定濃度受信ステップと、その基準濃度パッチ測定濃度受信ステップにより受信させた基準濃度パッチの各設定濃度毎の各測定濃度と、前記濃度パッチ測定濃度受信ステップにより受信させた濃度パッチの各設定濃度毎の各測定濃度とに基づいて、前記基準濃度パッチが１の設定濃度のときの測定濃度の所定の範囲内となる測定濃度を実現する前記ディザデータの設定濃度を、前記基準濃度パッチの各設定濃度毎に検索させ、その検索させた前記ディザデータの各設定濃度を、前記基準濃度パッチの各設定濃度毎の各測定濃度と対応させて記憶させるディザデータ設定濃度記憶ステップと、そのディザデータ設定濃度記憶ステップにより前記ディザデータの各設定濃度と対応して記憶させた基準濃度パッチの各設定濃度毎の各測定濃度を、前記ディザデータの各設定濃度のときの各測定濃度として設定させ、その設定させた前記ディザデータの各設定濃度毎の各測定濃度と前記目標濃度記憶手段に記憶された前記ディザデータの設定濃度に対応した目標濃度との関係に基づいて前記画像データを補正させ、画像印刷装置が形成する画像の濃度を補正させる補正制御ステップとを備えている。
【発明の効果】
【００１５】
請求項１記載の画像処理装置によれば、画像印刷装置が形成する画像の濃度補正を行う際には、濃度パッチデータ送信手段は、ディザデータ記憶手段に記憶されたディザデータを各設定濃度毎に２値化した濃度パッチデータに変換し、その変換した各設定濃度毎の濃度パッチデータを画像印刷装置に送信する。そして、濃度パッチ測定濃度受信手段は、濃度パッチデータ送信手段により送信された濃度パッチデータに基づいて画像印刷装置が測定した濃度パッチの各設定濃度毎の各測定濃度を画像印刷装置から受信する。また、基準濃度パッチ測定濃度受信手段は、各設定濃度毎に２値化された基準となる基準濃度パッチデータに基づいて画像印刷装置が測定した基準濃度パッチの各設定濃度毎の各測定濃度を画像印刷装置から受信する。すると、ディザデータ設定濃度記憶手段は、基準濃度パッチ測定濃度受信手段により受信された基準濃度パッチの各設定濃度毎の各測定濃度と、濃度パッチ測定濃度受信手段により受信された濃度パッチの各設定濃度毎の各測定濃度とに基づいて、基準濃度パッチが１の設定濃度のときの測定濃度の所定の範囲内となる測定濃度を実現するディザデータの設定濃度を、基準濃度パッチの各設定濃度毎に検索し、その検索したディザデータの各設定濃度を、基準濃度パッチの各設定濃度毎の各測定濃度と対応させて記憶する。これにより、ディザデータ設定濃度記憶手段に記憶されたディザデータの各設定濃度の時の各測定濃度は、基準濃度パッチの各設定濃度の時の各測定濃度とすることができる。よって、ディザデータ設定濃度記憶手段に記憶されたディザデータの各設定濃度の時の各測定濃度を画像印刷装置で測定することなしに、ディザデータ設定濃度記憶手段に記憶されたディザデータの各設定濃度の時の各測定濃度を求めることができる。そして、補正制御手段は、ディザデータ設定濃度記憶手段にディザデータの各設定濃度と対応して記憶された基準濃度パッチの各設定濃度毎の各測定濃度を、ディザデータの各設定濃度のときの各測定濃度として設定して、目標濃度記憶手段に記憶されたディザデータの設定濃度に対応した目標濃度との関係に基づいて画像データを補正手段に補正させ、その補正した画像データを送信手段により送信させて、画像印刷装置が形成する画像の濃度を補正する。このように、ディザデータ設定濃度記憶手段に記憶されたディザデータの各設定濃度の時の各測定濃度を、基準濃度パッチの各設定濃度の時の各測定濃度とすることで、従来のようにディザデータに対応して作成される濃度パッチを画像印刷装置に形成させ、その形成させた濃度パッチを画像印刷装置で測定することなく、画像の濃度補正を行うことができる。よって、従来、画像の濃度補正に必要であったディザデータに対応して作成される濃度パッチを不要とすることができる。従って、ディザデータに対応して作成される濃度パッチを記憶する記憶装置の容量が不要となり、記憶装置の容量を低減させることができるという効果がある。
【００１６】
請求項２記載の画像処理装置によれば、請求項１記載の画像処理装置の奏する効果に加え、基準濃度パッチ測定濃度受信手段により基準濃度パッチの各設定濃度毎の各測定濃度が新たに受信された場合には、更新手段は、ディザデータ設定濃度記憶手段にディザデータの各設定濃度に対応して記憶された基準濃度パッチの各設定濃度毎の各測定濃度を更新する。そして、補正制御手段は、更新手段により更新された基準濃度パッチの各設定濃度毎の各測定濃度を、ディザデータの各設定濃度のときの各測定濃度として設定して、画像データを補正手段に補正させる。これにより、画像印刷装置が形成する画像の濃度補正を行う際には、画像処理装置は、基準濃度パッチの各設定濃度毎の各測定濃度を画像印刷装置から受信すれば良い。よって、従来のようにディザデータに対応して作成される濃度パッチを画像印刷装置に形成させ、その形成させた濃度パッチを画像印刷装置で測定することなく、画像の濃度補正を行うことができる。従って、画像印刷装置が形成する画像の濃度補正に費やす時間を従来と比較して短縮することができるという効果がある。
【００１７】
請求項３記載の画像印刷装置によれば、濃度パッチ測定手段は、濃度パッチデータ受信手段により受信された各設定濃度毎の濃度パッチデータに基づいて、各設定濃度毎に濃度パッチを画像形成手段に形成させて、その濃度を測定する。また、基準濃度パッチ測定手段は、基準濃度パッチデータ記憶手段に記憶された基準濃度パッチデータに基づいて、各設定濃度毎に基準濃度パッチを画像形成手段に形成させ、その濃度を測定する。そして、測定濃度送信手段は、濃度パッチ測定手段が測定した各設定濃度毎の濃度パッチの各測定濃度と、基準濃度パッチ測定手段が測定した各設定濃度毎の基準濃度パッチの各測定濃度とを画像処理装置に送信する。このように、濃度パッチ測定手段は、濃度パッチデータ受信手段により受信された各設定濃度毎の濃度パッチデータに基づいて、各設定濃度毎に濃度パッチを画像形成手段に形成させるので、従来、画像形成手段に濃度パッチを形成させるために必要であったディザデータに対応して作成される濃度パッチを記憶する記憶装置が不要となる。よって、ディザデータに対応して作成される濃度パッチを記憶する記憶装置の容量が不要となり、記憶装置の容量を低減させることができるという効果がある。
【００１８】
請求項４記載の画像印刷装置によれば、請求項３記載の画像印刷装置の奏する効果に加え、ディザデータ記憶手段に記憶されたディザデータは複数の解像度毎に設けられているのに対し、基準濃度パッチデータ記憶手段に記憶された基準濃度パッチデータは１種類である。よって、画像形成手段が画像を形成するために使用するディザデータが、形成する画像の解像度毎に複数設けられていたとしても、画像の濃度補正を１種類の基準濃度パッチのみを使用して実行することができる。これにより、従来、複数の解像度毎のディザデータに対応して作成されていた濃度パッチを不要とすることができる。従って、複数の解像度毎のディザデータに対応して作成されていた濃度パッチを記憶する記憶装置の容量が不要となり、記憶装置の容量を低減させることができるという効果がある。また、画像の濃度補正の際には、１種類の基準濃度パッチを画像形成手段により形成し、その形成した１種類の基準濃度パッチを基準濃度パッチ測定手段により測定すれば良いので、従来のように複数の解像度毎のディザデータに対応して作成される濃度パッチを画像形成手段により複数の解像度毎に形成し、その形成した複数の解像度毎の濃度パッチを濃度パッチ測定手段によりそれぞれ測定する必要がないので、画像の濃度補正に費やす時間を短縮することができるという効果がある。
【００１９】
請求項５記載の画像印刷装置によれば、請求項３または４に記載の画像印刷装置の奏する効果に加え、ディザデータ記憶手段に記憶されたディザデータは複数の解像度毎にそれぞれ設けられた所定の閾値の設定が異なるディザデータであるのに対し、基準濃度パッチデータ記憶手段に記憶された基準濃度パッチデータは１種類である。よって、画像形成手段が画像を形成するために使用する複数の解像度毎のディザデータが、形成する画像に応じて、所定の閾値の設定が異なっていたとしても、画像の濃度補正を１種類の基準濃度パッチのみを使用して実行することができる。これにより、従来、複数の解像度毎にそれぞれ設けられた所定の閾値の設定毎のディザデータに対応して作成されていた濃度パッチを不要とすることができる。従って、複数の解像度毎にそれぞれ設けられた所定の閾値の設定毎のディザデータに対応して作成されていた濃度パッチを記憶する記憶装置の容量が不要となり、記憶装置の容量を低減させることができるという効果がある。また、画像の濃度補正の際には、１種類の基準濃度パッチを画像形成手段により形成し、その形成した１種類の基準濃度パッチを基準濃度パッチ測定手段により測定すれば良いので、従来のように複数の解像度毎にそれぞれ設けられた所定の閾値の設定毎のディザデータに対応して作成される濃度パッチを画像形成手段により形成し、その形成した濃度パッチを濃度パッチ測定手段によりそれぞれ測定する必要がないので、画像の濃度補正に費やす時間を短縮することができるという効果がある。
【００２０】
請求項６記載の画像印刷装置によれば、請求項３から５のいずれかに記載の画像印刷装置の奏する効果に加え、ディザデータ記憶手段に記憶されたディザデータは色毎に設けられているのに対し、基準濃度パッチデータ記憶手段に記憶された基準濃度パッチデータは１種類である。よって、画像形成手段が画像を形成するために使用するディザデータが、形成する画像の色毎に設けられていたとしても、画像の濃度補正を１種類の基準濃度パッチのみを使用して実行することができる。これにより、従来、色毎のディザデータに対応して作成されていた濃度パッチを不要とすることができる。従って、色毎のディザデータに対応して作成されていた濃度パッチを記憶する記憶装置の容量が不要となり、記憶装置の容量を低減させることができるという効果がある。また、画像の濃度補正の際には、１種類の基準濃度パッチを画像形成手段により形成し、その形成した１種類の基準濃度パッチを基準濃度パッチ測定手段により測定すれば良いので、従来のように色毎のディザデータに対応して作成される濃度パッチを画像形成手段により色毎に形成し、その形成した色毎の濃度パッチを濃度パッチ測定手段によりそれぞれ測定する必要がないので、画像の濃度補正に費やす時間を短縮することができるという効果がある。
【００２１】
請求項７記載の画像形成システムによれば、請求項１または２に記載の画像処理装置の奏する効果と、請求項３から６のいずれかに記載の画像印刷装置の奏する効果とを奏する。
【００２２】
請求項８記載の画像処理装置に実行させる画像処理プログラムによれば、画像印刷装置が形成する画像の濃度補正を行う際には、濃度パッチデータ送信ステップは、ディザデータ記憶手段に記憶されたディザデータを各設定濃度毎に２値化した濃度パッチデータに変換させ、その変換させた各設定濃度毎の濃度パッチデータを画像印刷装置へ送信させる。そして、濃度パッチ測定濃度受信ステップは、濃度パッチデータ送信ステップにより送信させた濃度パッチデータに基づいて画像印刷装置が測定した濃度パッチの各設定濃度毎の各測定濃度を画像印刷装置から受信させる。また、基準濃度パッチ測定濃度受信ステップは、各設定濃度毎に２値化された基準となる基準濃度パッチデータに基づいて画像印刷装置が測定した基準濃度パッチの各設定濃度毎の各測定濃度を画像印刷装置から受信させる。すると、ディザデータ設定濃度記憶ステップは、基準濃度パッチ測定濃度受信ステップにより受信させた基準濃度パッチの各設定濃度毎の各測定濃度と、濃度パッチ測定濃度受信ステップにより受信させた濃度パッチの各設定濃度毎の各測定濃度とに基づいて、基準濃度パッチが１の設定濃度のときの測定濃度の所定の範囲内となる測定濃度を実現するディザデータの設定濃度を、基準濃度パッチの各設定濃度毎に検索させ、その検索させたディザデータの各設定濃度を、基準濃度パッチの各設定濃度毎の各測定濃度と対応させて記憶させる。これにより、ディザデータ設定濃度記憶ステップにより記憶させたディザデータの各設定濃度の時の各測定濃度を、基準濃度パッチの各設定濃度の時の各測定濃度とすることができる。よって、ディザデータ設定濃度記憶ステップにより記憶させたディザデータの各設定濃度の時の各測定濃度を画像印刷装置で測定することなしに、ディザデータ設定濃度記憶ステップにより記憶させたディザデータの各設定濃度の時の各測定濃度を求めることができる。そして、補正制御ステップは、ディザデータ設定濃度記憶ステップによりディザデータの各設定濃度と対応して記憶させた基準濃度パッチの各設定濃度毎の各測定濃度を、ディザデータの各設定濃度のときの各測定濃度として設定させ、目標濃度記憶手段に記憶されたディザデータの設定濃度に対応した目標濃度との関係に基づいて画像データを補正させ、その補正した画像データを送信ステップにより送信させて、画像印刷装置が形成する画像の濃度を補正させる。このように、ディザデータ設定濃度記憶ステップにより記憶させたディザデータの各設定濃度の時の各測定濃度を、基準濃度パッチの各設定濃度の時の各測定濃度とすることで、従来のようにディザデータに対応して作成される濃度パッチを画像印刷装置に形成させ、その形成させた濃度パッチを画像印刷装置で測定することなく、画像の濃度補正を行うことができる。よって、従来、画像の濃度補正に必要であったディザデータに対応して作成される濃度パッチを不要とすることができる。従って、ディザデータに対応して作成される濃度パッチを記憶する記憶装置の容量が不要となり、記憶装置の容量を低減させることができるという効果がある。
【発明を実施するための最良の形態】
【００２３】
以下、本発明の一実施形態を、図面に基づいて説明する。図１は、カラーレーザープリンタ１の縦断面を示した縦断面図である。カラーレーザープリンタ１は、４つの画像形成ユニット２０（画像形成ユニット２０Ｃ，２０Ｍ，２０Ｙ，２０Ｋ）が水平方向に並んで配設される横置きタイプのタンデム方式のプリンタであり、給紙装置９と、画像形成装置４と、画像が形成された記録用紙３を排紙する排紙装置６と、カラーレーザープリンタ１を制御する制御装置９０とを主に有している。
【００２４】
給紙装置９は、記録用紙３を給紙する装置であり、本体ケーシング５内の底部に配設される。給紙装置９は、本体ケーシング５に対して前側（図１の左側）から着脱自在に装着される給紙トレイ１２と、その給紙トレイ１２の後側一端上方に設けられる給紙ローラ８３と、その給紙ローラ８３の後側であって、給紙ローラ８３に対して記録用紙３の搬送方向下流側に設けられる搬送ローラ１４ａ，１４ｂとを有している。
【００２５】
給紙トレイ１２内には、記録用紙３が積み重ねられており、最上部にある記録用紙３は、給紙ローラ８３の回転により搬送ローラ１４ａ，１４ｂに向けて移動する。搬送ローラ１４ａから排出された記録用紙３は、搬送ガイド１５に沿って搬送ローラ１４ｂへ搬送される。搬送ローラ１４ｂに搬送された記録用紙３は、搬送ローラ１４ｂから排出され、搬送ベルト６８と各感光体ドラム６２Ｃとの間に順次搬送される。
【００２６】
画像形成装置４は、給紙された記録用紙３に画像を形成する装置であり、本体ケーシング５内の中間部に配設される。画像形成装置４は、画像を形成する４つの画像形成ユニット２０Ｙ，２０Ｍ，２０Ｃ，２０Ｋと、各画像形成ユニット２０（画像形成ユニット２０Ｙ，２０Ｍ，２０Ｃ，２０Ｋ）で形成された画像を記録用紙３に転写する転写装置１７と、記録用紙３に転写された画像を加熱・加圧して記録用紙３に定着させる定着装置８とを有している。ここで、上記Ｃ，Ｍ，Ｙ，Ｋの添え字は、それぞれシアン（Ｃ）、マゼンタ（Ｍ）、イエロー（Ｙ）、ブラック（Ｋ）の各色を表している。
【００２７】
制御装置９０は、カラーレーザープリンタ１を制御するための装置であり、給紙装置９の上部に配設される。制御装置９０は、カラーレーザープリンタ１の装置各部を統括制御する。なお、制御装置９０については、図２にて詳述する。
【００２８】
各画像形成ユニット２０（画像形成ユニット２０Ｃ，２０Ｍ，２０Ｙ，２０Ｋ）は、像担持体としての感光体ドラム６２Ｃ，６２Ｍ，６２Ｙ，６２Ｋと、感光体ドラム６２Ｃ，６２Ｍ，６２Ｙ，６２Ｋをそれぞれ帯電させる帯電器３１Ｃ，３１Ｍ，３１Ｙ，３１Ｋと、感光体ドラム６２Ｃ，６２Ｍ，６２Ｙ，６２Ｋにそれぞれ静電潜像を形成する露光ユニット４１Ｃ，４１Ｍ，４１Ｙ，４１Ｋと、現像ユニット５１Ｙ，５１Ｍ，５１Ｃ，５１Ｋとをそれぞれ有している。
【００２９】
帯電器３１Ｃ，３１Ｍ，３１Ｙ，３１Ｋは、例えば、タングステン等からなる帯電用ワイヤからコロナ放電を発生させて、感光体ドラム６２Ｃ，６２Ｍ，６２Ｙ，６２Ｋの各表面を一様に正極性に帯電させるスコロトン型の帯電器である。露光ユニット４１Ｃ，４１Ｍ，４１Ｙ，４１Ｋは、レーザー光を照射するレーザー発振器（図示せず）等から構成されている。この露光ユニット４１Ｃ，４１Ｍ，４１Ｙ，４１Ｋは、レーザー発振器から発光されるレーザー光をポリゴンミラー（図示せず）で反射させ、その反射させたレーザー光を感光体ドラム６２Ｃ，６２Ｍ，６２Ｙ，６２Ｋに照射する。感光体ドラム６２Ｃ，６２Ｍ，６２Ｙ，６２Ｋのレーザー光が照射された各部分は、帯電が解消される。これにより、感光体ドラム６２Ｃ，６２Ｍ，６２Ｙ，６２Ｋの各表面には、正極性に帯電した部分と帯電が解消された部分とが形成され、感光体ドラム６２Ｃ，６２Ｍ，６２Ｙ，６２Ｋの各表面に静電潜像を形成することができる。
【００３０】
現像ユニット５１Ｃ，５１Ｍ，５１Ｙ，５１Ｋに収容されたトナーは、後述する現像ローラ５２Ｃ，５２Ｍ，５２Ｙ，５２Ｋに印加された正の電圧である現像バイアスにより正極性に帯電しているので、感光体ドラム６２Ｃ，６２Ｍ，６２Ｙ，６２Ｋの各表面の帯電が解消された部分に付着することになる。これにより、感光体ドラム６２Ｃ，６２Ｍ，６２Ｙ，６２Ｋの各表面には、トナー像が形成される。なお、露光ユニット４１Ｃ，４１Ｍ，４１Ｙ，４１Ｋは、レーザー光ではなく、ＬＥＤアレイを照射することにより露光を行うものであってもよい。
【００３１】
現像ユニット５１Ｃ，５１Ｍ，５１Ｙ，５１Ｋは、感光体ドラム６２Ｃ，６２Ｍ，６２Ｙ，６２Ｋに現像剤としてのトナーを付着させ、トナー像を形成させるためのユニットであり、現像ケーシング５５Ｃ，５５Ｍ，５５Ｙ，５５Ｋ内に、ホッパ５６Ｃ，５６Ｍ，５６Ｙ，５６Ｋと、供給ローラ３２Ｃ，３２Ｍ，３２Ｙ，３２Ｋと、現像ローラ５２Ｃ，５２Ｍ，５２Ｙ，５２Ｋとをそれぞれ有している。ホッパ５６Ｃ，５６Ｍ，５６Ｙ，５６Ｋは、現像ケーシング５５Ｃ，５５Ｍ，５５Ｙ，５５Ｋの内部空間として形成され、画像形成ユニット２０Ｃ，２０Ｍ，２０Ｙ，２０Ｋ毎に、シアン色、マゼンタ色、イエロー色、ブラックのトナーがそれぞれ収容されている。なお、４つの各画像形成ユニット２０Ｃ，２０Ｍ，２０Ｙ，２０Ｋは、収容されるトナーの色が異なるのみで、各構造は同じである。
【００３２】
供給ローラ３２Ｃ，３２Ｍ，３２Ｙ，３２Ｋは、収容された各トナーを現像ローラ５２Ｃ，５２Ｍ，５２Ｙ，５２Ｋに付着させるためのローラであり、それぞれホッパ５６Ｃ，５６Ｍ，５６Ｙ，５６Ｋの下方側に配設される。供給ローラ３２Ｃ，３２Ｍ，３２Ｙ，３２Ｋは、各金属製のローラ軸に、導電性のスポンジ部材からなるローラ部分が被覆されている。この供給ローラ３２Ｃ，３２Ｍ，３２Ｙ，３２Ｋは、現像ローラ５２Ｃ，５２Ｍ，５２Ｙ，５２Ｋと対向接触するニップ部分において、現像ローラ５２Ｃ，５２Ｍ，５２Ｙ，５２Ｋと逆方向に回転するように回転可能に支持されている。
【００３３】
現像ローラ５２Ｃ，５２Ｍ，５２Ｙ，５２Ｋは、感光体ドラム６２Ｃ，６２Ｍ，６２Ｙ，６２Ｋに各トナーを付着させるためのローラであり、供給ローラ３２Ｃ，３２Ｍ，３２Ｙ，３２Ｋと互いに対向接触する位置に配設される。現像ローラ５２Ｃ，５２Ｍ，５２Ｙ，５２Ｋは、各金属製のローラ軸に、導電性のゴム材料などの弾性部材からなるローラ部が被覆されており、それぞれ正の電圧である現像バイアス電圧が印加されている。よって、感光体ドラム６２Ｃ，６２Ｍ，６２Ｙ，６２Ｋに付着させる各トナーを正極性に帯電させることができる。
【００３４】
転写装置１７は、感光体ドラム６２Ｃ，６２Ｍ，６２Ｙ，６２Ｋと対向するように設けられ、搬送ベルト駆動ローラ６３と、搬送ベルト従動ローラ６４と、エンドレスベルトである搬送ベルト６８と、転写ローラ６１Ｃ，６１Ｍ，６１Ｙ，６１Ｋとを有している。
【００３５】
搬送ベルト駆動ローラ６３は、搬送ベルト６８を矢印ａの方向に移動させるためのローラであり、モータ（図示せず）により矢印ａの方向に回転駆動する。搬送ベルト従動ローラ６４は、搬送ベルト６８を矢印ａの方向に移動させるためのローラであり、搬送ベルト駆動ローラ６３の回転駆動によって搬送ベルト６８が矢印ａ方向に周回移動すると、その周回移動に追従して回転駆動する。搬送ベルト６８は、記録用紙３を矢印ａ方向に搬送するためのベルトであり、搬送ベルト駆動ローラ６３と搬送ベルト従動ローラ６４との間に巻回され、外側の面が画像形成ユニット２０Ｃ，２０Ｍ，２０Ｙ，２０Ｋの全ての感光体ドラム６２Ｃ，６２Ｍ，６２Ｙ，６２Ｋと接触するように配設される。
【００３６】
なお、搬送ベルト６８には、図２に示すＰＣ１２５からディザマトリクスデータが送信され、カラーレーザープリンタ１に記憶されるディザマトリクスが変更された場合に、図１２に示す基準濃度パッチＣ１からＫ４が形成される。搬送ベルト６８に形成された基準濃度パッチＣ１からＫ４は、後述する濃度測定センサ８０で濃度がそれぞれ測定され、その測定された濃度パッチＣ１からＫ４のそれぞれの濃度を用いて、カラーレーザープリンタ１は、キャリブレーションを実行する。
【００３７】
転写ローラ６１Ｃ，６１Ｍ，６１Ｙ，６１Ｋは、感光体ドラム６２Ｃ，６２Ｍ，６２Ｙ，６２Ｋに担持されている各トナー像を記録用紙３に転写させるためのローラであり、巻回されている搬送ベルト６８の内側において、画像形成ユニット２０Ｃ，２０Ｍ，２０Ｙ，２０Ｋの各感光体ドラム６２Ｃ，６２Ｍ，６２Ｙ，６２Ｋと、搬送ベルト６８を挟んで対向するようにそれぞれ配設されている。転写ローラ６１Ｃ，６１Ｍ，６１Ｙ，６１Ｋは、各金属製のローラ軸に、導電性のゴム材などの弾性部材からなるローラ部分が被覆されている。この転写ローラ６１Ｃ，６１Ｍ，６１Ｙ，６１Ｋには、各感光体ドラム６２Ｃ，６２Ｍ，６２Ｙ，６２Ｋに担持されているトナー像を記録用紙３に転写させる際に、負の電圧が印加される。これは、感光体ドラム６２Ｃ，６２Ｍ，６２Ｙ，６２Ｋに担持されている各トナーは正極性に帯電しているので、転写ローラ６１Ｃ，６１Ｍ，６１Ｙ，６１Ｋに負の電圧を印加すれば、この正極性に帯電している各トナーを記録用紙３に転写させることができるためである。
【００３８】
定着装置８は、記録用紙３に転写したトナーを加熱すると共に加圧して熱定着させるための装置であり、画像形成ユニット２０Ｃ，２０Ｍ，２０Ｙ，２０Ｋ及び転写装置１７に対して記録用紙３の搬送方向下流側に配設される。定着装置８は、加熱ローラ８１および押圧ローラ８２を有している。加熱ローラ８１は、その表面に離型層が形成される金属素管からなり、その軸方向に沿ってハロゲンランプ（図示せず）が内装されている。このハロゲンランプにより加熱ローラ８１の表面がトナー定着温度に加熱される。押圧ローラ８２は、加熱ローラ８１を押圧するように配設される。この加熱ローラ８１と押圧ローラ８２との間をトナーが転写された記録用紙３が通過することにより、転写されたトナーが記録用紙３に熱定着される。
【００３９】
排紙装置６は、トナーが熱定着された記録用紙３を排紙トレイ１０に排出するための装置であり、定着装置８に対して記録用紙３の搬送方向下流側に配設される。排紙装置６は、記録用紙３を排紙トレイ１０に排出する一対の排紙ローラ１１と、その排紙ローラ１１に対して記録用紙３の搬送方向下流側に配設され、トナーが熱定着された記録用紙３を蓄積する排紙トレイ１０とを有している。
【００４０】
濃度測定センサ８０は、搬送ベルト６８に形成された濃度パッチＣ１からＫ４の濃度をそれぞれ測定するためのセンサであり、搬送ベルト駆動ローラ６３の斜め下に、搬送ベルト６８の外側表面と対向して配設される。
【００４１】
クリーナーブラシ１０５は、搬送ベルト６８上に付着したトナー（例えば濃度パッチＣ１からＫ４等）を電気的に掻き取るブラシであり、搬送ベルト６８の外側表面に接するように配設される。トナー回収ローラ１０６は、クリーナーブラシ１０５が掻き取ったトナーを付着させるローラである。このトナー回収ローラ１０６に付着したトナーは、掻取ブレード１０６ａによって掻き取られ、掻き取られたトナーは、トナー回収器１０７に回収される。
【００４２】
操作キー１０８は、カラーレーザープリンタ１に所望の指令を入力するための装置であり、排紙ローラ１１の上部に配設される。表示装置１０９は、カラーレーザープリンタ１の処理状態やユーザへのメッセージを表示するための装置であり、排紙ローラ１１の上部に配設される。
【００４３】
次に、図２を参照して画像印刷装置であるカラーレーザープリンタ１およびカラーレーザープリンタ１に画像を形成するための画像データを送信する画像処理装置であるパーソナルコンピュータ（以下、「ＰＣ」と称す）１２５の電気的構成について説明する。図２は、カラーレーザープリンタ１およびＰＣ１２５の電気的構成を示すブロック図である。
【００４４】
カラーレーザープリンタ１は、装置各部を統括制御する制御装置９０を有し、制御装置９０を構成するＡＳＩＣ２６は、各画像形成ユニット２０（画像形成ユニット２０Ｃ，２０Ｍ，２０Ｙ，２０Ｋ）、給紙ローラ８３、搬送ローラ１４ａ，１４ｂ、搬送ベルト駆動ローラ６３、転写ローラ６１、加熱ローラ８１、押圧ローラ８２、排紙ローラ１１、濃度測定センサ８０、パネルゲートアレイ（以下、「パネルＧＡ」と称す）１０８ａおよび表示装置コントローラ１０９ａに接続されている。
【００４５】
制御装置９０は、プリンタ用ＣＰＵ２２と、プリンタ用ＲＯＭ２３と、プリンタ用フラッシュメモリ２４と、プリンタ用ＲＡＭ２５と、ＡＳＩＣ２６と、プリンタ用ネットワークインターフェース(以下、「プリンタ用ネットワークＩ／Ｆ」と称す)２８を有している。プリンタ用ＣＰＵ２２、プリンタ用ＲＯＭ２３、プリンタ用フラッシュメモリ２４と、プリンタ用ＲＡＭ２５、およびプリンタ用ネットワークＩ／Ｆ２８は、バスラインを介してそれぞれＡＳＩＣ２６と接続されている。
【００４６】
プリンタ用ＣＰＵ２２は、プリンタ用ＲＯＭ２３に記憶された各種プログラムを実行するマイクロプロセッサであり、プリンタ用ＲＯＭ２３は、プリンタ用ＣＰＵ２２により実行される各種プログラム（例えば、図１５から図１７に示すフローチャートのプログラム）や、そのプログラムを実行する際に参照する定数やテーブルを記憶する読み出し専用のメモリである。プリンタ用フラッシュメモリ２４は、電源投入状態において、各種のデータを記憶するための書換可能なメモリであると共に、電源遮断後においても、その内容を保持可能なメモリである。プリンタ用ＲＡＭ２５は、プリンタ用ＣＰＵ２２が各種プログラムを実行する際、変数などを一時記憶するワークエリアを有するメモリである。
【００４７】
プリンタ用フラッシュメモリ２４には、基準濃度パッチデータメモリ２４ａが設けられている。基準濃度パッチデータメモリ２４ａは、基準濃度パッチＣ１〜Ｋ４を搬送ベルト６８（図１参照）に形成するための基準濃度パッチデータを記憶するメモリである。
【００４８】
ここで、図６を参照して、基準濃度パッチデータメモリ２４ａに記憶された基準濃度パッチデータについて説明する。図６（ａ）は、基準濃度パッチデータメモリ２４ａの内容のうち、基準濃度パッチ名、基準濃度パッチの設定濃度および形成色を示した図であり、図６（ｂ）は、基準濃度パッチデータメモリ２４ａの内容のうち、基準濃度パッチＣ１〜Ｋ４の形成パターンＰ１〜Ｐ４を示した図である。
【００４９】
図６（ａ）および図６（ｂ）に示すように、基準濃度パッチデータは、基準濃度パッチ名、基準濃度パッチの設定濃度、形成色および形成パターンの４つから構成されている。図６（ａ）に示すように、基準濃度パッチの設定濃度および形成色の情報は、基準濃度パッチ名に対応して記憶されているので、基準濃度パッチデータは、計１６種類の情報から構成されている。
【００５０】
基準濃度パッチ名は、形成する基準濃度パッチＣ１〜Ｋ４の各名称を示している。本実施形態では、基準濃度パッチ名は基準濃度パッチＣ１から基準濃度パッチＫ４までの計１６である。
【００５１】
基準濃度パッチの設定濃度は、基準濃度パッチＣ１〜Ｋ４を搬送ベルト６８（図１参照）に形成する濃度を示している。この基準濃度パッチＣ１〜Ｋ４の設定濃度が高くなれば（最小値０％、最大値１００％）、搬送ベルト６８に形成される濃度が高くなる。一方、基準濃度パッチＣ１〜Ｋ４の設定濃度が低くなれば、搬送ベルト６８に形成される濃度が低くなる。なお、本実施形態では、設定濃度は２０％，４０％，６０％，８０％の計４つである。
【００５２】
ここで、基準濃度パッチＣ１〜Ｋ４の設定濃度に、最小値０％と最大値１００％が設定されていない理由について説明する。搬送ベルト６８に形成された基準濃度パッチは、濃度測定センサ８０（図１参照）によりその濃度が測定されるが、基準濃度パッチの設定濃度が０％である場合には、濃度測定センサ８０の測定値が最小値となることが分かっており、一方、基準濃度パッチの設定濃度が１００％である場合には、濃度測定センサ８０の測定値が最大値となることが分かっているので、搬送ベルト６８に基準濃度パッチを形成して、濃度測定センサ８０によって濃度を測定する必要がないためである。よって、基準濃度パッチＣ１〜Ｋ４の設定濃度には、最小値０％と最大値１００％が設定されていない。
【００５３】
なお、図６（ｂ）に示す、各設定濃度の基準濃度パッチＣ１〜Ｋ４の各形成パターンＰ１〜Ｐ４は、縦１６×横１６の閾値の行列から構成される基準ディザマトリクス（図示せず）に基づいて２値化されたデータとして構成されている。この基準ディザマトリクスは基準濃度パッチＣ１〜Ｋ４を作成するための専用のディザマトリクスであり、後述するＰＣ１２５のプリンタドライバ領域１２８ａに記憶された各ディザマトリクス（標準モード用シアンディザマトリクス、標準モード用マゼンタディザマトリクス、標準モード用イエローディザマトリクス、標準モード用ブラックディザマトリクス、高品質モード用シアンディザマトリクス、高品質モード用マゼンタディザマトリクス、高品質モード用イエローディザマトリクス、および高品質モード用ブラックディザマトリクス）とは異なる閾値の行列で構成されている。
【００５４】
ここで、ディザマトリクスについて説明する。ディザマトリクスは、例えば図８に記載の構成となっている。記録用紙３に画像を形成する場合は、多値（例えば、ＲＧＢ）で形成される画像から、２値（例えば、白と黒）の画像が形成される。例えば、レーザープリンタであれば、「トナーを記録用紙に転写してドットを形成する」、又は、「トナーを記録用紙に転写してドットを形成しない」の２種類の状態で画像が形成される。その２種類の状態で、画像の階調を表現するために、ディザマトリクスが用いられる。ディザマトリクスは、例えば、縦１６×横１６の閾値が設定されたドットの行列で構成されており、その閾値の行列と、カラーレーザープリンタ１が形成する画像に対応した画像データの設定濃度とが比較される。設定濃度が閾値以上の場合は「トナーを転写するドット」とし、また設定濃度が閾値よりも小さい場合は「トナーを転写しないドット」として、縦１６×横１６のドットの形成パターンが形成される。このようにして、２値で画像の階調が表現される。
【００５５】
上述した基準ディザマトリクス（図示せず）の設定濃度を２０％に設定すると、基準濃度パッチＣ１，Ｍ１，Ｙ１，Ｋ１の形成パターンはＰ１となる。また、基準ディザマトリクスの設定濃度を４０％に設定すると、基準濃度パッチＣ２，Ｍ２，Ｙ２，Ｋ２の形成パターンはＰ２となり、基準ディザマトリクスの設定濃度を６０％に設定すると、基準濃度パッチＣ３，Ｍ３，Ｙ３，Ｋ３の形成パターンはＰ３となり、基準ディザマトリクスの設定濃度を８０％に設定すると、基準濃度パッチＣ４，Ｍ４，Ｙ４，Ｋ４の形成パターンはＰ４となる。この各形成パターンＰ１〜Ｐ４が２値化されたデータとして基準濃度パッチデータメモリ２４ａに記憶されている。
【００５６】
形成色は、基準濃度パッチＣ１〜Ｋ４を搬送ベルト６８（図１参照）に形成する色を示している。本実施形態では、基準濃度パッチＣ１，Ｃ２，Ｃ３，Ｃ４は形成色がシアンに設定されている。また、基準濃度パッチＭ１，Ｍ２，Ｍ３，Ｍ４は形成色がマゼンタに設定され、基準濃度パッチＹ１，Ｙ２，Ｙ３，Ｙ４は形成色がイエローに設定され、基準濃度パッチＫ１，Ｋ２，Ｋ３，Ｋ４は形成色がブラックに設定されている。
【００５７】
例えば、基準濃度パッチＣ１を搬送ベルト６８（図１参照）に形成する場合には、プリンタ用ＣＰＵ２２は、基準濃度パッチデータメモリ２４ａから形成パターンＰ１を読み出して、シアン色の基準濃度パッチＣ１を搬送ベルト６８に画像形成ユニット２０Ｃを用いて形成する。また、基準濃度パッチＹ３を搬送ベルト６８に形成する場合には、プリンタ用ＣＰＵ２２は、基準濃度パッチデータメモリ２４ａから形成パターンＰ３を読み出して、イエロー色の基準濃度パッチＣ１を搬送ベルト６８に画像形成ユニット２０Ｙを用いて形成する。
【００５８】
上述した通り、基準濃度パッチデータメモリ２４ａには、基準ディザマトリクス（図示せず）の設定濃度が２０％，４０％，６０％，８０％であるときの２値化された形成パターンＰ１からＰ４が、基準濃度パッチ名、基準濃度パッチの設定濃度および形成色と共に基準濃度パッチデータとしてそれぞれ記憶されている。
【００５９】
ここで、図７を参照して、基準濃度パッチデータメモリ２４ａに記憶された基準濃度パッチデータを用いて、プリンタ用ＣＰＵ２２が基準濃度パッチＣ１〜Ｋ４の全てを搬送ベルト６８（図１参照）に形成した場合を説明する。図７は、搬送ベルト６８に形成された基準濃度パッチＣ１〜Ｋ４を模式的に示した図である。なお、Ｙ軸方向は、搬送ベルト６８が周回移動する方向である矢印ａの方向（図１参照）に対応し、Ｘ軸方向は、図１の紙面奥側から手前側へ搬送ベルト６８に平行に延びる方向に対応している。
【００６０】
まず、プリンタ用ＣＰＵ２２は、基準濃度パッチデータメモリ２４ａから基準濃度パッチデータを取得し、形成色をシアン色、設定濃度を２０％として、画像形成ユニット２０Ｃに基準濃度パッチＣ１を搬送ベルト６８に形成させる。次に、プリンタ用ＣＰＵ２２は、形成色をマゼンタ色、設定濃度を２０％として、画像形成ユニット２０Ｍに基準濃度パッチＭ１を搬送ベルト６８に形成させる。このようにして、プリンタ用ＣＰＵ２２は、基準濃度パッチＣ１〜Ｋ４の全ての基準濃度パッチを搬送ベルト６８に形成する。
【００６１】
このように、プリンタ用ＣＰＵ２２は、基準濃度パッチデータメモリ２４ａから基準濃度パッチデータを取得し、その取得した基準濃度パッチデータに基づいて、図７に示すように基準濃度パッチＣ１〜Ｋ４までの計１６の基準濃度パッチを搬送ベルト６８に形成させる。なお、形成された基準濃度パッチＣ１〜Ｋ４は、濃度測定センサ８０によって濃度がそれぞれ測定される。
【００６２】
上述の例では、基準濃度パッチデータメモリ２４ａから基準濃度パッチデータを全て読み出し、基準濃度パッチＣ１〜Ｋ４までの計１６の基準濃度パッチを搬送ベルト６８に形成する場合を説明したが、例えばプリンタ用ＣＰＵ２２は、基準濃度パッチデータメモリ２４ａから基準濃度パッチデータの一部であるシアン色の基準濃度パッチＣ１〜Ｃ４の計４の基準濃度パッチデータを読み出して、搬送ベルト６８にシアン色の基準濃度パッチＣ１〜Ｃ４のみを形成することもできる。よって、プリンタ用ＣＰＵ２２は、基準濃度パッチデータメモリ２４ａに記憶された基準濃度パッチデータの一部を読み出して、基準濃度パッチＣ１〜Ｋ４のうちの一部の基準濃度パッチのみを搬送ベルト６８に形成することも当然可能である。
【００６３】
なお、基準濃度パッチデータメモリ２４ａに記憶される基準濃度パッチデータは、プリンタ用フラッシュメモリ２４に記憶されているので、ＰＣ１２５によって書換え可能に記憶されている。また、本実施形態のカラーレーザープリンタ１で搬送ベルト６８（図１参照）に形成する基準濃度パッチＣ１〜Ｋ４は四角形である。ただし、基準濃度パッチＣ１〜Ｋ４は四角形に限らず、多角形等で搬送ベルト６８に形成しても良い。
【００６４】
次に、図３を参照して、プリンタ用ＲＡＭ２５の内容について説明する。図３は、プリンタ用ＲＡＭ２５の内容を示した図である。プリンタ用ＲＡＭ２５は、文字列記憶メモリ２５ａと、基準濃度パッチ測定濃度データプリンタメモリ２５ｂと、濃度パッチデータプリンタメモリ２５ｃと、測定濃度データプリンタメモリ２５ｄとを有している。
【００６５】
文字列記憶メモリ２５ａは、ＰＣ１２５で実行中の処理をカラーレーザープリンタ１が認識するために、ＰＣ１２５から送信される文字列を記憶するためのメモリである。この文字列記憶メモリ２５ａに記憶された文字列に応じて、プリンタ用ＣＰＵ２２は実行する処理を変化させる。この文字列記憶メモリ２５ａに記憶される文字列は、ＰＣ１２５から文字列を受信するたびに更新される。
【００６６】
基準濃度パッチ測定濃度データプリンタメモリ２５ｂは、基準濃度パッチデータメモリ２４ａに記憶された基準濃度パッチデータに基づいて搬送ベルト６８（図１参照）に形成された各基準濃度パッチＣ１〜Ｋ４を濃度測定センサ８０で測定した各測定濃度が、基準濃度パッチＣ１〜Ｋ４毎に記憶されるメモリである。基準濃度パッチ測定濃度データプリンタメモリ２５ｂは、搬送ベルト６８に形成される基準濃度パッチＣ１〜Ｋ４の色に対応して、シアン色の基準濃度パッチである基準濃度パッチＣ１〜Ｃ４の各測定濃度を記憶する基準濃度パッチシアン測定濃度データプリンタメモリ２５ｂ１と、マゼンタ色の基準濃度パッチである基準濃度パッチＭ１〜Ｍ４の各測定濃度を記憶する基準濃度パッチマゼンタ測定濃度データプリンタメモリ２５ｂ２と、イエロー色の基準濃度パッチである基準濃度パッチＹ１〜Ｙ４の各測定濃度を記憶する基準濃度パッチイエロー測定濃度データプリンタメモリ２５ｂ３と、ブラック色の基準濃度パッチである基準濃度パッチＫ１〜Ｋ４の各測定濃度を記憶する基準濃度パッチブラック測定濃度データプリンタメモリ２５ｂ４との計４つのメモリから構成されている。
【００６７】
この基準濃度パッチ測定濃度データプリンタメモリ２５ｂに記憶される各測定濃度は、搬送ベルト６８（図１参照）に形成された基準濃度パッチＣ１〜Ｋ４の濃度を濃度測定センサ８０が測定する度に更新される。
【００６８】
濃度パッチデータプリンタメモリ２５ｃは、ＰＣ１２５から送信された濃度パッチデータを記憶するメモリである。ＰＣ１２５から送信される濃度パッチデータは、標準モード用シアン濃度パッチデータと、標準モード用マゼンタ濃度パッチデータと、標準モード用イエロー濃度パッチデータと、標準モード用ブラック濃度パッチデータと、高品質モード用シアン濃度パッチデータと、高品質モード用マゼンタ濃度パッチデータと、高品質モード用イエロー濃度パッチデータと、高品質モード用ブラック濃度パッチデータとの８種類である。
【００６９】
この８種類に対応して、濃度パッチデータプリンタメモリ２５ｃは、標準モード用シアン濃度パッチデータを記憶する標準モード用シアン濃度パッチデータプリンタメモリ２５ｃ１と、標準モード用マゼンタ濃度パッチデータを記憶する標準モード用マゼンタ濃度パッチデータプリンタメモリ２５ｃ２と、標準モード用イエロー濃度パッチデータを記憶する標準モード用イエロー濃度パッチデータプリンタメモリ２５ｃ３と、標準モード用ブラック濃度パッチデータを記憶する標準モード用ブラック濃度パッチデータプリンタメモリ２５ｃ４と、高品質モード用シアン濃度パッチデータを記憶する高品質モード用シアン濃度パッチデータプリンタメモリ２５ｃ５と、高品質モード用マゼンタ濃度パッチデータを記憶する高品質モード用マゼンタ濃度パッチデータプリンタメモリ２５ｃ６と、高品質モード用イエロー濃度パッチデータを記憶する高品質モード用イエロー濃度パッチデータプリンタメモリ２５ｃ７と、高品質モード用ブラック濃度パッチデータを記憶する高品質モード用ブラック濃度パッチデータプリンタメモリ２５ｃ１との計８つのメモリから構成されている。
【００７０】
この濃度パッチデータプリンタメモリ２５ｃに濃度パッチデータが記憶されると、濃度パッチデータに基づいて、プリンタ用ＣＰＵ２２は、例えば図１０に示す濃度パッチを搬送ベルト６８に形成することができる。具体的には、プリンタ用ＣＰＵ２２は、濃度パッチデータプリンタメモリ２５ｃから濃度パッチデータを読み出し、読み出した濃度パッチデータに応じて、濃度パッチを搬送ベルト６８に形成することができる。例えば、標準モード用シアン濃度パッチデータプリンタメモリ２５ｃ１に標準モード用シアン濃度パッチデータが記憶されると、プリンタ用ＣＰＵ２２は、標準モード用シアン濃度パッチを搬送ベルト６８に形成することができる。また、高品質モード用ブラック濃度パッチデータプリンタメモリ２５ｃ８に高品質モード用ブラック濃度パッチデータが記憶されると、プリンタ用ＣＰＵ２２は、高品質モード用ブラック濃度パッチを搬送ベルト６８に形成することができる。
【００７１】
測定濃度データプリンタメモリ２５ｄは、搬送ベルト６８に形成された濃度パッチが濃度測定センサ８０で測定された場合に、その測定濃度をそれぞれ記憶するメモリである。測定濃度データプリンタメモリ２５ｄは、濃度測定センサ８０で測定された濃度パッチに応じて、標準モード用シアン測定濃度データプリンタメモリ２５ｄ１と、標準モード用マゼンタ測定濃度データプリンタメモリ２５ｄ２と、標準モード用イエロー測定濃度データプリンタメモリ２５ｄ３と、標準モード用ブラック測定濃度データプリンタメモリ２５ｄ４と、高品質モード用シアン測定濃度データプリンタメモリ２５ｄ５と、高品質モード用マゼンタ測定濃度データプリンタメモリ２５ｄ６と、高品質モード用イエロー測定濃度データプリンタメモリ２５ｄ７と、高品質モード用ブラック測定濃度データプリンタメモリ２５ｄ８との計８のメモリから構成されている。
【００７２】
標準モード用シアン測定濃度データプリンタメモリ２５ｄ１には、搬送ベルト６８に形成された標準モード用シアン濃度パッチの濃度が濃度測定センサ８０で測定された測定濃度が記憶される。また、標準モード用マゼンタ測定濃度データプリンタメモリ２５ｄ２には、搬送ベルト６８に形成された標準モード用マゼンタ濃度パッチの濃度が濃度測定センサ８０で測定された測定濃度が記憶される。また、標準モード用イエロー測定濃度データプリンタメモリ２５ｄ３には、搬送ベルト６８に形成された標準モード用イエロー濃度パッチの濃度が濃度測定センサ８０で測定された測定濃度が記憶される。また、標準モード用ブラック測定濃度データプリンタメモリ２５ｄ４には、搬送ベルト６８に形成された標準モード用マゼンタ濃度パッチの濃度が濃度測定センサ８０で測定された測定濃度が記憶される。
【００７３】
更に、高品質モード用シアン測定濃度データプリンタメモリ２５ｄ６には、搬送ベルト６８に形成された高品質モード用シアン濃度パッチの濃度が濃度測定センサ８０で測定された測定濃度が記憶される。また、高品質モード用マゼンタ測定濃度データプリンタメモリ２５ｄ７には、搬送ベルト６８に形成された高品質モード用マゼンタ濃度パッチの濃度が濃度測定センサ８０で測定された測定濃度が記憶される。また、高品質モード用イエロー測定濃度データプリンタメモリ２５ｄ７には、搬送ベルト６８に形成された高品質モード用イエロー濃度パッチの濃度が濃度測定センサ８０で測定された測定濃度が記憶される。また、高品質モード用ブラック測定濃度データプリンタメモリ２５ｄ８には、搬送ベルト６８に形成された高品質モード用ブラック濃度パッチの濃度が濃度測定センサ８０で測定された測定濃度が記憶される。
【００７４】
ＡＳＩＣ２６は、プリンタ用ＣＰＵ２２からの命令を変換して各部を駆動させる信号を出力すると共に、濃度測定センサ８０およびパネルＧＡ１０８ａから出力される信号を変換し、その変換した信号をプリンタ用ＣＰＵ２２へ出力する集積回路である。
【００７５】
各感光体ドラム６２（感光体ドラム６２Ｃ，６２Ｍ，６２Ｙ，６２Ｋ）は、その表面にトナー像を形成するドラムであり、各感光体ドラム６２に回転駆動力を与える各モータ（図示せず）とその各モータに電力を供給する各電源（図示せず）とから構成されている。各感光体ドラム６２は、それぞれＡＳＩＣ２６と接続されており、ＡＳＩＣ２６からの制御信号により各モータが回転し、その回転駆動力により各感光体ドラム６２が回転する。
【００７６】
各帯電器３１（帯電器３１Ｃ，３１Ｍ，３１Ｙ，３１Ｋ）は、各感光ドラム６２（感光体ドラム６２Ｃ，６２Ｍ，６２Ｙ，６２Ｋ）の表面を一様に正極性に帯電させるスコロトン型の帯電器である。各帯電器３１は、それぞれＡＳＩＣ２６と接続されており、ＡＳＩＣ２６からの制御信号により各感光ドラム６２を正極性に帯電させる。
【００７７】
各露光ユニット４１（露光ユニット４１Ｃ，４１Ｍ，４１Ｙ，４１Ｋ）は、各感光体ドラム６２（感光体ドラム６２Ｃ，６２Ｍ，６２Ｙ，６２Ｋ）の表面にレーザー光を照射するユニットであり、レーザー光を照射する各レーザー発振器（図示せず）等から構成されている。各露光ユニット４１は、それぞれＡＳＩＣ２６と接続されており、ＡＳＩＣ２６からの制御信号により各レーザー発振器等からレーザー光を照射すると共に、そのレーザー光の照射位置が制御される。
【００７８】
各供給ローラ３２（供給ローラ３２Ｃ，３２Ｍ，３２Ｙ，３２Ｋ）は、各ホッパ５６（ホッパ５６Ｃ，５６Ｍ，５６Ｙ，５６Ｋ）に収容された各トナーを各現像ローラ５２（現像ローラ５２Ｃ，５２Ｍ，５２Ｙ，５２Ｋ）に付着させるためのローラであり、各供給ローラ３２に回転駆動力を与える各モータ（図示せず）とその各モータに電力を供給する各電源（図示せず）とから構成されている。各供給ローラ３２は、それぞれＡＳＩＣ２６と接続されており、ＡＳＩＣ２６からの制御信号により各モータが回転し、その回転駆動力により各供給ローラ３２が回転する。
【００７９】
各現像ローラ５２（現像ローラ５２Ｃ，５２Ｍ，５２Ｙ，５２Ｋ）は、各感光ドラム６２（感光体ドラム６２Ｃ，６２Ｍ，６２Ｙ，６２Ｋ）に各トナーを付着させるためのローラであり、それぞれＡＳＩＣ２６と接続されている。各現像ローラ５２は、ＡＳＩＣ２６からの制御信号により、正の電圧である現像バイアス電圧がそれぞれ印加される。よって、各感光ドラム６２に付着させる各トナーを正極性に帯電させることができる。
【００８０】
給紙ローラ８３は、給紙トレイ１２の記録用紙３を搬送ローラ１４ａ，１４ｂに向けて移動させるためのローラであり、給紙ローラ８３に回転駆動力を与えるモータ（図示せず）とそのモータに電力を供給する電源（図示せず）とから構成されている。給紙ローラ８３は、ＡＳＩＣ２６と接続されており、ＡＳＩＣ２６からの制御信号によりモータが回転し、その回転駆動力により給紙ローラ８３が回転し、記録用紙３を搬送ローラ１４ａ，１４ｂに向けて移動させる。
【００８１】
搬送ローラ１４ａは、給紙ローラ８３から排出された記録用紙３を搬送ガイド１５へ搬送するローラであり、搬送ローラ１４ａに回転駆動力を与えるモータ（図示せず）とそのモータに電力を供給する電源（図示せず）とから構成されている。搬送ローラ１４ａは、ＡＳＩＣ２６と接続されており、ＡＳＩＣ２６からの制御信号によりモータが回転し、その回転駆動力により搬送ローラ１４ａが回転し、記録用紙３を搬送ガイド１５に向けて移動させる。
【００８２】
搬送ローラ１４ｂは、搬送ガイド１５を介して搬送された記録用紙３を搬送ベルト６８と感光体ドラム６２Ｃとの間に順次搬送するローラであり、搬送ローラ１４ｂに回転駆動力を与えるモータ（図示せず）とそのモータに電力を供給する電源（図示せず）とから構成されている。搬送ローラ１４ｂは、ＡＳＩＣ２６と接続されており、ＡＳＩＣ２６からの制御信号によりモータが回転し、その回転駆動力により搬送ローラ１４ｂが回転し、記録用紙３を搬送ベルト６８と感光体ドラム６２Ｃとの間に搬送する。
【００８３】
搬送ベルト駆動ローラ６３は、搬送ベルト６８を矢印ａの方向（図１参照）に移動させるためのローラであり、搬送ベルト駆動ローラ６３に回転駆動力を与えるモータ（図示せず）とそのモータに電力を供給する電源（図示せず）とから構成されている。搬送ベルト駆動ローラ６３は、ＡＳＩＣ２６と接続されており、ＡＳＩＣ２６からの制御信号によりモータが回転し、その回転駆動力により搬送ベルト駆動ローラ６３が回転して、搬送ベルト６８を周回移動させる。
【００８４】
各転写ローラ６１（転写ローラ６１Ｃ，６１Ｍ，６１Ｙ，６１Ｋ）は、各感光体ドラム６２（感光体ドラム６２Ｃ，６２Ｍ，６２Ｙ，６２Ｋ）に担持されている各トナー像を記録用紙３に転写させるためのローラであり、それぞれＡＳＩＣ２６と接続されている。ＡＳＩＣ２６からの制御信号により、各感光体ドラム６２に担持されている各トナー像を記録用紙３に転写させる際に、各転写ローラ６１に負の電圧がそれぞれ印加される。各転写ローラ６１に負の電圧をそれぞれ印加することにより、各感光体ドラム６２に担持されている正極性に帯電した各トナーを記録用紙３にそれぞれ転写させることができる。
【００８５】
加熱ローラ８１は、記録用紙３に転写されたトナーに熱を与えるローラであり、ハロゲンランプ（図示せず）とそのハロゲンランプに電力を供給する電源（図示せず）とから構成されている。加熱ローラ８１は、ＡＳＩＣ２６と接続されており、ＡＳＩＣ２６からの制御信号により、ハロゲンランプを点灯させ、放熱する。
【００８６】
押圧ローラ８２は、加熱ローラ８１との間に配設された記録用紙３に圧力をかけるためのローラであり、押圧ローラ８２に回転駆動力を与えるモータ（図示せず）とそのモータに電力を供給する電源（図示せず）とから構成されている。押圧ローラ８２は、ＡＳＩＣ２６と接続されており、ＡＳＩＣ２６からの制御信号によりモータが回転し、その回転駆動力により押圧ローラ８２が回転して、記録用紙３に圧力をかける。
【００８７】
排紙ローラ１１は、定着装置８から排出された記録用紙３を排紙トレイ１０に排出するためのローラであり、排紙ローラ１１に回転駆動力を与えるモータ（図示せず）とそのモータに電力を供給する電源（図示せず）とから構成されている。排紙ローラ１１は、ＡＳＩＣ２６と接続されており、ＡＳＩＣ２６からの制御信号によりモータが回転し、その回転駆動力により排紙ローラ１１が回転して、記録用紙３を排紙トレイ１０に排出する。
【００８８】
濃度測定センサ８０は、搬送ベルト６８に形成された基準濃度パッチＣ１〜Ｋ４および各濃度パッチ（標準モード用シアン濃度パッチ、標準モード用マゼンタ濃度パッチ、標準モード用イエロー濃度パッチ、標準モード用ブラック濃度パッチ、高品質モード用シアン濃度パッチ、高品質モード用マゼンタ濃度パッチ、高品質モード用イエロー濃度パッチ、高品質モード用ブラック濃度パッチ）の濃度をそれぞれ測定するためのセンサであり、ＡＳＩＣ２６と接続されている。
【００８９】
濃度測定センサ８０により測定された濃度パッチＣ１〜Ｋ４の各測定濃度は、ＡＳＩＣ２６に出力され、その出力された各測定濃度は、それぞれ基準濃度パッチ測定濃度データプリンタメモリ２５ｂに記憶される。また、濃度測定センサ８０により測定された各濃度パッチ（標準モード用シアン濃度パッチ、標準モード用マゼンタ濃度パッチ、標準モード用イエロー濃度パッチ、標準モード用ブラック濃度パッチ、高品質モード用シアン濃度パッチ、高品質モード用マゼンタ濃度パッチ、高品質モード用イエロー濃度パッチ、高品質モード用ブラック濃度パッチ）の各測定濃度は、ＡＳＩＣ２６に出力され、その出力された各測定濃度は、それぞれ測定濃度データプリンタメモリ２５ｄに記憶される。
【００９０】
パネルＧＡ１０８ａは、カラーレーザープリンタ１に所望の指令を入力する操作キー１０８の制御を行うもので、ＡＳＩＣ２６と接続されると共に、操作キー１０８と接続される。パネルＧＡ１０８ａは、操作キー１０８の押下（入力）を検出して、ＡＳＩＣ２６に所定のコード信号を出力する。このコード信号は、複数の操作キー１０８に対応して割り当てられている。ＡＳＩＣ２６は、パネルＧＡ１０８ａから所定のコード信号を受信すると、プリンタ用ＣＰＵ２２に対して割り込みを発生させる。割り込みを受けたプリンタ用ＣＰＵ２２は、所定のキー処理テーブルに従って、実行すべき制御処理を行う。このキー処理テーブルは、コード信号と制御処理とを対応させてテーブル化したものであり、例えば、プリンタ用ＲＯＭ２３に記憶されている。
【００９１】
表示装置コントローラ１０９ａは、カラーレーザープリンタ１の動作に関する情報などを表示装置１０９に表示するためのコントローラである。表示装置コントローラ１０９ａは、ＡＳＩＣ２６に接続されると共に、表示装置１０９と接続される。
【００９２】
プリンタ用ネットワークＩ／Ｆ２８は、ＵＳＢ規格などの通信を行うインターフェースで、ＡＳＩＣ２６に接続されると共に、ＰＣ１２５と通信可能に接続される。プリンタ用ネットワークＩ／Ｆ２８は、ＰＣ１２５から入力された画像データを変換し、変換した信号をプリンタ用ＣＰＵ２２へ出力する。
【００９３】
次に、ＰＣ１２５について説明する。ＰＣ１２５は、ＰＣ用ＣＰＵ１２６、ＰＣ用ＲＯＭ１２７、ＰＣ用ハードディスク（以下、「ＰＣ用ＨＤＤ」と称す）１２８、ＰＣ用ＲＡＭ１２９、ＰＣ用ネットワークインターフェイス（以下、「ＰＣ用ネットワークＩ/Ｆ」と称す）１３０、ＰＣ用入力装置１３１、ＰＣ用表示装置１３２および入出力ポート１３３を有している。ＰＣ用ＣＰＵ１２６、ＰＣ用ＲＯＭ１２７、ＰＣ用ＨＤＤ１２８、ＰＣ用ＲＡＭ１２９およびＰＣ用ネットワークＩ/Ｆ１３０は、バスラインを介してそれぞれ入出力ポート１３３と接続されている。また、ＰＣ用入力装置１３１およびＰＣ用表示装置１３２も、それぞれ入出力ポート１３３と接続されている。
【００９４】
ＰＣ用ＣＰＵ１２６は、ＰＣ用ＲＯＭ１２７に記憶された各種プログラムを実行するマイクロプロセッサであり、ＰＣ用ＲＯＭ１２７は、ＰＣ用ＣＰＵ１２６により実行される各種プログラム（例えば、図１１から図１４および図１８から図２０に示すフローチャートのプログラム）や、そのプログラムを実行する際に参照する定数やテーブルを記憶する読み出し専用のメモリである。ＰＣ用ＨＤＤ１２８は、電源投入状態において、各種のデータを記憶するための書換可能な記憶装置であると共に、電源遮断後においても、その内容を保持可能な記憶装置である。ＰＣ用ＲＡＭ１２９は、ＰＣ用ＣＰＵ１２６が各種プログラムを実行する際、変数などを一時記憶するワークエリアを有するメモリである。
【００９５】
ここで、図４を参照してＰＣ用ＨＤＤ１２８の内容について説明する。図４はＰＣ用ＨＤＤ１２８の内容を示した図である。ＰＣ用ＨＤＤ１２８は、プリンタドライバ領域１２８ａと、対応濃度データ領域１２８ｂと、補正テーブル領域１２８ｃとを有している。
【００９６】
プリンタドライバ領域１２８ａは、ＰＣ１２５から送信した画像データに基づいてカラーレーザープリンタ１が記録用紙３に画像を形成する場合に、カラーレーザプリンター１の各機能や動作を設定するためのソフトウェアであるプリンタドライバと、記録用紙３に形成する画像の解像度毎と記録用紙３に形成する画像の色毎とに異なるディザマトリクスとを記憶する領域である。なお、本実施形態においては、記録用紙３に形成する画像の解像度毎と記録用紙３に形成する画像の色毎とに異なるディザマトリクスを設けているが、使用するトナーを通常印刷よりも減らして画像を記録用紙３に形成する試験印刷（ドラフト印刷）と通常印刷とで異なるディザマトリクスを設けても良い。また、画像を形成するスピードを記録用紙３の厚みにより複数段階で変更する場合には、その複数段階毎に異なるディザマトリクスを設けても良い。更に、記録用紙３に形成する画像の解像度は同一である一方、記録用紙３に形成する画像の種類に応じて、各ドットに設定される閾値が異なるディザマトリクスを設けても良い（例えば、記録用紙３に形成する画像が写真のような多階調の画像と記録用紙３に形成する画像が表やグラフのような低階調の画像とで、各ドットに設定される閾値が異なるディザマトリクスを設けても良い）。
【００９７】
本実施形態では、プリンタドライバ領域１２８ａは、標準モード用シアンディザマトリクス領域１２８ａ１と、標準モード用マゼンタディザマトリクス領域１２８ａ２と、標準モード用イエローディザマトリクス領域１２８ａ３と、標準モード用ブラックディザマトリクス領域１２８ａ４と、高品質モード用シアンディザマトリクス領域１２８ａ５と、高品質モード用マゼンタディザマトリクス領域１２８ａ６と、高品質モード用イエローディザマトリクス領域１２８ａ７と、高品質モード用ブラックディザマトリクス領域１２８ａ８との計８つの領域から構成されている。
【００９８】
標準モード用シアンディザマトリクス領域１２８ａ１と、標準モード用マゼンタディザマトリクス領域１２８ａ２と、標準モード用イエローディザマトリクス領域１２８ａ３と、標準モード用ブラックディザマトリクス領域１２８ａ４とには、記録用紙３に画像を標準モード（カラーレーザープリンタ１に標準として設定されている解像度の記録モード）として形成する場合に使用するディザマトリクスがそれぞれ記憶されている。そして、記録用紙３に形成する画像の色がシアンである場合は、標準モード用シアンディザマトリクス領域１２８ａ１に記憶された標準モード用シアンディザマトリクスを用いて、ＰＣ用ＣＰＵ１２６が多値で形成される画像データを２値の画像データに変換する。この２値の画像データが、ＰＣ１２５からカラーレーザープリンタ１へ送信され、この２値の画像データを受信したカラーレーザープリンタ１のプリンタ用ＣＰＵ２２は、画像形成ユニット２０Ｃを用いて、シアン色の画像を形成する。
【００９９】
ここで、図８を参照して、標準モード用シアンディザマトリクス領域１２８ａ１に記憶された標準モード用シアンディザマトリクスについて説明する。図８は、標準モード用シアンディザマトリクス領域１２８ａ１に記憶された標準モード用シアンディザマトリクスを模式的に示した図である。
【０１００】
標準モード用シアンディザマトリクスは、縦３２×横１６（全５１２）のドットから構成され、その各ドットには閾値が設定されている。標準モード用シアンディザマトリクスの設定濃度（％）には、０（ゼロ）から２５５までの数値をパーセント（％）で換算した値がＰＣ用ＣＰＵ１２６により設定される。例えば、標準モード用シアンディザマトリクスの設定濃度が２０％の場合は、ＰＣ用ＣＰＵ１２６は、数値５１（２０（％）＝５１/２５５×１００）を標準モード用シアンディザマトリクスの設定濃度として設定する。また、例えば、標準モード用シアンディザマトリクスの設定濃度が４０％の場合は、ＰＣ用ＣＰＵ１２６は、数値１０２（４０（％）＝１０２/２５５×１００）を標準モード用シアンディザマトリクスの設定濃度として設定する。
【０１０１】
標準モード用シアンディザマトリクスは、ＰＣ用ＣＰＵ１２６により設定された数値が各ドットに設定された閾値以上の場合は、その閾値以上となった各ドットをオンする。よって、標準モード用シアンディザマトリクスの設定濃度が高く設定されれば、オンとなるドット数が増える。一方、標準モード用シアンディザマトリクスの設定濃度が低く設定されれば、オンとなるドット数が減る。
【０１０２】
なお、標準モード用マゼンタディザマトリクス領域１２８ａ２に記憶された標準モード用マゼンタディザマトリクス、標準モード用イエローディザマトリクス領域１２８ａ３に記憶された標準モード用イエローディザマトリクス、および標準モード用ブラックディザマトリクス領域１２８ａ４に記憶された標準モード用ブラックディザマトリクスの全ドット数は、標準モード用シアンディザマトリクス領域１２８ａ１に記憶された標準モード用シアンディザマトリクスと同じであるので説明は省略する。ただし、上記各ディザマトリクスの各ドットに設定されている閾値は、各ディザマトリクス毎に異なっている。
【０１０３】
上述した記録用紙３に形成する画像の色がシアンである場合と同様に、記録用紙３に形成する画像の色がマゼンタである場合は、標準モード用マゼンタディザマトリクス領域１２８ａ２に記憶された標準モード用マゼンタディザマトリクスを用いて、ＰＣ用ＣＰＵ１２６が多値で形成される画像データを２値の画像データに変換する。この２値の画像データが、ＰＣ１２５からカラーレーザープリンタ１へ送信され、この２値の画像データを受信したカラーレーザープリンタ１のプリンタ用ＣＰＵ２２は、画像形成ユニット２０Ｍを用いて、マゼンタ色の画像を形成する。記録用紙３に形成する画像の色がイエローである場合は、標準モード用イエローディザマトリクス領域１２８ａ３に記憶された標準モード用イエローディザマトリクスを用いて、ＰＣ用ＣＰＵ１２６が多値で形成される画像データを２値の画像データに変換する。この２値の画像データが、ＰＣ１２５からカラーレーザープリンタ１へ送信され、この２値の画像データを受信したカラーレーザープリンタ１のプリンタ用ＣＰＵ２２は、画像形成ユニット２０Ｙを用いて、イエロー色の画像を形成する。また、記録用紙３に形成する画像の色がブラックである場合は、標準モード用ブラックディザマトリクス領域１２８ａ４に記憶された標準モード用ブラックディザマトリクスを用いて、ＰＣ用ＣＰＵ１２６が多値で形成される画像データを２値の画像データに変換する。この２値の画像データが、ＰＣ１２５からカラーレーザープリンタ１へ送信され、この２値の画像データを受信したカラーレーザープリンタ１のプリンタ用ＣＰＵ２２は、画像形成ユニット２０Ｋを用いて、ブラック色の画像を形成する。
【０１０４】
また、高品質モード用シアンディザマトリクス領域１２８ａ５と、高品質モード用マゼンタディザマトリクス領域１２８ａ６と、高品質モード用イエローディザマトリクス領域１２８ａ７と、高品質モード用ブラックディザマトリクス領域１２８ａ８とは、記録用紙３に画像を高品質モード（標準モードよりも解像度が高い記録モード）として形成する場合に使用するディザマトリクスがそれぞれ記憶されている。記録用紙３に画像を高品質モードとして形成する場合に使用するディザマトリクスは、画像を通常モードとして形成する場合に使用するディザマトリクスと比較して、ディザマトリクスを構成する全ドット数が多くなっている。
【０１０５】
ここで、図９を参照して、高品質モード用シアンディザマトリクス領域１２８ａ５に記憶された高品質モード用シアンディザマトリクスについて説明する。図９は、高品質モード用シアンディザマトリクス領域１２８ａ５に記憶された高品質モード用シアンディザマトリクスを模式的に示した図である。
【０１０６】
高品質モード用シアンディザマトリクスは、縦２４×横２４（全５７６）のドットから構成され、その各ドットには閾値が設定されている。高品質モード用シアンディザマトリクスの設定濃度（％）は、０（ゼロ）から２５５までの数値をパーセント（％）で換算した値がＰＣ用ＣＰＵ１２６により設定される。例えば、高品質モード用シアンディザマトリクスの設定濃度が２０％の場合は、ＰＣ用ＣＰＵ１２６は、数値５１（２０（％）＝５１/２５５×１００）を高品質モード用シアンディザマトリクスの設定濃度として設定する。また、例えば、高品質モード用シアンディザマトリクスの設定濃度が４０％の場合は、ＰＣ用ＣＰＵ１２６は、数値１０２（４０（％）＝１０２/２５５×１００）を高品質モード用シアンディザマトリクスの設定濃度として設定する。
【０１０７】
高品質モード用シアンディザマトリクスは、ＰＣ用ＣＰＵ１２６により与えられた数値が各ドットに設定された閾値以上の場合は、その閾値以上となった各ドットをオンする。よって、高品質モード用シアンディザマトリクスの設定濃度が高くなれば、オンとなるドット数が増える。一方、高品質モード用シアンディザマトリクスの設定濃度が低くなれば、オンとなるドット数が減る。
【０１０８】
なお、高品質モード用マゼンタディザマトリクス領域１２８ａ６に記憶された高品質モード用マゼンタディザマトリクス、高品質モード用イエローディザマトリクス領域１２８ａ７に記憶された高品質モード用イエローディザマトリクス、および高品質モード用ブラックディザマトリクス領域１２８ａ８に記憶された高品質モード用ブラックディザマトリクスの全ドット数は、高品質モード用シアンディザマトリクス領域１２８ａ５に記憶された高品質モード用シアンディザマトリクスと同じであるので説明は省略する。ただし、上記各ディザマトリクスの各ドットに設定されている閾値は、各ディザマトリクス毎に異なっている。
【０１０９】
記録用紙３に形成する画像の色がシアンである場合は、高品質モード用シアンディザマトリクス領域１２８ａ５に記憶された高品質モード用シアンディザマトリクスを用いて、ＰＣ用ＣＰＵ１２６が多値で形成される画像データを２値の画像データに変換する。この２値の画像データが、ＰＣ１２５からカラーレーザープリンタ１へ送信され、この２値の画像データを受信したカラーレーザープリンタ１のプリンタ用ＣＰＵ２２は、画像形成ユニット２０Ｃを用いて、シアン色の高品質の画像を形成する。同様に、記録用紙３に形成する画像の色がマゼンタである場合は、高品質モード用マゼンタディザマトリクス領域１２８ａ６に記憶された高品質モード用マゼンタディザマトリクスを用いて、ＰＣ用ＣＰＵ１２６が多値で形成される画像データを２値の画像データに変換する。この２値の画像データが、ＰＣ１２５からカラーレーザープリンタ１へ送信され、この２値の画像データを受信したカラーレーザープリンタ１のプリンタ用ＣＰＵ２２は、画像形成ユニット２０Ｍを用いて、マゼンタ色の高品質の画像を形成する。記録用紙３に形成する画像の色がイエローである場合は、高品質モード用イエローディザマトリクス領域１２８ａ７に記憶された高品質モード用イエローディザマトリクスを用いて、ＰＣ用ＣＰＵ１２６が多値で形成される画像データを２値の画像データに変換する。この２値の画像データが、ＰＣ１２５からカラーレーザープリンタ１へ送信され、この２値の画像データを受信したカラーレーザープリンタ１のプリンタ用ＣＰＵ２２は、画像形成ユニット２０Ｙを用いて、イエロー色の高品質の画像を形成する。また、記録用紙３に形成する画像の色がブラックである場合は、高品質モード用ブラックディザマトリクス領域１２８ａ８に記憶された高品質モード用ブラックディザマトリクスを用いて、ＰＣ用ＣＰＵ１２６が多値で形成される画像データを２値の画像データに変換する。この２値の画像データが、ＰＣ１２５からカラーレーザープリンタ１へ送信され、この２値の画像データを受信したカラーレーザープリンタ１のプリンタ用ＣＰＵ２２は、画像形成ユニット２０Ｋを用いて、ブラック色の高品質の画像を形成する。
【０１１０】
なお、プリンタドライバ領域１２８ａに記憶される各ディザマトリクスは、ＰＣ用ＨＤＤ１２８に記憶されているので、ＰＣ用ＣＰＵ１２６によって書換えることができる。
【０１１１】
対応濃度データ領域１２８ｂは、基準濃度パッチＣ１〜Ｋ４の測定濃度と略同一の測定濃度を実現する各ディザマトリクスの各設定濃度を記憶するメモリである。なお、基準濃度パッチＣ１〜Ｋ４の測定濃度と略同一の測定濃度とは、基準濃度パッチＣ１〜Ｋ４の測定濃度と同一の測定濃度を含む概念である。
【０１１２】
対応濃度データ領域１２８ｂは、プリンタドライバ領域１２８ａに記憶される各ディザマトリクスに対応して、標準モード用対応濃度シアンデータ領域１２８ｂ１と、標準モード用対応濃度マゼンタデータ領域１２８ｂ２と、標準モード用対応濃度イエローデータ領域１２８ｂ３と、標準モード用対応濃度ブラックデータ領域１２８ｂ４と、高品質モード用対応濃度シアンデータ領域１２８ｂ５と、高品質モード用対応濃度マゼンタデータ領域１２８ｂ６と、高品質モード用対応濃度イエローデータ領域１２８ｂ７と、高品質モード用対応濃度ブラックデータ領域１２８ｂ８との計８つの領域から構成されている。
【０１１３】
標準モード用対応濃度シアンデータ領域１２８ｂ１（標準モード用対応濃度マゼンタデータ領域１２８ｂ２、標準モード用対応濃度イエローデータ領域１２８ｂ３、標準モード用対応濃度ブラックデータ領域１２８ｂ４）には、基準濃度パッチＣ１〜Ｃ４（基準濃度パッチＭ１〜Ｍ４、基準濃度パッチＹ１〜Ｙ４、基準濃度パッチＫ１〜Ｋ４）の各測定濃度と略同一となる測定濃度を実現する標準モード用シアンディザマトリクス（標準モード用マゼンタディザマトリクス、標準モード用イエローディザマトリクス、標準モード用ブラックディザマトリクス）の各設定濃度が記憶されている。
【０１１４】
また、高品質モード用対応濃度シアンデータ領域１２８ｂ５（高品質モード用対応濃度マゼンタデータ領域１２８ｂ６、高品質モード用対応濃度イエローデータ領域１２８ｂ７、高品質モード用対応濃度ブラックデータ領域１２８ｂ８）には、基準濃度パッチＣ１〜Ｃ４（基準濃度パッチＭ１〜Ｍ４、基準濃度パッチＹ１〜Ｙ４、基準濃度パッチＫ１〜Ｋ４）の各測定濃度と略同一となる測定濃度を実現する高品質モード用シアンディザマトリクス（高品質モード用マゼンタディザマトリクス、高品質モード用イエローディザマトリクス、高品質モード用ブラックディザマトリクス）の各設定濃度が記憶されている。
【０１１５】
補正テーブル領域１２８ｃは、カラーレーザープリンタ１へ出力する画像データに基づいて設定される、各ディザマトリクスの設定濃度の補正量を決定する各補正テーブルを記憶する領域である。補正テーブル領域１２８ｃは、プリンタドライバ領域１２８ａに記憶される各ディザマトリクスに対応して、標準モード用シアン補正テーブル領域１２８ｃ１と、標準モード用マゼンタ補正テーブル領域１２８ｃ２と、標準モード用イエロー補正テーブル領域１２８ｃ３と、標準モード用ブラック補正テーブル領域１２８ｃ４と、高品質モード用シアン補正テーブル領域１２８ｃ５と、高品質モード用マゼンタ補正テーブル領域１２８ｃ６と、高品質モード用イエロー補正テーブル領域１２８ｃ７と、高品質モード用ブラック補正テーブル領域１２８ｃ８との計８つの領域から構成される。
【０１１６】
標準モード用シアン補正テーブル領域１２８ｃ１（標準モード用マゼンタ補正テーブル領域１２８ｃ２、標準モード用イエロー補正テーブル領域１２８ｃ３、標準モード用ブラック補正テーブル領域１２８ｃ４）には、カラーレーザープリンタ１へ出力する画像データに基づいて設定される、標準モード用シアンディザマトリクス（標準モード用マゼンタディザマトリクス、標準モード用イエローディザマトリクス、標準モード用ブラックディザマトリクス）の設定濃度の補正量を決定する標準モード用シアン補正テーブル（標準モード用マゼンタ補正テーブル、標準モード用イエロー補正テーブル、標準モード用ブラック補正テーブル）が記憶されている。
【０１１７】
高品質モード用シアン補正テーブル領域１２８ｃ５（高品質モード用マゼンタ補正テーブル領域１２８ｃ６、高品質モード用イエロー補正テーブル領域１２８ｃ６、高品質モード用ブラック補正テーブル領域１２８ｃ８）には、カラーレーザープリンタ１へ出力する画像データに基づいて設定される、高品質モード用シアンディザマトリクス（高品質モード用マゼンタディザマトリクス、高品質モード用イエローディザマトリクス、高品質モード用ブラックディザマトリクス）の設定濃度の補正量を決定する高品質モード用シアン補正テーブル（高品質モード用マゼンタ補正テーブル、高品質モード用イエロー補正テーブル、高品質モード用ブラック補正テーブル）が記憶されている。
【０１１８】
次に、図５を参照して、ＰＣ用ＲＡＭ１２９の内容について説明する。図５は、ＰＣ用ＲＡＭ１２９の内容を示した図である。ＰＣ用ＲＡＭ１２９は、濃度パッチデータメモリ１２９ａと、測定濃度データメモリ１２９ｂと、基準濃度パッチ測定濃度データメモリ１２９ｃと、補間濃度データメモリ１２９ｄと、対応測定データメモリ１２９ｅと、補間データメモリ１２９ｆと、目標データメモリ１２９ｇとを有している。
【０１１９】
濃度パッチデータメモリ１２９ａは、各ディザマトリクスから作成された設定濃度毎の濃度パッチを搬送ベルト６８（図１参照）に形成するための各濃度パッチデータを記憶するメモリである。濃度パッチデータメモリ１２９ａは、各ディザマトリクスから作成された各濃度パッチに対応して、標準モード用シアン濃度パッチデータメモリ１２９ａ１と、標準モード用マゼンタ濃度パッチデータメモリ１２９ａ２と、標準モード用イエロー濃度パッチデータメモリ１２９ａ３と、標準モード用ブラック濃度パッチデータメモリ１２９ａ４と、高品質モード用シアン濃度パッチデータメモリ１２９ａ５と、高品質モード用マゼンタ濃度パッチデータメモリ１２９ａ６と、高品質モード用イエロー濃度パッチデータメモリ１２９ａ７と、高品質モード用ブラック濃度パッチデータメモリ１２９ａ８との計８つのメモリから構成される。
【０１２０】
標準モード用シアン濃度パッチデータメモリ１２９ａ１には、標準モード用シアンディザマトリクスメモリ１２８ａ１に記憶された標準モード用マゼンタディザマトリクスの設定濃度が２０％，４０％，６０％，８０％であるときの２値化された標準モード用マゼンタ濃度パッチデータが記憶されている。
【０１２１】
ここで、図１０を参照して、濃度パッチデータメモリ１２９ａに記憶される濃度パッチデータの一例として、標準モード用シアン濃度パッチデータメモリ１２９ａ１に記憶される標準モード用シアン濃度パッチデータについて説明する。
【０１２２】
図１０は、標準モード用シアン濃度パッチデータメモリ１２９ａ１に記憶された標準モード用シアン濃度パッチデータである各設定濃度毎の標準モード用シアン濃度パッチの形成パターンＣＰ１からＣＰ４を示した図である。
【０１２３】
形成パターンＣＰ１は、図１０（ａ）に示すように、標準モード用シアンディザマトリクスの設定濃度が２０％の時の形成パターンを示しており、形成パターンＣＰ２は、図１０（ｂ）に示すように、標準モード用シアンディザマトリクスの設定濃度が４０％の時の形成パターンを示している。また、形成パターンＣＰ３は、図１０（ｃ）に示すように、標準モード用シアンディザマトリクスの設定濃度が６０％の時の形成パターンを示しており、形成パターンＣＰ４は、図１０（ｄ）に示すように、標準モード用シアンディザマトリクスの設定濃度が８０％の時の形成パターンを示している。
【０１２４】
標準モード用シアン濃度パッチの設定濃度は、標準モード用シアン濃度パッチを搬送ベルト６８（図１参照）に形成する濃度を示している（最小値０％、最大値１００％）。この標準モード用シアン濃度パッチの設定濃度が高くなれば、搬送ベルト６８に形成されるシアン色の濃度が高くなる。一方、標準モード用シアン濃度パッチの設定濃度が低くなれば、搬送ベルト６８に形成されるシアン色の濃度が低くなる。なお、本実施形態では、設定濃度は２０％，４０％，６０％，８０％の計４つである。
【０１２５】
ここで、標準モード用シアン濃度パッチの設定濃度に、最小値０％と最大値１００％が設定されていない理由について説明する。搬送ベルト６８に形成された標準モード用シアン濃度パッチは、濃度測定センサ８０（図１参照）によりその濃度が測定されるが、標準モード用シアン濃度パッチの設定濃度が０％である場合には、濃度測定センサ８０の測定値が最小値となることが分かっており、一方、標準モード用シアン濃度パッチの設定濃度が１００％である場合には、濃度測定センサ８０の測定値が最大値となることが分かっている。よって、搬送ベルト６８に標準モード用シアン濃度パッチを形成して、濃度測定センサ８０によって濃度を測定する必要がないためである。
【０１２６】
図５の説明に戻る。標準モード用マゼンタ濃度パッチデータメモリ１２９ａ２（標準モード用イエロー濃度パッチデータメモリ１２９ａ３、標準モード用ブラック濃度パッチデータメモリ１２９ａ４）には、標準モード用シアン濃度パッチデータメモリ１２９ａ１と同様に、標準モード用マゼンタディザマトリクスメモリ１２８ａ２（標準モード用イエローディザマトリクスメモリ１２８ａ３、標準モード用ブラックディザマトリクスメモリ１２８ａ４）に記憶された標準モード用マゼンタディザマトリクス（標準モード用イエローディザマトリクス、標準モード用ブラックディザマトリクス）の設定濃度が２０％，４０％，６０％，８０％であるときの２値化された標準モード用マゼンタ濃度パッチデータ（標準モード用イエロー濃度パッチデータ、標準モード用ブラック濃度パッチデータ）が記憶されている。
【０１２７】
高品質モード用シアン濃度パッチデータメモリ１２９ａ５（高品質モード用マゼンタ濃度パッチデータメモリ１２９ａ６、高品質モード用イエロー濃度パッチデータメモリ１２９ａ７、高品質モード用ブラック濃度パッチデータメモリ１２９ａ８）には、高品質モード用シアンディザマトリクスメモリ１２８ａ５（高品質モード用マゼンタディザマトリクスメモリ１２８ａ６、高品質モード用イエローディザマトリクスメモリ１２８ａ７、高品質モード用ブラックディザマトリクスメモリ１２８ａ８）に記憶された高品質モード用シアンディザマトリクス（高品質モード用マゼンタディザマトリクス、高品質モード用イエローディザマトリクス、高品質モード用ブラックディザマトリクス）の設定濃度が２０％，４０％，６０％，８０％であるときの２値化された高品質モード用シアン濃度パッチデータ（高品質モード用マゼンタ濃度パッチデータ、高品質モード用イエロー濃度パッチデータ、高品質モード用ブラック濃度パッチデータ）が記憶されている。
【０１２８】
なお、濃度パッチデータメモリ１２９ａに記憶された各濃度パッチデータは、ＰＣ１２５から送信され、その送信された各濃度パッチデータは、カラーレーザープリンタ１の濃度パッチデータプリンタメモリ２５ｃにそれぞれ記憶される。
【０１２９】
測定濃度データメモリ１２９ｂは、各設定濃度毎（各設定濃度は２０％，４０％，６０％，８０％）の各濃度パッチの各測定濃度を、各濃度パッチ毎に記憶するメモリである。具体的には、測定濃度データメモリ１２９ｂには、カラーレーザープリンタ１の測定濃度データプリンタメモリ２５ｄに記憶された各濃度パッチの各測定濃度が、カラーレーザープリンタ１から送信された場合に、その送信された各濃度パッチの各測定濃度が記憶される。
【０１３０】
測定濃度データメモリ１２９ｂは、カラーレーザープリンタ１の測定濃度データプリンタメモリ２５ｄに対応して、標準モード用シアン測定濃度データメモリ１２９ｂ１と、標準モード用マゼンタ測定濃度データメモリ１２９ｂ２と、標準モード用イエロー測定濃度データメモリ１２９ｂ３と、標準モード用ブラック測定濃度データメモリ１２９ｂ４と、高品質モード用シアン測定濃度データメモリ１２９ｂ５と、高品質モード用マゼンタ測定濃度データメモリ１２９ｂ６と、高品質モード用イエロー測定濃度データメモリ１２９ｂ７と、高品質モード用ブラック測定濃度データメモリ１２９ｂ８との計８つのメモリから構成されている。
【０１３１】
標準モード用シアン測定濃度データメモリ１２９ｂ１（標準モード用マゼンタ測定濃度データメモリ１２９ｂ２、標準モード用イエロー測定濃度データメモリ１２９ｂ３、標準モード用ブラック測定濃度データメモリ１２９ｂ４）には、カラーレーザープリンタ１の標準モード用シアン測定濃度データプリンタメモリ２５ｄ１（標準モード用マゼンタ測定濃度データプリンタメモリ２５ｄ２、標準モード用イエロー測定濃度データプリンタメモリ２５ｄ３、標準モード用ブラック測定濃度データプリンタメモリ２５ｄ４）に記憶された標準モード用シアン濃度パッチ（標準モード用マゼンタ濃度パッチ、標準モード用イエロー濃度パッチ、標準モード用ブラック濃度パッチ）の各測定濃度が、カラーレーザープリンタ１から送信された場合に、その送信された標準モード用シアン濃度パッチ（標準モード用マゼンタ濃度パッチ、標準モード用イエロー濃度パッチ、標準モード用ブラック濃度パッチ）の各測定濃度が記憶される。
【０１３２】
高品質モード用シアン測定濃度データメモリ１２９ｂ５（高品質モード用マゼンタ測定濃度データメモリ１２９ｂ６、高品質モード用イエロー測定濃度データメモリ１２９ｂ７、高品質モード用ブラック測定濃度データメモリ１２９ｂ８）には、カラーレーザープリンタ１の高品質モード用シアン測定濃度データプリンタメモリ２５ｄ５（高品質モード用マゼンタ測定濃度データプリンタメモリ２５ｄ６、高品質モード用イエロー測定濃度データプリンタメモリ２５ｄ７、高品質モード用ブラック測定濃度データプリンタメモリ２５ｄ８）に記憶された高品質モード用シアン濃度パッチ（高品質モード用マゼンタ濃度パッチ、高品質モード用イエロー濃度パッチ、高品質モード用ブラック濃度パッチ）の各測定濃度が、カラーレーザープリンタ１から送信された場合に、その送信された高品質モード用シアン濃度パッチ（高品質モード用マゼンタ濃度パッチ、高品質モード用イエロー濃度パッチ、高品質モード用ブラック濃度パッチ）の各測定濃度が記憶される。
【０１３３】
なお、測定濃度データメモリ１２９ｂに記憶される各測定濃度は、カラーレーザープリンタ１の測定濃度データプリンタメモリ２５ｄに記憶された各濃度パッチの各測定濃度が、カラーレーザープリンタ１から送信される度に更新される。
【０１３４】
基準濃度パッチ測定濃度データメモリ１２９ｃは、基準濃度パッチＣ１〜Ｋ４の各測定濃度を、基準濃度パッチＣ１〜Ｋ４毎に記憶するメモリである。具体的には、基準濃度パッチ測定濃度データメモリ１２９ｃには、カラーレーザープリンタ１の基準濃度パッチ測定濃度データプリンタメモリ２５ｂに記憶された基準濃度パッチＣ１〜Ｋ４の各測定濃度が、カラーレーザープリンタ１から送信された場合に、その送信された基準濃度パッチＣ１〜Ｋ４の各測定濃度が記憶される。
【０１３５】
基準濃度パッチ測定濃度データメモリ１２９ｃは、カラーレーザープリンタ１から送信される基準濃度パッチＣ１〜Ｋ４の各測定濃度に対応して、シアン色の基準濃度パッチである基準濃度パッチＣ１〜Ｃ４の各測定濃度を記憶する基準濃度パッチシアン測定濃度データメモリ１２９ｃ１と、マゼンタ色の基準濃度パッチである基準濃度パッチＭ１〜Ｍ４の各測定濃度を記憶する基準濃度パッチマゼンタ測定濃度データメモリ１２９ｃ２と、イエロー色の基準濃度パッチである基準濃度パッチＹ１〜Ｙ４の各測定濃度を記憶する基準濃度パッチイエロー測定濃度データメモリ１２９ｃ３と、ブラック色の基準濃度パッチである基準濃度パッチＫ１〜Ｋ４の各測定濃度を記憶する基準濃度パッチブラック測定濃度データメモリ１２９ｃ４との計４つのメモリから構成されている。
【０１３６】
なお、基準濃度パッチ測定濃度データメモリ１２９ｃに記憶される各測定濃度は、カラーレーザープリンタ１の基準濃度パッチ測定濃度データメモリ２５ｂに記憶された基準濃度パッチＣ１〜Ｋ４の各測定濃度が、カラーレーザープリンタ１から送信される度に更新される。
【０１３７】
補間濃度データメモリ１２９ｄは、測定濃度データメモリ１２９ｂに記憶された各設定濃度毎（各設定濃度は２０％，４０％，６０％，８０％）の各濃度パッチの各測定濃度を、直線補間方法により補間した各測定濃度を各濃度パッチ毎に記憶するメモリである。
【０１３８】
補間濃度データメモリ１２９ｄは、測定濃度データメモリ１２９ｂに記憶された各濃度パッチの各測定濃度に対応して、標準モード用シアン補間濃度データメモリ１２９ｄ１と、標準モード用マゼンタ補間濃度データメモリ１２９ｄ２と、標準モード用イエロー補間濃度データメモリ１２９ｄ３と、標準モード用ブラック補間濃度データメモリ１２９ｄ４と、高品質モード用シアン補間濃度データメモリ１２９ｄ５と、高品質モード用マゼンタ補間濃度データメモリ１２９ｄ６と、高品質モード用イエロー補間濃度データメモリ１２９ｄ７と、高品質モード用ブラック補間濃度データメモリ１２９ｄ８との計８つのメモリから構成されている。
【０１３９】
標準モード用シアン補間濃度データメモリ１２９ｄ１（標準モード用マゼンタ補間濃度データメモリ１２９ｄ２、標準モード用イエロー補間濃度データメモリ１２９ｄ３、標準モード用ブラック補間濃度データメモリ１２９ｄ４）には、標準モード用シアン測定濃度データメモリ１２９ｂ１（標準モード用マゼンタ測定濃度データメモリ１２９ｂ２、標準モード用イエロー測定濃度データメモリ１２９ｂ３、標準モード用ブラック測定濃度データメモリ１２９ｂ４）に記憶された標準モード用シアン測定濃度データ（標準モード用マゼンタ測定濃度データ、標準モード用イエロー測定濃度データ、標準モード用ブラック測定濃度データ）を、直線補間方法により補間したデータである標準モード用シアン補間濃度データ（標準モード用マゼンタ補間濃度データ、標準モード用イエロー補間濃度データ、標準モード用ブラック補間濃度データ）が記憶されている。
【０１４０】
高品質モード用シアン補間濃度データメモリ１２９ｄ５（高品質モード用マゼンタ補間濃度データメモリ１２９ｄ６、高品質モード用イエロー補間濃度データメモリ１２９ｄ７、高品質モード用ブラック補間濃度データメモリ１２９ｄ８）には、高品質モード用シアン測定濃度データメモリ１２９ｂ５（高品質モード用マゼンタ測定濃度データメモリ１２９ｂ６、高品質モード用イエロー測定濃度データメモリ１２９ｂ７、高品質モード用ブラック測定濃度データメモリ１２９ｂ８）に記憶された高品質モード用シアン測定濃度データ（高品質モード用マゼンタ測定濃度データ、高品質モード用イエロー測定濃度データ、高品質モード用ブラック測定濃度データ）を、直線補間方法により補間したデータである高品質モード用シアン補間濃度データ（高品質モード用マゼンタ補間濃度データ、高品質モード用イエロー補間濃度データ、高品質モード用ブラック補間濃度データ）が記憶されている。
【０１４１】
対応測定データメモリ１２９ｅは、対応濃度データ領域１２８ｂに記憶された各ディザマトリクスの各設定濃度と、基準濃度パッチ測定濃度データメモリ１２９ｃに記憶された基準濃度パッチＣ１〜Ｋ４の各測定濃度とを対応付けた対応測定データを記憶するメモリである。
【０１４２】
上述の通り、対応濃度データ領域１２８ｂには、基準濃度パッチＣ１〜Ｋ４の測定濃度と略同一の測定濃度を実現する各ディザマトリクスの各設定濃度が記憶されている。よって、各ディザマトリクスの各設定濃度を対応濃度データ領域１２８ｂに記憶された各設定濃度に設定したときの各測定濃度は、濃度測定センサ８０で測定するまでもなく、基準濃度パッチＣ１〜Ｋ４の各測定濃度と略同一となる。
【０１４３】
従って、各ディザマトリクスの各設定濃度を対応濃度データ領域１２８ｂに記憶された各設定濃度に設定したときの測定濃度を、各基準濃度パッチＣ１〜Ｋ４の各測定濃度に設定することができる。この理由により、対応濃度データ領域１２８ｂに記憶された各設定濃度と、基準濃度パッチ測定濃度データメモリ１２９ｃに記憶された基準濃度パッチＣ１〜Ｋ４の各測定濃度とを対応付けるのである。
【０１４４】
この対応付けにより、各基準濃度パッチＣ１〜Ｋ４のみを濃度測定センサ８０で測定すれば、各ディザマトリクスの各設定濃度を対応濃度データ領域１２８ｂに記憶された各設定濃度としたときの測定濃度を濃度測定センサ８０で測定することなく、その測定濃度を求めることができる。
【０１４５】
対応測定データメモリ１２９ｅは、対応濃度データ領域１２８ｂに記憶された各ディザマトリクスの各設定濃度に対応して、標準モード用対応測定シアンデータメモリ１２９ｅ１と、標準モード用対応測定マゼンタデータメモリ１２９ｅ２と、標準モード用対応測定イエローデータメモリ１２９ｅ３と、標準モード用対応測定ブラックデータメモリ１２９ｅ４と、高品質モード用対応測定シアンデータメモリ１２９ｅ５と、高品質モード用対応測定マゼンタデータメモリ１２９ｅ６と、高品質モード用対応測定イエローデータメモリ１２９ｅ７と、高品質モード用対応測定ブラックデータメモリ１２９ｅ８との計８つのメモリから構成されている。
【０１４６】
標準モード用対応測定シアンデータメモリ１２９ｅ１（標準モード用対応測定マゼンタデータメモリ１２９ｅ２、標準モード用対応測定イエローデータメモリ１２９ｅ３、標準モード用対応測定ブラックデータメモリ１２９ｅ４）には、標準モード用対応濃度シアンデータ領域１２８ｂ１（標準モード用対応濃度マゼンタデータ領域１２８ｂ２、標準モード用対応濃度イエローデータ領域１２８ｂ３、標準モード用対応濃度ブラックデータ領域１２８ｂ４）に記憶された標準モード用シアンディザマトリクス（標準モード用マゼンタディザマトリクス、標準モード用イエローディザマトリクス、標準モード用ブラックディザマトリクス）の各設定濃度と、基準濃度パッチシアン測定濃度データメモリ１２９ｃ１（基準濃度パッチマゼンタ測定濃度データメモリ１２９ｃ２、基準濃度パッチイエロー測定濃度データメモリ１２９ｃ３、基準濃度パッチブラック測定濃度データメモリ１２９ｃ４）に記憶された基準濃度パッチＣ１〜Ｃ４（基準濃度パッチＭ１〜Ｍ４、基準濃度パッチＹ１〜Ｙ４、基準濃度パッチＫ１〜Ｋ４）の測定濃度とを対応付けた標準モード用対応測定シアンデータ（標準モード用対応測定マゼンタデータ、標準モード用対応測定イエローデータ、標準モード用対応測定ブラックデータ）が記憶されている。
【０１４７】
高品質モード用対応測定シアンデータメモリ１２９ｅ５（高品質モード用対応測定マゼンタデータメモリ１２９ｅ６、高品質モード用対応測定イエローデータメモリ１２９ｅ７、高品質モード用対応測定ブラックデータメモリ１２９ｅ８）には、高品質モード用対応濃度シアンデータ領域１２８ｂ５（高品質モード用対応濃度マゼンタデータ領域１２８ｂ６、高品質モード用対応濃度イエローデータ領域１２８ｂ７、高品質モード用対応濃度ブラックデータ領域１２８ｂ８）に記憶された高品質モード用シアンディザマトリクス（高品質モード用マゼンタディザマトリクス、高品質モード用イエローディザマトリクス、高品質モード用ブラックディザマトリクス）の各設定濃度と、基準濃度パッチシアン測定濃度データメモリ１２９ｃ５（基準濃度パッチマゼンタ測定濃度データメモリ１２９ｃ６、基準濃度パッチイエロー測定濃度データメモリ１２９ｃ７、基準濃度パッチブラック測定濃度データメモリ１２９ｃ８）に記憶された基準濃度パッチＣ１〜Ｃ４（基準濃度パッチＭ１〜Ｍ４、基準濃度パッチＹ１〜Ｙ４、基準濃度パッチＫ１〜Ｋ４）の測定濃度とを対応付けた高品質モード用対応測定シアンデータ（高品質モード用対応測定マゼンタデータ、高品質モード用対応測定イエローデータ、高品質モード用対応測定ブラックデータ）が記憶されている。
【０１４８】
補間データメモリ１２９ｆは、対応測定データメモリ１２９ｅに記憶された対応測定データを直線補間方法により補間したデータを記憶するメモリである。補間データメモリ１２９ｆは、対応測定データメモリ１２９ｅに対応して、標準モード用シアン補間データメモリ１２９ｆ１と、標準モード用マゼンタ補間データメモリ１２９ｆ２と、標準モード用イエロー補間データメモリ１２９ｆ３と、標準モード用ブラック補間データメモリ１２９ｆ４と、高品質モード用シアン補間データメモリ１２９ｆ５と、高品質モード用マゼンタ補間データメモリ１２９ｆ６と、高品質モード用イエロー補間データメモリ１２９ｆ７と、高品質モード用ブラック補間データメモリ１２９ｆ８との計８つのメモリから構成されている。
【０１４９】
標準モード用シアン補間データメモリ１２９ｆ１（標準モード用マゼンタ補間データメモリ１２９ｆ２、標準モード用イエロー補間データメモリ１２９ｆ３、標準モード用ブラック補間データメモリ１２９ｆ４）は、標準モード用対応測定シアンデータメモリ１２９ｅ１（標準モード用対応測定マゼンタデータメモリ１２９ｅ２、標準モード用対応測定イエローデータメモリ１２９ｅ３、標準モード用対応測定ブラックデータメモリ１２９ｅ４）に記憶された標準モード用対応測定シアンデータ（標準モード用対応測定マゼンタデータ、標準モード用対応測定イエローデータ、標準モード用対応測定ブラックデータ）を直線補間方法により補間したデータである標準モード用シアン補間データ（標準モード用マゼンタ補間データ、標準モード用イエロー補間データ、標準モード用ブラック補間データ）が記憶されている。
【０１５０】
高品質モード用シアン補間データメモリ１２９ｆ５（高品質モード用マゼンタ補間データメモリ１２９ｆ６、高品質モード用イエロー補間データメモリ１２９ｆ７、高品質モード用ブラック補間データメモリ１２９ｆ８）は、高品質モード用対応測定シアンデータメモリ１２９ｅ５（高品質モード用対応測定マゼンタデータメモリ１２９ｅ６、高品質モード用対応測定イエローデータメモリ１２９ｅ７、高品質モード用対応測定ブラックデータメモリ１２９ｅ８）に記憶された高品質モード用対応測定シアンデータ（高品質モード用対応測定マゼンタデータ、高品質モード用対応測定イエローデータ、高品質モード用対応測定ブラックデータ）を直線補間方法により補間したデータである高品質モード用シアン補間データ（高品質モード用マゼンタ補間データ、高品質モード用イエロー補間データ、高品質モード用ブラック補間データ）が記憶されている。
【０１５１】
目標データメモリ１２９ｇは、各ディザマトリクスの各設定濃度に対して、キャリブレーションの基準となる測定濃度（濃度測定センサ８０で測定された濃度）の目標値を記憶するメモリである。目標データメモリ１２９ｇは、プリンタドライバ領域１２８ａに記憶される各ディザマトリクスに対応して、標準モード用シアン目標データメモリ１２９ｇ１と、標準モード用マゼンタ目標データメモリ１２９ｇ２と、標準モード用イエロー目標データメモリ１２９ｇ３と、標準モード用ブラック目標データメモリ１２９ｇ４と、高品質モード用シアン目標データメモリ１２９ｇ５と、高品質モード用マゼンタ目標データメモリ１２９ｇ６と、高品質モード用イエロー目標データメモリ１２９ｇ７と、高品質モード用ブラック目標データメモリ１２９ｇ８との計８つのメモリから構成されている。
【０１５２】
標準モード用シアン目標データメモリ１２９ｇ１（標準モード用マゼンタ目標データメモリ１２９ｇ２、標準モード用イエロー目標データメモリ１２９ｇ３、標準モード用ブラック目標データメモリ１２９ｇ４）には、標準モード用シアンディザマトリクス（標準モード用マゼンタディザマトリクス、標準モード用イエローディザマトリクス、標準モード用ブラックディザマトリクス）の各設定濃度に対して、キャリブレーションの基準となる測定濃度の目標値が記憶されている。
【０１５３】
高品質モード用シアン目標データメモリ１２９ｇ５（高品質モード用マゼンタ目標データメモリ１２９ｇ６、高品質モード用イエロー目標データメモリ１２９ｇ７、高品質モード用ブラック目標データメモリ１２９ｇ８）には、高品質モード用シアンディザマトリクス（高品質モード用マゼンタディザマトリクス、高品質モード用イエローディザマトリクス、高品質モード用ブラックディザマトリクス）の各設定濃度に対して、キャリブレーションの基準となる測定濃度の目標値が記憶されている。
【０１５４】
図２の説明に戻る。ＰＣ用ネットワークＩ/Ｆ１３０は、ＵＳＢ規格などの通信を行うインターフェースで、入出力ポート１３３に接続されると共に、カラーレーザープリンタ１のプリンタ用ネットワークＩ/Ｆ２８と通信可能に接続される。ＰＣ用ネットワークＩ/Ｆ１３０は、プリンタ用ネットワークＩ／Ｆ２８から出力された各種データやコマンドを受信し、受診したデータやコマンドを入出力ポート１３３を介してＰＣ用ＣＰＵ１２６へ出力する。
【０１５５】
ＰＣ用入力装置１３１は、ＰＣ１２５を操作するための操作子であり、入出力ポート１３３に接続される。ＰＣ用表示装置１３２は、ＰＣ１２５の状態や各種データを表示するための装置であり、入出力ポート１３３に接続される。
【０１５６】
次に、対応濃度データ領域１２８ｂに記憶される対応濃度データをＰＣ１２５及びカラーレーザープリンタ１が分担処理して作成する処理について説明する。最初に、図１１〜図１４を参照して、ＰＣ１２５で実行される処理について説明する。その後、図１５および図１６を参照して、カラーレーザープリンタ１で実行される処理について説明する。
【０１５７】
まず、図１１を参照して、ＰＣ１２５のＰＣ用ＣＰＵ１２６で実行される濃度補正処理について説明する。図１１は、ＰＣ１２５のＰＣ用ＣＰＵ１２６で実行される濃度補正処理を示したフローチャートである。
【０１５８】
濃度補正処理は、プリンタドライバ領域１２８ａに記憶されるプリンタドライバの変更に伴い、プリンタドライバ領域１２８ａに記憶された各ディザマトリクスが変更された否かを判定し、プリンタドライバ領域１２８ａに記憶された各ディザマトリクスが変更された場合には、対応濃度データ領域１２８ｂに記憶されている対応濃度データ（基準濃度パッチＣ１〜Ｋ４の測定濃度と略同一の測定濃度を実現する各ディザマトリクスの各設定濃度）を更新する処理に移行させるための処理である。
【０１５９】
なお、濃度補正処理は、ＰＣ１２５内のＰＣ用ＨＤＤ１２８のプリンタドライバ領域１２８ａに記憶されたプリンタドライバの変更が操作者により指示された場合に実行される。
【０１６０】
濃度補正処理では、まずプリンタドライバ領域１２８ａに記憶されたプリンタドライバの更新を実行し（Ｓ１）、プリンタドライバ領域１２８ａに記憶された各ディザマトリクス（標準モード用シアンディザマトリクス、標準モード用マゼンタディザマトリクス、標準モード用イエローディザマトリクス、標準モード用ブラックディザマトリクス、高品質モード用シアンディザマトリクス、高品質モード用マゼンタディザマトリクス、高品質モード用イエローディザマトリクス、高品質モード用ブラックディザマトリクス）の更新があるか否かを判定する（Ｓ２）。
【０１６１】
各ディザマトリクス（標準モード用シアンディザマトリクス、標準モード用マゼンタディザマトリクス、標準モード用イエローディザマトリクス、標準モード用ブラックディザマトリクス、高品質モード用シアンディザマトリクス、高品質モード用マゼンタディザマトリクス、高品質モード用イエローディザマトリクス、高品質モード用ブラックディザマトリクス）の更新がなければ（Ｓ２：Ｎｏ）、この濃度補正処理を終了する。これは、各ディザマトリクスの変更がなかったので、対応濃度データ領域１２８ｂに記憶された対応濃度データを更新する必要がないためである。
【０１６２】
一方、各ディザマトリクス（標準モード用シアンディザマトリクス、標準モード用マゼンタディザマトリクス、標準モード用イエローディザマトリクス、標準モード用ブラックディザマトリクス、高品質モード用シアンディザマトリクス、高品質モード用マゼンタディザマトリクス、高品質モード用イエローディザマトリクス、高品質モード用ブラックディザマトリクス）の更新があれば（Ｓ２：Ｙｅｓ）、対応濃度データ領域１２８ｂに記憶されている対応濃度データ（基準濃度パッチＣ１〜Ｋ４の測定濃度と略同一の測定濃度を実現する各ディザマトリクスの各設定濃度）を更新する処理である対応濃度作成処理に移行する（Ｓ３）。
【０１６３】
なお、各ディザマトリクスの更新とは、プリンタドライバ領域１２８ａに既に記憶されている各ディザマトリクスが更新された場合のほかに、プリンタドライバ領域１２８ａに各ディザマトリクスが最初に記憶された場合も含んでいる。
【０１６４】
対応濃度作成処理（Ｓ３）が終了すると、対応濃度データ領域１２８ｂに記憶されている対応濃度データ（基準濃度パッチＣ１〜Ｋ４の測定濃度と略同一の測定濃度を実現する各ディザマトリクスの各設定濃度）が更新されるので、この濃度補正処理を終了する。
【０１６５】
次に、図１２を参照して対応濃度作成処理について説明する。図１２は、ＰＣ用ＣＰＵ１２６で実行される対応濃度作成処理のフローチャートを示した図である。対応濃度作成処理は、プリンタドライバの更新によって更新されたディザマトリクスを検索する処理と、更新されたディザマトリクスについて、対応濃度データ領域１２８ｂに記憶する対応濃度データを作成するためにデータを取得する処理とを実行する処理である。
【０１６６】
対応濃度作成処理では、まず標準モードシアンディザマトリクス領域１２８ａ１に記憶された標準モード用シアンディザマトリクスが更新されたか否かを判定し（Ｓ１１）、標準モード用シアンディザマトリクスが更新されていれば（Ｓ１１：Ｙｅｓ）、標準モード用対応濃度シアンデータ領域１２８ｂ１に記憶する標準モード用対応濃度シアンデータを作成するためにデータを取得する処理である標準モード用シアン対応濃度作成処理に移行する（Ｓ１２）。
【０１６７】
一方、標準モード用シアンディザマトリクスが更新されていなければ（Ｓ１１：Ｎｏ）、標準モード用マゼンタディザマトリクス領域１２８ａ２に記憶された標準モード用マゼンタディザマトリクスが更新されたか否かを判定する（Ｓ１３）。
【０１６８】
標準モード用マゼンタディザマトリクスが更新されていれば（Ｓ１３：Ｙｅｓ）、標準モード用対応濃度マゼンタデータ領域１２８ｂ２に記憶する標準モード用対応濃度マゼンタデータを作成するためにデータを取得する処理である標準モード用マゼンタ対応濃度作成処理に移行する（Ｓ１４）。
【０１６９】
一方、標準モード用マゼンタディザマトリクスが更新されていなければ（Ｓ１３：Ｎｏ）、標準モード用イエローディザマトリクス領域１２８ａ３に記憶された標準モード用イエローディザマトリクスが更新されたか否かを判定する（Ｓ１５）。
【０１７０】
標準モード用イエローディザマトリクスが更新されていれば（Ｓ１５：Ｙｅｓ）、標準モード用対応濃度イエローデータ領域１２８ｂ３に記憶する標準モード用対応濃度イエローデータを作成するためにデータを取得する処理である標準モード用イエロー対応濃度作成処理に移行する（Ｓ１６）。
【０１７１】
一方、標準モード用イエローディザマトリクスが更新されていなければ（Ｓ１５：Ｎｏ）、標準モード用ブラックディザマトリクス領域１２８ａ４に記憶された標準モード用ブラックディザマトリクスが更新されたか否かを判定する（Ｓ１７）。
【０１７２】
標準モード用ブラックディザマトリクスが更新されていれば（Ｓ１７：Ｙｅｓ）、標準モード用対応濃度ブラックデータ領域１２８ｂ４に記憶する標準モード用対応濃度ブラックデータを作成するためにデータを取得する処理である標準モード用ブラック対応濃度作成処理に移行する（Ｓ１８）。
【０１７３】
一方、標準モード用ブラックディザマトリクスが更新されていなければ（Ｓ１７：Ｎｏ）、高品質モード用シアンディザマトリクス領域１２８ａ５に記憶された高品質モード用シアンディザマトリクスが更新されたか否かを判定する（Ｓ１９）。
【０１７４】
高品質モード用シアンディザマトリクスが更新されていれば（Ｓ１９：Ｙｅｓ）、高品質モード用対応濃度シアンデータ領域１２８ｂ５に記憶する高品質モード用対応濃度シアンデータを作成するためにデータを取得する処理である高品質モード用シアン対応濃度作成処理に移行する（Ｓ２０）。
【０１７５】
一方、高品質モード用シアンディザマトリクスが更新されていなければ（Ｓ１９：Ｎｏ）、高品質モード用マゼンタディザマトリクス領域１２８ａ６に記憶された高品質モード用マゼンタディザマトリクスが更新されたか否かを判定する（Ｓ２１）。
【０１７６】
高品質モード用マゼンタディザマトリクスが更新されていれば（Ｓ２１：Ｙｅｓ）、高品質モード用対応濃度マゼンタデータ領域１２８ｂ６に記憶する高品質モード用対応濃度マゼンタデータを作成するためにデータを取得する処理である高品質モード用マゼンタ対応濃度作成処理に移行する（Ｓ２２）。
【０１７７】
一方、高品質モード用マゼンタディザマトリクスが更新されていなければ（Ｓ２１：Ｎｏ）、高品質モード用イエローディザマトリクス領域１２８ａ７に記憶された高品質モード用イエローディザマトリクスが更新されたか否かを判定する（Ｓ２３）。
【０１７８】
高品質モード用イエローディザマトリクスが更新されていれば（Ｓ２３：Ｙｅｓ）、高品質モード用対応濃度イエローデータ領域１２８ｂ７に記憶する高品質モード用対応濃度イエローデータを作成するためにデータを取得する処理である高品質モード用イエロー対応濃度作成処理に移行する（Ｓ２４）。
【０１７９】
一方、高品質モード用イエローディザマトリクスが更新されていなければ（Ｓ２３：Ｎｏ）、高品質モード用ブラックディザマトリクス領域１２８ａ８に記憶された高品質モード用ブラックディザマトリクスが更新されたか否かを判定する（Ｓ２５）。
【０１８０】
高品質モード用ブラックディザマトリクスが更新されていれば（Ｓ２５：Ｙｅｓ）、高品質モード用対応濃度ブラックデータ領域１２８ｂ８に記憶する高品質モード用対応濃度ブラックデータを作成するためにデータを取得する処理である高品質モード用ブラック対応濃度作成処理に移行する（Ｓ２６）。
【０１８１】
一方、高品質モード用ブラックディザマトリクスが更新されていなければ（Ｓ２５：Ｎｏ）、全てのディザマトリクス（標準モード用シアンディザマトリクス、標準モード用マゼンタディザマトリクス、標準モード用イエローディザマトリクス、標準モード用ブラックディザマトリクス、高品質モード用シアンディザマトリクス、高品質モード用マゼンタディザマトリクス、高品質モード用イエローディザマトリクス、高品質モード用ブラックディザマトリクス）について、更新されたか否かの判定が終了するので、この対応濃度作成処理を終了する。
【０１８２】
この対応濃度作成処理により、プリンタドライバの更新によって更新されたディザマトリクスを検索する処理と、更新されたディザマトリクスについて、対応濃度データ領域１２８ｂに記憶する対応濃度データを作成するためにデータを取得する処理とを実行することができる。
【０１８３】
次に、図１３を参照して標準モード用シアン対応濃度作成処理について説明する。図１３は、ＰＣ用ＣＰＵ１２６で実行される標準モード用シアン対応濃度作成処理のフローチャートを示した図である。標準モード用シアン対応濃度作成処理は、標準モード用対応濃度シアンデータ領域１２８ｂ１に記憶する標準モード用対応濃度シアンデータを作成するために、標準モード用シアンディザマトリクスを用いて濃度パッチデータを作成し、その作成した濃度パッチデータをカラーレーザープリンタ１へ送信する処理と、カラーレーザープリンタ１から濃度パッチの測定濃度を受信する処理と、カラーレーザープリンタ１から送信されたシアン色の基準濃度パッチＣ１〜Ｃ４の測定濃度を受信する処理とを実行する処理である。
【０１８４】
標準モード用シアン対応濃度作成処理では、まず標準モード用シアンディザマトリクス領域１２８ａ１に記憶された標準モード用シアンディザマトリクスを用いて、設定濃度２０％，４０％，６０％，８０％の時の各標準モード用シアン濃度パッチデータを作成し（図１０参照）、その作成した各標準モード用シアン濃度パッチデータをそれぞれ標準モード用シアン濃度パッチデータメモリ１２９ａ１に記憶する（Ｓ３１）。
【０１８５】
次に、各標準モード用シアン濃度パッチデータに基づいて作成される濃度パッチの濃度をカラーレーザープリンタ１の濃度測定センサ８０で測定させるために、カラーレーザープリンタ１の状態を濃度パッチ測定モードへ移行させるコマンドと、実行中の処理名をカラーレーザープリンタ１へ伝えるために「標準モード用シアン対応濃度作成処理」という文字列とをカラーレーザープリンタ１へ送信する（Ｓ３２）。このコマンドを受信したプリンタ用ＣＰＵ２２は、カラーレーザープリンタ１の状態を濃度パッチを測定する濃度パッチ測定モードへ移行し、ＰＣ１２５から送信される各標準モード用シアン濃度パッチデータを受信可能な状態に設定する。
【０１８６】
Ｓ３２の処理後、標準モード用シアン濃度パッチデータメモリ１２９ａ１に記憶された各標準モード用シアン濃度パッチデータ（設定濃度２０％，４０％，６０％，８０％）をそれぞれプリンタに送信する（Ｓ３３）。この各標準モード用シアン濃度パッチデータを受信したプリンタ用ＣＰＵ２２は搬送ベルト６８に形成パターンＣＰ１〜ＣＰ４からなるシアン濃度パッチを形成し、形成したシアン濃度パッチを濃度測定センサ８０で測定し、その測定濃度をＰＣ１２５へ送信する。
【０１８７】
Ｓ３３の処理後、各標準モード用シアン濃度パッチ（設定濃度２０％，４０％，６０％，８０％）の各測定濃度をカラーレーザープリンタ１から受信したか否かが判定される（Ｓ３４）。各標準モード用シアン濃度パッチの各測定濃度をカラーレーザープリンタ１から受信していない場合は（Ｓ３４：Ｎｏ）、受信が行われるまで、このＳ３４の処理を繰り返し実行する。
【０１８８】
一方、各標準モード用シアン濃度パッチの各測定濃度をカラーレーザープリンタ１から受信した場合には（Ｓ３４：Ｙｅｓ）、受信した各標準モード用シアン濃度パッチ（設定濃度２０％，４０％，６０％，８０％）の各測定濃度を標準モード用シアン測定濃度データメモリ１２９ｂ１にそれぞれ記憶する（Ｓ３５）。
【０１８９】
ここで、図２１を参照して、標準モード用シアン測定濃度データメモリ１２９ｂ１に記憶された各標準モード用シアン濃度パッチの各測定濃度である標準モード用シアン測定濃度データについて説明する。図２１は、標準モード用シアン測定濃度データメモリ１２９ｂ１の内容を示した図である。
【０１９０】
なお、図２１においては、例として、標準モード用シアン測定濃度データメモリ１２９ｂ１に記憶された標準モード用シアン測定濃度データを示しているが、標準モード用マゼンタ測定濃度データメモリ１２９ｂ２に記憶された標準モード用マゼンタ測定濃度データと、標準モード用イエロー測定濃度データメモリ１２９ｂ３に記憶された標準モード用イエロー測定濃度データと、標準モード用ブラック測定濃度データメモリ１２９ｂ４に記憶された標準モード用ブラック測定濃度データと、高品質モード用シアン測定濃度データメモリ１２９ｂ５に記憶された高品質モード用シアン測定濃度データと、高品質モード用マゼンタ測定濃度データメモリ１２９ｂ６に記憶された高品質モード用マゼンタ測定濃度データと、高品質モード用イエロー測定濃度データメモリ１２９ｂ７に記憶された高品質モード用イエロー測定濃度データと、高品質モード用ブラック測定濃度データメモリ１２９ｂ８に記憶された高品質モード用ブラック測定濃度データとは、標準モード用シアン測定濃度データメモリ１２９ｂ１に記憶された標準モード用シアン測定濃度データと同様の構成である。よって、説明を省略する。
【０１９１】
標準モード用シアン測定濃度データメモリ１２９ｂ１に記憶された標準モード用シアン測定濃度データは、図１３に示す標準モード用シアン対応濃度作成処理のＳ３４の処理で受信した各標準モード用シアン濃度パッチ（設定濃度２０％，４０％，６０％，８０％）の各測定濃度を示している。よって、標準モード用シアン濃度パッチの設定濃度が２０％である場合にカラーレーザープリンタ１の濃度測定センサ８０で測定された測定濃度は「０．１２」である。また、標準モード用シアン濃度パッチの設定濃度が４０％である場合にカラーレーザープリンタ１の濃度測定センサ８０で測定された測定濃度は「０．２１」であり、標準モード用シアン濃度パッチの設定濃度が６０％である場合にカラーレーザープリンタ１の濃度測定センサ８０で測定された測定濃度は「０．３４」であり、標準モード用シアン濃度パッチの設定濃度が８０％である場合にカラーレーザープリンタ１の濃度測定センサ８０で測定された測定濃度は「０．５４」である。
【０１９２】
このように、標準モード用シアン測定濃度データメモリ１２９ｂ１に記憶された標準モード用シアン測定濃度データは、カラーレーザープリンタ１から受信した各標準モード用シアン濃度パッチ（設定濃度２０％，４０％，６０％，８０％）の各測定濃度から構成されている。
【０１９３】
図１３の説明に戻る。Ｓ３５の処理後、シアン色の各基準濃度パッチＣ１〜Ｃ４の濃度測定センサ８０による濃度測定をカラーレーザープリンタ１に実行させるコマンドをプリンタへ送信する（Ｓ３６）。このコマンドを受信したプリンタ用ＣＰＵ２２は、シアン色の各基準濃度パッチＣ１〜Ｃ４を搬送ベルト６８に形成し、形成した基準濃度パッチＣ１〜Ｃ４を濃度測定センサ８０で測定し、その測定濃度をＰＣ１２５へ送信する。
【０１９４】
Ｓ３６の処理後、シアン色の基準濃度パッチＣ１〜Ｃ４の各測定濃度をカラーレーザープリンタ１から受信したか否かが判定される（Ｓ３７）。シアン色の各基準濃度パッチＣ１〜Ｃ４の各測定濃度をカラーレーザープリンタ１から受信していない場合は（Ｓ３７：Ｎｏ）、受信が行われるまで、このＳ３７の処理を繰り返し実行する。
【０１９５】
一方、シアン色の各基準濃度パッチＣ１〜Ｃ４の各測定濃度をカラーレーザープリンタ１から受信した場合には（Ｓ３７：Ｙｅｓ）、受信したシアン色の各基準濃度パッチＣ１〜Ｃ４の各測定濃度を基準濃度パッチシアン測定濃度データメモリ１２９ｃ１にそれぞれ記憶し（Ｓ３８）、標準モード用シアン測定濃度検索処理に移行する（Ｓ３９）。標準モード用シアン測定濃度検索処理が終了すると、この標準モード用シアン対応濃度作成処理も終了する。
【０１９６】
ここで、図２２を参照して、基準濃度パッチシアン測定濃度データメモリ１２９ｃ１に記憶されたシアン色の基準濃度パッチＣ１〜Ｃ４の各測定濃度である基準濃度パッチシアン測定濃度データについて説明する。図２２は、基準濃度パッチシアン測定濃度データメモリ１２９ｃ１の内容を示した図である。
【０１９７】
なお、図２２においては、例として、基準濃度パッチシアン測定濃度データメモリ１２９ｃ１に記憶された基準濃度パッチシアン測定濃度データを示しているが、基準濃度パッチマゼンタ測定濃度データメモリ１２９ｃ２に記憶された基準濃度パッチマゼンタ測定濃度データと、基準濃度パッチイエロー測定濃度データメモリ１２９ｃ３に記憶された基準濃度パッチイエロー測定濃度データと、基準濃度パッチブラック測定濃度データメモリ１２９ｃ４に記憶された基準濃度パッチブラック測定濃度データとは、基準濃度パッチシアン測定濃度データメモリ１２９ｃ１に記憶された基準濃度パッチシアン測定濃度データと同様の構成である。よって、説明を省略する。
【０１９８】
基準濃度パッチシアン測定濃度データメモリ１２９ｃ１に記憶された基準濃度パッチシアン測定濃度データは、図１３に示す標準モード用シアン対応濃度作成処理のＳ３７の処理で受信した基準濃度パッチＣ１〜Ｃ４の各測定濃度を示している。よって、基準濃度パッチＣ１（設定濃度２０％）がカラーレーザープリンタ１の濃度測定センサ８０で測定された測定濃度は「０．１５」である。また、基準濃度パッチＣ２（設定濃度４０％）がカラーレーザープリンタ１の濃度測定センサ８０で測定された測定濃度は「０．２５」であり、基準濃度パッチＣ３（設定濃度６０％）がカラーレーザープリンタ１の濃度測定センサ８０で測定された測定濃度は「０．４０」であり、基準濃度パッチＣ４（設定濃度８０％）がカラーレーザープリンタ１の濃度測定センサ８０で測定された測定濃度は「０．６２」である。
【０１９９】
このように、基準濃度パッチシアン測定濃度データメモリ１２９ｃ１に記憶された基準濃度パッチシアン測定濃度データは、受信したシアン色の基準濃度パッチＣ１〜Ｃ４の各測定濃度から構成されている。
【０２００】
図１３の説明に戻る。図１３に示す標準モード用シアン対応濃度作成処理によって、図２１に示す標準モード用シアン測定濃度データメモリ１２９ｂ１に記憶される標準モード用シアン測定濃度データと、基準濃度パッチシアン測定濃度データメモリ１２９ｃ１に記憶される基準濃度パッチシアン測定濃度データとを作成することができる。
【０２０１】
なお、図１３に示す標準モード用シアン対応濃度作成処理の処理方法と、図１２に示す標準モード用マゼンタ対応濃度作成処理（Ｓ１４）、標準モード用イエロー対応濃度作成処理（Ｓ１６）、標準モード用ブラック対応濃度作成処理（Ｓ１８）、高品質モード用シアン対応濃度作成処理（Ｓ２０）、高品質モード用マゼンタ対応濃度作成処理（Ｓ２２）、高品質モード用イエロー対応濃度作成処理（Ｓ２４）および高品質モード用ブラック対応濃度作成処理（Ｓ２６）の各処理の処理方法とは同じである。
【０２０２】
よって、図１２に示す標準モード用マゼンタ対応濃度作成処理（Ｓ１４）、標準モード用イエロー対応濃度作成処理（Ｓ１６）、標準モード用ブラック対応濃度作成処理（Ｓ１８）、高品質モード用シアン対応濃度作成処理（Ｓ２０）、高品質モード用マゼンタ対応濃度作成処理（Ｓ２２）、高品質モード用イエロー対応濃度作成処理（Ｓ２４）および高品質モード用ブラック対応濃度作成処理（Ｓ２６）の各処理については、図１３に示す標準モード用シアン対応濃度作成処理（Ｓ１２）と異なる処理の内容のみを説明する。
【０２０３】
図１２に示す標準モード用マゼンタ対応濃度作成処理（Ｓ１４）（標準モード用イエロー対応濃度作成処理（Ｓ１６）、標準モード用ブラック対応濃度作成処理（Ｓ１８））は、標準モード用対応濃度マゼンタデータ領域１２８ｂ２（標準モード用対応濃度イエローデータ領域１２８ｂ３、標準モード用対応濃度ブラックデータ領域１２８ｂ４）に記憶する標準モード用対応濃度マゼンタデータ（標準モード用対応濃度イエローデータ、標準モード用対応濃度ブラックデータ）を作成するために、標準モード用マゼンタディザマトリクス（標準モード用イエローディザマトリクス、標準モード用ブラックディザマトリクス）を用いて濃度パッチデータを作成し、その作成した濃度パッチデータをカラーレーザープリンタ１へ送信する処理と、カラーレーザープリンタ１から濃度パッチの測定濃度を受信する処理と、カラーレーザープリンタ１から送信された基準濃度パッチＭ１〜Ｍ４（基準濃度パッチＹ１〜Ｙ４、基準濃度パッチＫ１〜Ｋ４）の測定濃度を受信する処理とを実行する処理である。
【０２０４】
標準モード用マゼンタ対応濃度作成処理（Ｓ１４）（標準モード用イエロー対応濃度作成処理（Ｓ１６）、標準モード用ブラック対応濃度作成処理（Ｓ１８））では、図１３に示す標準モード用シアン対応濃度作成処理のＳ３１の処理が、「標準モード用マゼンタディザマトリクス領域１２８ａ２（標準モード用イエローディザマトリクス領域１２８ａ３、標準モード用ブラックディザマトリクス領域１２８ａ４）に記憶された標準モード用マゼンタディザマトリクス（標準モード用イエローディザマトリクス、標準モード用ブラックディザマトリクス）を用いて、設定濃度２０％，４０％，６０％，８０％の時の各標準モード用マゼンタ濃度パッチデータ（各標準モード用イエロー濃度パッチデータ、各標準モード用ブラック濃度パッチデータ）を作成し、その作成した各標準モード用マゼンタ濃度パッチデータ（各標準モード用イエロー濃度パッチデータ、各標準モード用ブラック濃度パッチデータ）をそれぞれ標準モード用マゼンタ濃度パッチデータメモリ１２９ａ２（標準モード用イエロー濃度パッチデータメモリ１２９ａ３、標準モード用ブラック濃度パッチデータメモリ１２９ａ４）に記憶する」となる。
【０２０５】
次に、標準モード用マゼンタ対応濃度作成処理（Ｓ１４）（標準モード用イエロー対応濃度作成処理（Ｓ１６）、標準モード用ブラック対応濃度作成処理（Ｓ１８））では、図１３に示す標準モード用シアン対応濃度作成処理のＳ３２の処理が、「カラーレーザープリンタ１の状態を濃度パッチ測定モードへ移行させるコマンドと、実行中の処理名をカラーレーザープリンタ１へ伝えるために「標準モード用マゼンタ対応濃度作成処理」という文字列（「標準モード用イエロー対応濃度作成処理」という文字列、「標準モード用ブラック対応濃度作成処理」という文字列）とをカラーレーザープリンタ１へ送信する」となる。
【０２０６】
次に、標準モード用マゼンタ対応濃度作成処理（Ｓ１４）（標準モード用イエロー対応濃度作成処理（Ｓ１６）、標準モード用ブラック対応濃度作成処理（Ｓ１８））では、図１３に示す標準モード用シアン対応濃度作成処理のＳ３３の処理が、「標準モード用マゼンタ濃度パッチデータメモリ１２９ａ２（標準モード用イエロー濃度パッチデータメモリ１２９ａ３、標準モード用ブラック濃度パッチデータメモリ１２９ａ４）に記憶された各標準モード用マゼンタ濃度パッチデータ（各標準モード用イエロー濃度パッチデータ、各標準モード用ブラック濃度パッチデータ）（設定濃度２０％，４０％，６０％，８０％）をそれぞれプリンタに送信する」となる。
【０２０７】
次に、標準モード用マゼンタ対応濃度作成処理（Ｓ１４）（標準モード用イエロー対応濃度作成処理（Ｓ１６）、標準モード用ブラック対応濃度作成処理（Ｓ１８））では、図１３に示す標準モード用シアン対応濃度作成処理のＳ３４の処理が、「各標準モード用マゼンタ濃度パッチ（各標準モード用イエロー濃度パッチ、各標準モード用ブラック濃度パッチ）の各設定濃度をカラーレーザープリンタ１から受信したか」となる。
【０２０８】
次に、標準モード用マゼンタ対応濃度作成処理（Ｓ１４）（標準モード用イエロー対応濃度作成処理（Ｓ１６）、標準モード用ブラック対応濃度作成処理（Ｓ１８））では、図１３に示す標準モード用シアン対応濃度作成処理のＳ３５の処理が、「受信した各標準モード用マゼンタ濃度パッチ（各標準モード用イエロー濃度パッチ、各標準モード用ブラック濃度パッチ）の各測定濃度を標準モード用マゼンタ測定濃度データメモリ１２９ｂ２（標準モード用イエロー測定濃度データメモリ１２９ｂ３、標準モード用ブラック測定濃度データメモリ１２９ｂ４）にそれぞれ記憶する」となる。
【０２０９】
次に、標準モード用マゼンタ対応濃度作成処理（Ｓ１４）（標準モード用イエロー対応濃度作成処理（Ｓ１６）、標準モード用ブラック対応濃度作成処理（Ｓ１８））では、図１３に示す標準モード用シアン対応濃度作成処理のＳ３６の処理が、「各基準濃度パッチＭ１〜Ｍ４（各基準濃度パッチＹ１〜Ｙ４、各基準濃度パッチＫ１〜Ｋ４）の濃度測定センサ８０による濃度測定をカラーレーザープリンタ１に実行させるコマンドをプリンタへ送信する」となる。
【０２１０】
次に、標準モード用マゼンタ対応濃度作成処理（Ｓ１４）（標準モード用イエロー対応濃度作成処理（Ｓ１６）、標準モード用ブラック対応濃度作成処理（Ｓ１８））では、図１３に示す標準モード用シアン対応濃度作成処理のＳ３７の処理が、「各基準濃度パッチＭ１〜Ｍ４（各基準濃度パッチＹ１〜Ｙ４、各基準濃度パッチＫ１〜Ｋ４）の各測定濃度をカラーレーザープリンタ１から受信したか」となる。
【０２１１】
次に、標準モード用マゼンタ対応濃度作成処理（Ｓ１４）（標準モード用イエロー対応濃度作成処理（Ｓ１６）、標準モード用ブラック対応濃度作成処理（Ｓ１８））では、図１３に示す標準モード用シアン対応濃度作成処理のＳ３８の処理が、「受信した各基準濃度パッチＭ１〜Ｍ４（各基準濃度パッチＹ１〜Ｙ４、各基準濃度パッチＫ１〜Ｋ４）の各測定濃度を基準濃度パッチマゼンタ測定濃度データメモリ１２９ｃ２（基準濃度パッチイエロー測定濃度データメモリ１２９ｃ３、基準濃度パッチブラック測定濃度データメモリ１２９ｃ４）にそれぞれ記憶する」となる。
【０２１２】
最後に、標準モード用マゼンタ対応濃度作成処理（Ｓ１４）（標準モード用イエロー対応濃度作成処理（Ｓ１６）、標準モード用ブラック対応濃度作成処理（Ｓ１８））では、図１３に示す標準モード用シアン対応濃度作成処理のＳ３９の処理が、「標準モード用マゼンタ対応濃度検索処理（標準モード用イエロー対応濃度検索処理、標準モード用ブラック対応濃度検索処理）」となる。
【０２１３】
上記の標準モード用マゼンタ対応濃度作成処理（標準モード用イエロー対応濃度作成処理、標準モード用ブラック対応濃度作成処理）によって、標準モード用マゼンタ測定濃度データメモリ１２９ｂ２（標準モード用イエロー測定濃度データメモリ１２９ｂ３、標準モード用ブラック測定濃度データメモリ１２９ｂ４）に記憶される標準モード用マゼンタ測定濃度データ（標準モード用イエロー測定濃度データ、標準モード用ブラック測定濃度データ）と、基準濃度パッチマゼンタ測定濃度データメモリ１２９ｃ２（基準濃度パッチイエロー測定濃度データメモリ１２９ｃ３、基準濃度パッチブラック測定濃度データメモリ１２９ｃ４）に記憶される基準濃度パッチマゼンタ測定濃度データ（基準濃度パッチイエロー測定濃度データ、基準濃度パッチブラック測定濃度データ）とを作成することができる。
【０２１４】
図１２に示す高品質モード用シアン対応濃度作成処理（Ｓ２２）（高品質モード用マゼンタ対応濃度作成処理（Ｓ２４）、高品質モード用イエロー対応濃度作成処理（Ｓ２６）、高品質モード用ブラック対応濃度作成処理（Ｓ２８））は、高品質モード用対応濃度シアンデータ領域１２８ｂ５（高品質モード用対応濃度マゼンタデータ領域１２８ｂ６、高品質モード用対応濃度イエローデータ領域１２８ｂ７、高品質モード用対応濃度ブラックデータ領域１２８ｂ８）に記憶する高品質モード用対応濃度シアンデータ（高品質モード用対応濃度マゼンタデータ、高品質モード用対応濃度イエローデータ、高品質モード用対応濃度ブラックデータ）を作成するために、高品質モード用シアンディザマトリクス（高品質モード用マゼンタディザマトリクス、高品質モード用イエローディザマトリクス、高品質モード用ブラックディザマトリクス）を用いて濃度パッチデータを作成し、その作成した濃度パッチデータをカラーレーザープリンタ１へ送信する処理と、カラーレーザープリンタ１から濃度パッチの測定濃度を受信する処理と、カラーレーザープリンタ１から送信された基準濃度パッチＣ１〜Ｃ４（基準濃度パッチＭ１〜Ｍ４、基準濃度パッチＹ１〜Ｙ４、基準濃度パッチＫ１〜Ｋ４）の測定濃度を受信する処理とを実行する処理である。
【０２１５】
高品質モード用シアン対応濃度作成処理（Ｓ２２）（高品質モード用マゼンタ対応濃度作成処理（Ｓ２４）、高品質モード用イエロー対応濃度作成処理（Ｓ２６）、高品質モード用ブラック対応濃度作成処理（Ｓ２８））では、図１３に示す標準モード用シアン対応濃度作成処理のＳ３１の処理が、「高品質モード用シアンディザマトリクス領域１２８ａ５（高品質モード用マゼンタディザマトリクス領域１２８ａ６、高品質モード用イエローディザマトリクス領域１２８ａ７、高品質モード用ブラックディザマトリクス領域１２８ａ８）に記憶された高品質モード用シアンディザマトリクス（高品質モード用マゼンタディザマトリクス、高品質モード用イエローディザマトリクス、高品質モード用ブラックディザマトリクス）を用いて、設定濃度２０％，４０％，６０％，８０％の時の各高品質モード用シアン濃度パッチデータ（各高品質モード用マゼンタ濃度パッチデータ、各高品質モード用イエロー濃度パッチデータ、各高品質モード用ブラック濃度パッチデータ）を作成し、その作成した各高品質モード用シアン濃度パッチデータ（各高品質モード用マゼンタ濃度パッチデータ、各高品質モード用イエロー濃度パッチデータ、各高品質モード用ブラック濃度パッチデータ）をそれぞれ高品質モード用シアン濃度パッチデータメモリ１２９ａ５（高品質モード用マゼンタ濃度パッチデータメモリ１２９ａ６、高品質モード用イエロー濃度パッチデータメモリ１２９ａ７、高品質モード用ブラック濃度パッチデータメモリ１２９ａ８）に記憶する」となる。
【０２１６】
次に、高品質モード用シアン対応濃度作成処理（Ｓ２２）（高品質モード用マゼンタ対応濃度作成処理（Ｓ２４）、高品質モード用イエロー対応濃度作成処理（Ｓ２６）、高品質モード用ブラック対応濃度作成処理（Ｓ２８））では、図１３に示す標準モード用シアン対応濃度作成処理のＳ３２の処理が、「カラーレーザープリンタ１の状態を濃度パッチ測定モードへ移行させるコマンドと、実行中の処理名をカラーレーザープリンタ１へ伝えるために「高品質モード用シアン対応濃度作成処理」という文字列（「高品質モード用マゼンタ対応濃度作成処理」という文字列、「高品質モード用イエロー対応濃度作成処理」という文字列、「高品質モード用ブラック対応濃度作成処理」という文字列）とをカラーレーザープリンタ１へ送信する」となる。
【０２１７】
次に、高品質モード用シアン対応濃度作成処理（Ｓ２２）（高品質モード用マゼンタ対応濃度作成処理（Ｓ２４）、高品質モード用イエロー対応濃度作成処理（Ｓ２６）、高品質モード用ブラック対応濃度作成処理（Ｓ２８））では、図１３に示す標準モード用シアン対応濃度作成処理のＳ３３の処理が、「高品質モード用シアン濃度パッチデータメモリ１２９ａ５（高品質モード用マゼンタ濃度パッチデータメモリ１２９ａ６、高品質モード用イエロー濃度パッチデータメモリ１２９ａ７、高品質モード用ブラック濃度パッチデータメモリ１２９ａ８）に記憶された各高品質モード用シアン濃度パッチデータ（各高品質モード用マゼンタ濃度パッチデータ、各高品質モード用イエロー濃度パッチデータ、各高品質モード用ブラック濃度パッチデータ）（設定濃度２０％，４０％，６０％，８０％）をそれぞれプリンタに送信する」となる。
【０２１８】
次に、高品質モード用シアン対応濃度作成処理（Ｓ２２）（高品質モード用マゼンタ対応濃度作成処理（Ｓ２４）、高品質モード用イエロー対応濃度作成処理（Ｓ２６）、高品質モード用ブラック対応濃度作成処理（Ｓ２８））では、図１３に示す標準モード用シアン対応濃度作成処理のＳ３４の処理が、「各高品質モード用シアン濃度パッチ（各高品質モード用マゼンタ濃度パッチ、各高品質モード用イエロー濃度パッチ、各高品質モード用ブラック濃度パッチ）の各設定濃度をカラーレーザープリンタ１から受信したか」となる。
【０２１９】
次に、高品質モード用シアン対応濃度作成処理（Ｓ２２）（高品質モード用マゼンタ対応濃度作成処理（Ｓ２４）、高品質モード用イエロー対応濃度作成処理（Ｓ２６）、高品質モード用ブラック対応濃度作成処理（Ｓ２８））では、図１３に示す標準モード用シアン対応濃度作成処理のＳ３５の処理が、「受信した各高品質モード用シアン濃度パッチ（各高品質モード用マゼンタ濃度パッチ、各高品質モード用イエロー濃度パッチ、各高品質モード用ブラック濃度パッチ）の各測定濃度を高品質モード用シアン測定濃度データメモリ１２９ｂ５（高品質モード用マゼンタ測定濃度データメモリ１２９ｂ６、高品質モード用イエロー測定濃度データメモリ１２９ｂ７、高品質モード用ブラック測定濃度データメモリ１２９ｂ８）にそれぞれ記憶する」となる。
【０２２０】
次に、高品質モード用シアン対応濃度作成処理（Ｓ２２）（高品質モード用マゼンタ対応濃度作成処理（Ｓ２４）、高品質モード用イエロー対応濃度作成処理（Ｓ２６）、高品質モード用ブラック対応濃度作成処理（Ｓ２８））では、図１３に示す標準モード用シアン対応濃度作成処理のＳ３６の処理が、「各基準濃度パッチＣ１〜Ｃ４（各基準濃度パッチＭ１〜Ｍ４、各基準濃度パッチＹ１〜Ｙ４、各基準濃度パッチＫ１〜Ｋ４）の濃度測定センサ８０による濃度測定をカラーレーザープリンタ１に実行させるコマンドをプリンタへ送信する」となる。
【０２２１】
次に、高品質モード用シアン対応濃度作成処理（Ｓ２２）（高品質モード用マゼンタ対応濃度作成処理（Ｓ２４）、高品質モード用イエロー対応濃度作成処理（Ｓ２６）、高品質モード用ブラック対応濃度作成処理（Ｓ２８））では、図１３に示す標準モード用シアン対応濃度作成処理のＳ３７の処理が、「各基準濃度パッチＣ１〜Ｃ４（各基準濃度パッチＭ１〜Ｍ４、各基準濃度パッチＹ１〜Ｙ４、各基準濃度パッチＫ１〜Ｋ４）の各測定濃度をカラーレーザープリンタ１から受信したか」となる。
【０２２２】
次に、高品質モード用シアン対応濃度作成処理（Ｓ２２）（高品質モード用マゼンタ対応濃度作成処理（Ｓ２４）、高品質モード用イエロー対応濃度作成処理（Ｓ２６）、高品質モード用ブラック対応濃度作成処理（Ｓ２８））では、図１３に示す標準モード用シアン対応濃度作成処理のＳ３８の処理が、「受信した各基準濃度パッチＣ１〜Ｃ４（各基準濃度パッチＭ１〜Ｍ４、各基準濃度パッチＹ１〜Ｙ４、各基準濃度パッチＫ１〜Ｋ４）の各測定濃度を基準濃度パッチシアン測定濃度データメモリ１２９ｃ１（基準濃度パッチマゼンタ測定濃度データメモリ１２９ｃ２、基準濃度パッチイエロー測定濃度データメモリ１２９ｃ３、基準濃度パッチブラック測定濃度データメモリ１２９ｃ４）にそれぞれ記憶する」となる。
【０２２３】
最後に、高品質モード用シアン対応濃度作成処理（Ｓ２２）（高品質モード用マゼンタ対応濃度作成処理（Ｓ２４）、高品質モード用イエロー対応濃度作成処理（Ｓ２６）、高品質モード用ブラック対応濃度作成処理（Ｓ２８））では、図１３に示す標準モード用シアン対応濃度作成処理のＳ３９の処理が、「高品質モード用シアン対応濃度検索処理（高品質モード用マゼンタ対応濃度検索処理、高品質モード用イエロー対応濃度検索処理、高品質モード用ブラック対応濃度検索処理）」となる。
【０２２４】
上記の高品質モード用シアン対応濃度作成処理（高品質モード用マゼンタ対応濃度作成処理、高品質モード用イエロー対応濃度作成処理、高品質モード用ブラック対応濃度作成処理）によって、高品質モード用シアン測定濃度データメモリ１２９ｂ５（高品質モード用マゼンタ測定濃度データメモリ１２９ｂ６、高品質モード用イエロー測定濃度データメモリ１２９ｂ７、高品質モード用ブラック測定濃度データメモリ１２９ｂ８）に記憶される高品質モード用シアン測定濃度データ（高品質モード用マゼンタ測定濃度データ、高品質モード用イエロー測定濃度データ、高品質モード用ブラック測定濃度データ）と、基準濃度パッチシアン測定濃度データメモリ１２９ｃ１（基準濃度パッチマゼンタ測定濃度データメモリ１２９ｃ２、基準濃度パッチイエロー測定濃度データメモリ１２９ｃ３、基準濃度パッチブラック測定濃度データメモリ１２９ｃ４）に記憶される基準濃度パッチシアン測定濃度データ（基準濃度パッチマゼンタ測定濃度データ、基準濃度パッチイエロー測定濃度データ、基準濃度パッチブラック測定濃度データ）とを作成することができる。
【０２２５】
次に、図１４を参照して、標準モード用シアン対応濃度検索処理について説明する。図１４は、ＰＣ用ＣＰＵ１２６で実行される標準モード用シアン対応濃度検索処理のフローチャートを示した図である。標準モード用シアン対応濃度検索処理は、図１３に示す標準モード用シアン対応濃度作成処理によって作成された標準モード用シアン測定濃度データと、基準濃度パッチシアン測定濃度データとを用いて、標準モード用対応濃度シアンデータ領域１２８ｂ１に記憶する標準モード用対応濃度シアンデータを作成する処理である。
【０２２６】
標準モード用シアン対応濃度検索処理では、まず標準モード用シアン測定濃度データメモリ１２９ｂ１に記憶された各標準モード用シアン濃度パッチの各測定濃度を（図２１参照）、直線補間方法により設定濃度０．１％刻みで補間し、標準モード用シアン補間濃度データメモリ１２９ｄ１に記憶する（Ｓ４０）。
【０２２７】
ここで、図２３を用いて、標準モード用シアン補間濃度データメモリ１２９ｄ１に記憶される標準モード用シアン補間濃度データ（標準モード用シアン濃度パッチの各測定濃度）を補間した標準モード用シアン補間濃度データについて説明する。図２３は、標準モード用シアン補間濃度データメモリ１２９ｄ１の内容を示した図である。
【０２２８】
なお、図２３においては、例として、標準モード用シアン補間濃度データメモリ１２９ｄ１に記憶される標準モード用シアン補間濃度データを示しているが、標準モード用マゼンタ補間濃度データメモリ１２９ｄ２に記憶される標準モード用マゼンタ補間濃度データと、標準モード用イエロー補間濃度データメモリ１２９ｄ３に記憶される標準モード用イエロー補間濃度データと、標準モード用ブラック補間濃度データメモリ１２９ｄ４に記憶される標準モード用ブラック補間濃度データと、高品質モード用シアン補間濃度データメモリ１２９ｄ５に記憶される高品質モード用シアン補間濃度データと、高品質モード用マゼンタ補間濃度データメモリ１２９ｄ６に記憶される高品質モード用マゼンタ補間濃度データと、高品質モード用イエロー補間濃度データメモリ１２９ｄ７に記憶される高品質モード用イエロー補間濃度データと、高品質モード用ブラック補間濃度データメモリ１２９ｄ８に記憶される高品質モード用ブラック補間濃度データとは、標準モード用シアン補間濃度データメモリ１２９ｄ１に記憶される標準モード用シアン補間濃度データと同様の構成である。よって、説明を省略する。
【０２２９】
図２３に示すように、標準モード用シアン補間濃度データメモリ１２９ｄ１には、標準モード用シアン測定濃度データメモリ１２９ｂ１に記憶された標準モード用シアン補間濃度データ（各標準モード用シアン濃度パッチの各測定濃度）を直線補間方法により補間した値である標準モード用シアン補間濃度データが記憶される。なお、補間方法には、直線補間方法に代えて、スプライン補間方法を用いてもよい。
【０２３０】
直線補間方法により、標準モード用シアン濃度パッチの各設定濃度は、ゼロ（％）から１００（％）まで０．１（％）刻みで設定され、その各設定濃度に応じた標準モード用シアン濃度パッチの各測定濃度が標準モード用シアン補間濃度データとして標準モード用シアン補間濃度データメモリ１２９ｄ１に記憶される。この標準モード用シアン補間濃度データによれば、例えば、標準モード用シアン濃度パッチの測定濃度が２５．８（％）の場合には、標準モード用シアン濃度パッチの測定濃度は０．１５０１となることが分かる。また、標準モード用シアン濃度パッチの測定濃度が４９．１（％）の場合には、標準モード用シアン濃度パッチの測定濃度は０．２５０８となることが分かる。
【０２３１】
このように、標準モード用シアン測定濃度データメモリ１２９ｂ１に記憶された標準モード用シアン補間濃度データ（各標準モード用シアン濃度パッチの各測定濃度）を直線補間方法により補間して、標準モード用シアン補間濃度データを算出することで、図１４に示す標準モード用シアン対応濃度検索処理の後述するＳ４５の処理で基準濃度パッチシアン測定濃度データメモリ１２９ｃ１に記憶された基準濃度パッチシアン測定濃度データとの比較を容易にすることができる。
【０２３２】
図１４の説明に戻る。Ｓ４０の処理後、シアン色の基準濃度パッチの設定濃度であるＸを２０％に設定し（Ｓ４１）、シアン色の基準濃度パッチの設定濃度が２０％に該当する基準濃度パッチＣ１の測定濃度を、基準濃度パッチシアン測定濃度データメモリ１２９ｃ１から取得する（Ｓ４２、図２２参照）。
【０２３３】
そして、標準モード用シアン濃度パッチの設定濃度であるＮをゼロに設定し（Ｓ４３）、設定濃度がゼロ（％）のときの標準モード用シアン濃度パッチの補間した測定濃度を、標準モード用シアン補間濃度データメモリ１２９ｄ１から取得する（Ｓ４４、図２３参照）。
【０２３４】
次に、取得した設定濃度ゼロ（％）のときの標準モード用シアン濃度パッチの補間した測定濃度は、Ｓ４２の処理で取得した設定濃度２０（％）のシアン色の基準濃度パッチＣ１の測定濃度以上か否かが判定される（Ｓ４５）。
【０２３５】
Ｓ４５の処理においては、標準モード用シアン濃度パッチの補間した測定濃度はゼロ（％）でありその測定濃度はゼロであるので（図２３参照）、設定濃度２０（％）のシアン色の基準濃度パッチＣ１の測定濃度である０．１５（図２２参照）以上ではないと判定され（Ｓ４５：Ｎｏ）、標準モード用シアン濃度パッチの設定濃度Ｎを０．１加算し（Ｓ４６）、Ｓ４４の処理に戻る。
【０２３６】
Ｓ４４の処理に戻ると、標準モード用シアン濃度パッチの設定濃度Ｎが０．１加算され、設定濃度が０．１（％）の時の標準モード用シアン濃度パッチの補間した測定濃度が、標準モード用シアン補間濃度データメモリ１２９ｄ１から取得され（Ｓ４４）、その取得された標準モード用シアン濃度パッチの補間した測定濃度（図２３参照）が、設定濃度２０（％）のシアン色の基準濃度パッチＣ１の測定濃度である０．１５（図２２参照）以上か否かが再び判定される（Ｓ４５）。
【０２３７】
このように、設定濃度を０．１ずつ加算して、標準モード用シアン濃度パッチの補間した測定濃度が、Ｓ４２の処理で取得した設定濃度２０（％）のシアン色の基準濃度パッチＣ１の測定濃度である０．１５（図２２参照）以上と判定されるまで、Ｓ４４からＳ４６の処理を繰り返し実行する。
【０２３８】
なお、本実施形態においては、標準モード用シアン濃度パッチの設定濃度Ｎが２５．８（％）となった場合に（図２３参照）、設定濃度２０（％）のシアン色の基準濃度パッチＣ１の測定濃度である０．１５（図２２参照）以上と判定される。この場合にＳ４５の処理で「Ｙｅｓ」と判定され、Ｓ４７の処理に移行する。
【０２３９】
Ｓ４５の処理で「Ｙｅｓ」と判定されると、標準モード用シアン濃度パッチの設定濃度Ｎの値である「２５．８（％）」を、シアン色の基準濃度パッチＣ１の設定濃度Ｘの値である「２０（％）」に対応する設定濃度とし、標準モード用対応濃度シアンデータ領域１２８ｂ１に記憶して（Ｓ４７）、シアン色の基準濃度パッチＣ１の設定濃度が８０％か否かを判定する（Ｓ４８）。シアン色の基準濃度パッチＣ１の設定濃度が８０％でなければ（Ｓ４８：Ｎｏ）、シアン色の基準濃度パッチＣ１の設定濃度Ｘに２０加算し（Ｓ４９）、Ｓ４２の処理に戻る。
【０２４０】
Ｓ４９の処理で、シアン色の基準濃度パッチＣ１の設定濃度が２０加算され４０（％）となると（Ｓ４９）、シアン色の基準濃度パッチの設定濃度を４０％として（基準濃度パッチＣ２として）Ｓ４２以降の処理が行われる。このように、Ｓ３２以降の処理が繰り返し実行され、Ｓ４８の処理でシアン色の基準濃度パッチの設定濃度が８０％と判定すると（Ｓ４８：Ｙｅｓ）、この標準モード用シアン対応濃度検索処理（Ｓ３９）を終了する。
【０２４１】
なお、Ｓ４８の処理でシアン色の基準濃度パッチの設定濃度が８０％と判定されると（Ｓ４８：Ｙｅｓ）、シアン色の基準濃度パッチＣ１〜Ｃ４の測定濃度について、このＳ３２以降の処理が完了したこととなるので、この標準モード用シアン対応濃度検索処理（Ｓ３９）を終了するのである。
【０２４２】
なお、本実施形態においては、標準モード用シアン濃度パッチの設定濃度Ｎが４９．１（％）となった場合に（図２３参照）、設定濃度４０（％）のときのシアン色の基準濃度パッチＣ２の測定濃度である０．２５（図２２参照）以上の測定濃度となり、Ｓ４５の処理で「Ｙｅｓ」と判定され、Ｓ４７の処理に移行する。また、標準モード用シアン濃度パッチの設定濃度Ｎが６７．０（％）となった場合に（図２３参照）、設定濃度６０（％）のときのシアン色の基準濃度パッチＣ３の測定濃度である０．４０（図２２参照）以上の測定濃度となり、Ｓ４５の処理で「Ｙｅｓ」と判定され、Ｓ４７の処理に移行する。最後に、標準モード用シアン濃度パッチの設定濃度Ｎが８７．２（％）となった場合に（図２３参照）、設定濃度８０（％）のときのシアン色の基準濃度パッチＣ４の測定濃度である０．６２（図２２参照）以上の測定濃度となり、Ｓ４５の処理で「Ｙｅｓ」と判定され、Ｓ４７の処理に移行する。
【０２４３】
このように、標準モード用シアン濃度パッチの設定濃度Ｎを０．１ずつ加算して、各設定濃度（設定濃度２０％，４０％，６０％，８０％）の時の各基準濃度パッチＣ１〜Ｃ４の測定濃度以上となる最初の標準モード用シアン濃度パッチの設定濃度Ｎを求めることで、各設定濃度の時の各基準濃度パッチＣ１〜Ｃ４の測定濃度と略同一となる測定濃度を実現する標準モード用シアン濃度パッチの各設定濃度を検索することができる。
【０２４４】
なお、Ｓ４５の処理の判定においては、標準モード用シアン濃度パッチの設定濃度Ｎの時の測定濃度が、Ｓ４２の処理で取得したシアン色の基準濃度パッチＣ１〜Ｃ４の測定濃度以上となっているか否かで判定を行うので、標準モード用シアン測定濃度データメモリ１２９ｂ１に記憶された標準モード用シアン測定濃度データを直線補間方法により補間して標準モード用シアン補間濃度データを算出することによる算出誤差に対応することができる。
【０２４５】
また、Ｓ４５の処理の判定においては、標準モード用シアン濃度パッチの設定濃度Ｎの時の測定濃度が、Ｓ４２の処理で取得したシアン色の基準濃度パッチＣ１〜Ｃ４の測定濃度以上となっているか否かで判定を行った。ただし、これに限られるものではなく、例えば、Ｓ４５の処理では、標準モード用シアン濃度パッチの設定濃度Ｎの時の測定濃度が、Ｓ４２の処理で取得したシアン色の基準濃度パッチＣ１〜Ｃ４の測定濃度の±５％以内の測定濃度となっているか否かを判定するようにしても良い。なお、請求項に記載の「所定の範囲内」とは、Ｓ４５の処理の判定を示している。
【０２４６】
この標準モード用シアン対応濃度検索処理（Ｓ３９）で作成された標準モード用対応濃度シアンデータについて、図２４を用いて説明する。図２４は、標準モード用対応濃度シアンデータが記憶される標準モード用対応濃度シアンデータ領域１２８ｂ１の内容を示した図である。標準モード用対応濃度シアンデータ領域１２８ｂ１に記憶される標準モード用対応濃度シアンデータは、基準濃度パッチＣ１〜Ｃ４の測定濃度と略同一となる測定濃度を実現する標準モード用シアン濃度パッチの各設定濃度を示している。
【０２４７】
なお、図２４においては、例として、標準モード用対応濃度シアンデータ領域１２８ｂ１に記憶された標準モード用対応濃度シアンデータを示しているが、標準モード用対応濃度マゼンタデータ領域１２８ｂ２に記憶された標準モード用対応濃度マゼンタデータと、標準モード用対応濃度イエローデータ領域１２８ｂ３に記憶された標準モード用対応濃度イエローデータと、標準モード用対応濃度ブラックデータ領域１２８ｂ４に記憶された標準モード用対応濃度ブラックデータと、高品質モード用対応濃度シアンデータ領域１２８ｂ５に記憶された高品質モード用対応濃度シアンデータと、高品質モード用対応濃度マゼンタデータ領域１２８ｂ６に記憶された高品質モード用対応濃度マゼンタデータと、高品質モード用対応濃度イエローデータ領域１２８ｂ７に記憶された高品質モード用対応濃度イエローデータと、高品質モード用対応濃度ブラックデータ領域１２８ｂ８に記憶された高品質モード用対応濃度ブラックデータとは、標準モード用対応濃度シアンデータ領域１２８ｂ１に記憶された標準モード用対応濃度シアンデータと同様の構成である。よって、説明を省略する。
【０２４８】
標準モード用対応濃度シアンデータ領域１２８ｂ１に記憶された標準モード用対応濃度シアンデータは、図１４に示す標準モード用シアン対応濃度検索処理のＳ４５の処理で基準濃度パッチシアン測定濃度データメモリ１２９ｃ１に記憶されたシアン色の基準濃度パッチＣ１〜Ｃ４の各測定濃度以上となる最初の標準モード用シアン濃度パッチの各設定濃度を示している。
【０２４９】
ここで、標準モード用シアン濃度パッチは、標準モード用シアンディザマトリクスに基づいて（標準モード用シアンディザマトリクスの設定濃度を変化させて）作成されているので、標準モード用シアン濃度パッチの各設定濃度はそのまま標準モード用シアンディザマトリクスの各設定濃度となる。よって、標準モード用対応濃度シアンデータ領域１２８ｂ１に記憶された標準モード用対応濃度シアンデータは、図１４に示す標準モード用シアン対応濃度検索処理のＳ４５の処理で基準濃度パッチＣ１〜Ｃ４の各測定濃度以上となった標準モード用シアンディザマトリクスの各設定濃度を示していることにもなる。従って、以後の説明においては、標準モード用対応濃度シアンデータ領域１２８ｂ１に記憶された標準モード用対応濃度シアンデータは、標準モード用シアンディザマトリクスの各設定濃度とする。
【０２５０】
標準モード用対応濃度シアンデータ領域１２８ｂ１には、シアン色の基準濃度パッチＣ１〜Ｃ４の各設定濃度に対応して標準モード用シアンディザマトリクスの各設定濃度が記憶されている。標準モード用対応濃度シアンデータ領域１２８ｂ１には、シアン色の基準濃度パッチＣ１の設定濃度２０（％）に対応して標準モード用シアンディザマトリクスの設定濃度である２５．８（％）が記憶され、シアン色の基準濃度パッチＣ２の設定濃度４０（％）に対応して標準モード用シアンディザマトリクスの設定濃度である４９．１（％）が記憶され、シアン色の基準濃度パッチＣ３の設定濃度６０（％）に対応して標準モード用シアンディザマトリクスの設定濃度である６７．０（％）が記憶され、シアン色の基準濃度パッチＣ４の設定濃度８０（％）に対応して標準モード用シアンディザマトリクスの設定濃度である８７．２（％）が記憶されている。
【０２５１】
上述の通り、標準モード用対応濃度シアンデータ領域１２８ｂ１に記憶される標準モード用対応濃度シアンデータは、基準濃度パッチＣ１〜Ｃ４の測定濃度と略同一となる測定濃度を実現する標準モード用シアン濃度パッチの各設定濃度を示している。
【０２５２】
よって、標準モード用シアンディザマトリクスの設定濃度を２５．８（％）にすれば、その時の標準モード用シアンディザマトリクスの測定濃度は、シアン色の基準濃度パッチＣ１の測定濃度と略同一となる。また、標準モード用シアンディザマトリクスの設定濃度を４９．１（％）にすれば、その時の標準モード用シアンディザマトリクスの測定濃度は、シアン色の基準濃度パッチＣ２の測定濃度と略同一となる。また、標準モード用シアンディザマトリクスの設定濃度を６７．０（％）にすれば、その時の標準モード用シアンディザマトリクスの測定濃度は、シアン色の基準濃度パッチＣ３の測定濃度と略同一となる。また、標準モード用シアンディザマトリクスの設定濃度を８７．２（％）にすれば、その時の標準モード用シアンディザマトリクスの測定濃度は、シアン色の基準濃度パッチＣ４の測定濃度と略同一となる。
【０２５３】
よって、標準モード用対応濃度シアンデータが標準モード用対応濃度シアンデータ領域１２８ｂ１に記憶されると、その後は、基準濃度パッチＣ１〜Ｃ４を濃度測定センサ８０で測定して、標準モード用対応濃度シアンデータ領域１２８ｂ１に記憶された標準モード用対応濃度シアンデータを参照すれば、シアン濃度パッチ（図１０参照）をカラーレーザープリンタ１に形成させ且つその形成させたシアン濃度パッチを測定することなしに、標準モード用対応濃度シアンデータ領域１２８ｂ１に記憶された各設定濃度にシアンディザマトリクスの設定濃度を設定したときの各測定濃度を求めることができる。
【０２５４】
図１４の説明に戻る。図１４に示す標準モード用シアン対応濃度検索処理によって、図１３に示す標準モード用シアン対応濃度作成処理によって作成された標準モード用シアン測定濃度データと、基準濃度パッチシアン測定濃度データとを用いて、標準モード用対応濃度シアンデータ領域１２８ｂ１に記憶する標準モード用対応濃度シアンデータを作成することができる。
【０２５５】
なお、図１４に示す標準モード用シアン対応濃度検索処理の処理方法と、図１３の変形例で示した標準モード用マゼンタ対応濃度検索処理、標準モード用イエロー対応濃度検索処理、標準モード用ブラック対応濃度検索処理、高品質モード用シアン対応濃度検索処理、高品質モード用マゼンタ対応濃度検索処理、高品質モード用イエロー対応濃度検索処理および高品質モード用ブラック対応濃度検索処理の各処理の処理方法とは同じである。
【０２５６】
よって、標準モード用マゼンタ対応濃度検索処理、標準モード用イエロー対応濃度検索処理、標準モード用ブラック対応濃度検索処理、高品質モード用シアン対応濃度検索処理、高品質モード用マゼンタ対応濃度検索処理、高品質モード用イエロー対応濃度検索処理および高品質モード用ブラック対応濃度検索処理の各処理については、図１４に示す標準モード用シアン対応濃度検索処理と異なる処理の内容のみを説明する。
【０２５７】
標準モード用マゼンタ対応濃度検索処理（標準モード用イエロー対応濃度検索処理、標準モード用ブラック対応濃度検索処理）は、図１２に示す標準モード用マゼンタ対応濃度作成処理（標準モード用イエロー対応濃度作成処理、標準モード用ブラック対応濃度作成処理）によって作成された標準モード用マゼンタ測定濃度データ（標準モード用イエロー測定濃度データ、標準モード用ブラック測定濃度データ）と、基準濃度パッチマゼンタ測定濃度データ（基準濃度パッチイエロー測定濃度データ、基準濃度パッチブラック測定濃度データ）とを用いて、標準モード用対応濃度マゼンタデータ領域１２８ｂ２（標準モード用対応濃度イエローデータ領域１２８ｂ３、標準モード用対応濃度ブラックデータ領域１２８ｂ４）に記憶する標準モード用対応濃度マゼンタデータ（標準モード用対応濃度イエローデータ、標準モード用対応濃度ブラックデータ）を作成する処理である。
【０２５８】
標準モード用マゼンタ対応濃度検索処理（標準モード用イエロー対応濃度検索処理、標準モード用ブラック対応濃度検索処理）では、図１４に示す標準モード用シアン対応濃度検索処理のＳ４０の処理が、「標準モード用マゼンタ測定濃度データメモリ１２９ｂ２（標準モード用イエロー測定濃度データメモリ１２９ｂ３、標準モード用ブラック測定濃度データメモリ１２９ｂ４）に記憶された各標準モード用マゼンタ濃度パッチ（各標準モード用イエロー濃度パッチ、各標準モード用ブラック濃度パッチ）の各測定濃度を、直線補間方法により設定濃度０．１％刻みで補間し、標準モード用マゼンタ補間濃度データメモリ１２９ｄ２（標準モード用イエロー補間濃度データメモリ１２９ｄ３、標準モード用ブラック補間濃度データメモリ１２９ｄ４）に記憶する」となる。
【０２５９】
次に、標準モード用マゼンタ対応濃度検索処理（標準モード用イエロー対応濃度検索処理、標準モード用ブラック対応濃度検索処理）では、図１４に示す標準モード用シアン対応濃度検索処理のＳ４１の処理が、「マゼンタ色（イエロー色、ブラック色）の基準濃度パッチの設定濃度であるＸを２０％に設定する」となる。
【０２６０】
次に、標準モード用マゼンタ対応濃度検索処理（標準モード用イエロー対応濃度検索処理、標準モード用ブラック対応濃度検索処理）では、図１４に示す標準モード用シアン対応濃度検索処理のＳ４２の処理が、「設定濃度Ｘ％の時のマゼンタ色（イエロー色、ブラック色）の基準濃度パッチの測定濃度を、基準濃度パッチマゼンタ測定濃度データメモリ１２９ｃ２（基準濃度パッチイエロー測定濃度データメモリ１２９ｃ３、基準濃度パッチブラック測定濃度データメモリ１２９ｃ４）から取得する」となる。
【０２６１】
次に、標準モード用マゼンタ対応濃度検索処理（標準モード用イエロー対応濃度検索処理、標準モード用ブラック対応濃度検索処理）では、図１４に示す標準モード用シアン対応濃度検索処理のＳ４３の処理が、「標準モード用マゼンタ濃度パッチ（標準モード用イエロー濃度パッチ、標準モード用ブラック濃度パッチ）の設定濃度であるＮをゼロに設定する」となる。
【０２６２】
次に、標準モード用マゼンタ対応濃度検索処理（標準モード用イエロー対応濃度検索処理、標準モード用ブラック対応濃度検索処理）では、図１４に示す標準モード用シアン対応濃度検索処理のＳ４４の処理が、「設定濃度がＮ（％）のときの標準モード用マゼンタ濃度パッチ（標準モード用イエロー濃度パッチ、標準モード用ブラック濃度パッチ）の補間した測定濃度を、標準モード用マゼンタ補間濃度データメモリ１２９ｄ２（標準モード用イエロー補間濃度データメモリ１２９ｄ３、標準モード用ブラック補間濃度データメモリ１２９ｄ４）から取得する」となる。
【０２６３】
次に、標準モード用マゼンタ対応濃度検索処理（標準モード用イエロー対応濃度検索処理、標準モード用ブラック対応濃度検索処理）では、図１４に示す標準モード用シアン対応濃度検索処理のＳ４５の処理が、「取得した設定濃度Ｎ（％）のときの標準モード用マゼンタ濃度パッチ（標準モード用イエロー濃度パッチ、標準モード用ブラック濃度パッチ）の補間した測定濃度は、Ｓ４２の処理で取得したマゼンタ色（イエロー色、ブラック色）の基準濃度パッチの測定濃度以上か否かが判定される」となる。
【０２６４】
次に、標準モード用マゼンタ対応濃度検索処理（標準モード用イエロー対応濃度検索処理、標準モード用ブラック対応濃度検索処理）では、図１４に示す標準モード用シアン対応濃度検索処理のＳ４６の処理が、「標準モード用マゼンタ濃度パッチ（標準モード用イエロー濃度パッチ、標準モード用ブラック濃度パッチ）の設定濃度Ｎを０．１加算する」となる。
【０２６５】
次に、標準モード用マゼンタ対応濃度検索処理（標準モード用イエロー対応濃度検索処理、標準モード用ブラック対応濃度検索処理）では、図１４に示す標準モード用シアン対応濃度検索処理のＳ４７の処理が、「標準モード用マゼンタ濃度パッチ（標準モード用イエロー濃度パッチ、標準モード用ブラック濃度パッチ）の設定濃度Ｎ％の値を、マゼンタ色（イエロー色、ブラック色）の基準濃度パッチの設定濃度Ｘ％の値に対応する設定濃度とし、標準モード用対応濃度マゼンタデータ領域１２８ｂ２（標準モード用対応濃度イエローデータ領域１２８ｂ３、標準モード用対応濃度ブラックデータ領域１２８ｂ４）に記憶する」となる。
【０２６６】
次に、標準モード用マゼンタ対応濃度検索処理（標準モード用イエロー対応濃度検索処理、標準モード用ブラック対応濃度検索処理）では、図１４に示す標準モード用シアン対応濃度検索処理のＳ４８の処理が、「マゼンタ色（イエロー色、ブラック色）の基準濃度パッチの設定濃度が８０％か否かを判定する」となる。
【０２６７】
最後に、標準モード用マゼンタ対応濃度検索処理（標準モード用イエロー対応濃度検索処理、標準モード用ブラック対応濃度検索処理）では、図１４に示す標準モード用シアン対応濃度検索処理のＳ４９の処理が、「マゼンタ色（イエロー色、ブラック色）の基準濃度パッチの設定濃度Ｘ％に２０加算する」となる。
【０２６８】
上記の標準モード用マゼンタ対応濃度検索処理（標準モード用イエロー対応濃度検索処理、標準モード用ブラック対応濃度検索処理）によって、図１２に示す標準モード用マゼンタ対応濃度作成処理（標準モード用イエロー対応濃度作成処理、標準モード用ブラック対応濃度作成処理）によって作成された標準モード用マゼンタ測定濃度データ（標準モード用イエロー測定濃度データ、標準モード用ブラック測定濃度データ）と、基準濃度パッチマゼンタ測定濃度データ（基準濃度パッチイエロー測定濃度データ、基準濃度パッチブラック測定濃度データ）とを用いて、標準モード用対応濃度マゼンタデータ領域１２８ｂ２（標準モード用対応濃度イエローデータ領域１２８ｂ３、標準モード用対応濃度ブラックデータ領域１２８ｂ４）に記憶する標準モード用対応濃度マゼンタデータ（標準モード用対応濃度イエローデータ、標準モード用対応濃度ブラックデータ）を作成することができる。
【０２６９】
高品質モード用シアン対応濃度検索処理（高品質モード用マゼンタ対応濃度検索処理、高品質モード用イエロー対応濃度検索処理、高品質モード用ブラック対応濃度検索処理）は、図１２に示す高品質モード用シアン対応濃度作成処理（高品質モード用マゼンタ対応濃度作成処理、高品質モード用イエロー対応濃度作成処理、高品質モード用ブラック対応濃度作成処理）によって作成された高品質モード用シアン測定濃度データ（高品質モード用マゼンタ測定濃度データ、高品質モード用イエロー測定濃度データ、高品質モード用ブラック測定濃度データ）と、基準濃度パッチシアン測定濃度データ（基準濃度パッチマゼンタ測定濃度データ、基準濃度パッチイエロー測定濃度データ、基準濃度パッチブラック測定濃度データ）とを用いて、高品質モード用対応濃度シアンデータ領域１２８ｂ５（高品質モード用対応濃度マゼンタデータ領域１２８ｂ６、高品質モード用対応濃度イエローデータ領域１２８ｂ７、高品質モード用対応濃度ブラックデータ領域１２８ｂ８）に記憶する高品質モード用対応濃度シアンデータ（高品質モード用対応濃度マゼンタデータ、高品質モード用対応濃度イエローデータ、高品質モード用対応濃度ブラックデータ）を作成する処理である。
【０２７０】
高品質モード用シアン対応濃度検索処理（高品質モード用マゼンタ対応濃度検索処理、高品質モード用イエロー対応濃度検索処理、高品質モード用ブラック対応濃度検索処理）では、図１４に示す標準モード用シアン対応濃度検索処理のＳ４０の処理が、「高品質モード用シアン測定濃度データメモリ１２９ｂ５（高品質モード用マゼンタ測定濃度データメモリ１２９ｂ６、高品質モード用イエロー測定濃度データメモリ１２９ｂ７、高品質モード用ブラック測定濃度データメモリ１２９ｂ８）に記憶された各高品質モード用シアン濃度パッチ（各高品質モード用マゼンタ濃度パッチ、各高品質モード用イエロー濃度パッチ、各高品質モード用ブラック濃度パッチ）の各測定濃度を、直線補間方法により設定濃度０．１％刻みで補間し、高品質モード用シアン補間濃度データメモリ１２９ｄ５（高品質モード用マゼンタ補間濃度データメモリ１２９ｄ６、高品質モード用イエロー補間濃度データメモリ１２９ｄ７、高品質モード用ブラック補間濃度データメモリ１２９ｄ８）に記憶する」となる。
【０２７１】
次に、高品質モード用シアン対応濃度検索処理（高品質モード用マゼンタ対応濃度検索処理、高品質モード用イエロー対応濃度検索処理、高品質モード用ブラック対応濃度検索処理）では、図１４に示す標準モード用シアン対応濃度検索処理のＳ４１の処理が、「シアン色（マゼンタ色、イエロー色、ブラック色）の基準濃度パッチの設定濃度であるＸを２０％に設定する」となる。
【０２７２】
次に、高品質モード用シアン対応濃度検索処理（高品質モード用マゼンタ対応濃度検索処理、高品質モード用イエロー対応濃度検索処理、高品質モード用ブラック対応濃度検索処理）では、図１４に示す標準モード用シアン対応濃度検索処理のＳ４２の処理が、「設定濃度Ｘ％の時のシアン色（マゼンタ色、イエロー色、ブラック色）の基準濃度パッチの測定濃度を、基準濃度パッチシアン測定濃度データメモリ１２９ｃ１（基準濃度パッチマゼンタ測定濃度データメモリ１２９ｃ２、基準濃度パッチイエロー測定濃度データメモリ１２９ｃ３、基準濃度パッチブラック測定濃度データメモリ１２９ｃ４）から取得する」となる。
【０２７３】
次に、高品質モード用シアン対応濃度検索処理（高品質モード用マゼンタ対応濃度検索処理、高品質モード用イエロー対応濃度検索処理、高品質モード用ブラック対応濃度検索処理）では、図１４に示す標準モード用シアン対応濃度検索処理のＳ４３の処理が、「高品質モード用シアン濃度パッチ（高品質モード用マゼンタ濃度パッチ、高品質モード用イエロー濃度パッチ、高品質モード用ブラック濃度パッチ）の設定濃度であるＮをゼロに設定する」となる。
【０２７４】
次に、高品質モード用シアン対応濃度検索処理（高品質モード用マゼンタ対応濃度検索処理、高品質モード用イエロー対応濃度検索処理、高品質モード用ブラック対応濃度検索処理）では、図１４に示す標準モード用シアン対応濃度検索処理のＳ４４の処理が、「設定濃度がＮ（％）のときの高品質モード用シアン濃度パッチ（高品質モード用マゼンタ濃度パッチ、高品質モード用イエロー濃度パッチ、高品質モード用ブラック濃度パッチ）の補間した測定濃度を、高品質モード用シアン補間濃度データメモリ１２９ｄ５（高品質モード用マゼンタ補間濃度データメモリ１２９ｄ６、高品質モード用イエロー補間濃度データメモリ１２９ｄ７、高品質モード用ブラック補間濃度データメモリ１２９ｄ８）から取得する」となる。
【０２７５】
次に、高品質モード用シアン対応濃度検索処理（高品質モード用マゼンタ対応濃度検索処理、高品質モード用イエロー対応濃度検索処理、高品質モード用ブラック対応濃度検索処理）では、図１４に示す標準モード用シアン対応濃度検索処理のＳ４５の処理が、「取得した設定濃度Ｎ（％）のときの高品質モード用シアン濃度パッチ（高品質モード用マゼンタ濃度パッチ、高品質モード用イエロー濃度パッチ、高品質モード用ブラック濃度パッチ）の補間した測定濃度は、Ｓ４２の処理で取得したシアン色（マゼンタ色、イエロー色、ブラック色）の基準濃度パッチの測定濃度以上か否かが判定される」となる。
【０２７６】
次に、高品質モード用シアン対応濃度検索処理（高品質モード用マゼンタ対応濃度検索処理、高品質モード用イエロー対応濃度検索処理、高品質モード用ブラック対応濃度検索処理）では、図１４に示す標準モード用シアン対応濃度検索処理のＳ４６の処理が、「高品質モード用シアン濃度パッチ（高品質モード用マゼンタ濃度パッチ、高品質モード用イエロー濃度パッチ、高品質モード用ブラック濃度パッチ）の設定濃度Ｎを０．１加算する」となる。
【０２７７】
次に、高品質モード用シアン対応濃度検索処理（高品質モード用マゼンタ対応濃度検索処理、高品質モード用イエロー対応濃度検索処理、高品質モード用ブラック対応濃度検索処理）では、図１４に示す標準モード用シアン対応濃度検索処理のＳ４７の処理が、「高品質モード用シアン濃度パッチ（高品質モード用マゼンタ濃度パッチ、高品質モード用イエロー濃度パッチ、高品質モード用ブラック濃度パッチ）の設定濃度Ｎ％の値を、シアン色（マゼンタ色、イエロー色、ブラック色）の基準濃度パッチの設定濃度Ｘ％の値に対応する設定濃度とし、高品質モード用シアンデータ領域１２８ｂ５（高品質モード用マゼンタデータ領域１２８ｂ６、高品質モード用イエローデータ領域１２８ｂ７、高品質モード用ブラックデータ領域１２８ｂ８）に記憶する」となる。
【０２７８】
次に、高品質モード用シアン対応濃度検索処理（高品質モード用マゼンタ対応濃度検索処理、高品質モード用イエロー対応濃度検索処理、高品質モード用ブラック対応濃度検索処理）では、図１４に示す標準モード用イエロー対応濃度検索処理のＳ４８の処理が、「シアン色（マゼンタ色、イエロー色、ブラック色）の基準濃度パッチの設定濃度が８０％か否かを判定する」となる。
【０２７９】
最後に、高品質モード用シアン対応濃度検索処理（高品質モード用マゼンタ対応濃度検索処理、高品質モード用イエロー対応濃度検索処理、高品質モード用ブラック対応濃度検索処理）では、図１４に示す標準モード用シアン対応濃度検索処理のＳ４９の処理が、「シアン色（マゼンタ色、イエロー色、ブラック色）の基準濃度パッチの設定濃度Ｘ％に２０加算する」となる。
【０２８０】
上記の高品質モード用シアン対応濃度検索処理（高品質モード用マゼンタ対応濃度検索処理、高品質モード用イエロー対応濃度検索処理、高品質モード用ブラック対応濃度検索処理）によって、図１２に示す高品質モード用シアン対応濃度作成処理（高品質モード用マゼンタ対応濃度作成処理、高品質モード用イエロー対応濃度作成処理、高品質モード用ブラック対応濃度作成処理）によって作成された高品質モード用シアン測定濃度データ（高品質モード用マゼンタ測定濃度データ、高品質モード用イエロー測定濃度データ、高品質モード用ブラック測定濃度データ）と、基準濃度パッチシアン測定濃度データ（基準濃度パッチマゼンタ測定濃度データ、基準濃度パッチイエロー測定濃度データ、基準濃度パッチブラック測定濃度データ）とを用いて、高品質モード用対応濃度シアンデータ領域１２８ｂ５（高品質モード用対応濃度マゼンタデータ領域１２８ｂ６、高品質モード用対応濃度イエローデータ領域１２８ｂ７、高品質モード用対応濃度ブラックデータ領域１２８ｂ８）に記憶する高品質モード用対応濃度シアンデータ（高品質モード用対応濃度マゼンタデータ、高品質モード用対応濃度イエローデータ、高品質モード用対応濃度ブラックデータ）を作成することができる。
【０２８１】
次に、対応濃度データ領域１２８ｂに記憶される対応濃度データをＰＣ１２５及びカラーレーザープリンタ１が分担処理して作成する処理について、図１５および図１６を参照して、カラーレーザープリンタ１で実行される処理を説明する。
【０２８２】
まず、図１５を参照して、カラーレーザープリンタ１のプリンタ用ＣＰＵ２２で実行されるモード変換処理について説明する。図１５は、カラーレーザープリンタ１のプリンタ用ＣＰＵ２２で実行されるモード変換処理を示したフローチャートである。モード変換処理は、各濃度パッチ（標準モード用シアン濃度パッチ、標準モード用マゼンタ濃度パッチ、標準モード用イエロー濃度パッチ、標準モード用ブラック濃度パッチ、高品質用シアン濃度パッチ、高品質用マゼンタ濃度パッチ、高品質用イエロー濃度パッチ、高品質用ブラック濃度パッチ）を搬送ベルト６８に形成する処理と、カラーレーザープリンタ１が印刷用紙３に印刷する画像の濃度補正を行うキャリブレーションを実行する処理とを選択する処理である。
【０２８３】
モード変換処理は、ＰＣ１２５からカラーレーザープリンタ１の状態を濃度パッチを測定する濃度パッチ測定モードへ移行させるコマンド（図１３のＳ３２参照）をカラーレーザープリンタ１が受信した場合、又はカラーレーザープリンタ１が印刷用紙３に印刷する画像の濃度補正を行うキャリブレーションの実行がカラーレーザープリンタ１の操作キー１０８により入力された場合に実行される。
【０２８４】
モード変換処理では、まず濃度パッチ測定モードへ移行するコマンドをＰＣ１２５から受信したか否かが判定される（Ｓ６１）。このＳ６１の処理は、各濃度パッチを搬送ベルト６８に形成する処理か、キャリブレーションを実行する処理かを選択するために行われる。
【０２８５】
濃度パッチ測定モードへ移行するコマンドをＰＣ１２５から受信した場合には（Ｓ６１：Ｙｅｓ）、ＰＣ１２５から送信された文字列（図１３のＳ３２参照）を文字列記憶メモリ２５ａに記憶する（Ｓ６２）。次に、文字列記憶メモリ２５ａに記憶された文字列は、「標準モード用シアン対応濃度作成処理」か否かが判定される（Ｓ６３）。
【０２８６】
文字列記憶メモリ２５ａに記憶された文字列が「標準モード用シアン対応濃度作成処理」である場合には（Ｓ６３：Ｙｅｓ）、標準モード用シアン濃度パッチを搬送ベルト６８に形成し、その濃度測定を行う標準モード用シアン濃度パッチ測定処理（Ｓ６４）に移行する。一方、文字列記憶メモリ２５ａに記憶された文字列が「標準モード用シアン対応濃度作成処理」でない場合には（Ｓ６３：Ｎｏ）、文字列記憶メモリ２５ａに記憶された文字列は、「標準モード用マゼンタ対応濃度作成処理」か否かが判定される（Ｓ６５）。
【０２８７】
文字列記憶メモリ２５ａに記憶された文字列が「標準モード用マゼンタ対応濃度作成処理」である場合には（Ｓ６５：Ｙｅｓ）、標準モード用マゼンタ濃度パッチを搬送ベルト６８に形成し、その濃度測定を行う標準モード用マゼンタ濃度パッチ測定処理（Ｓ６６）に移行する。一方、文字列記憶メモリ２５ａに記憶された文字列が「標準モード用マゼンタ対応濃度作成処理」でない場合には（Ｓ６５：Ｎｏ）、文字列記憶メモリ２５ａに記憶された文字列は、「標準モード用イエロー対応濃度作成処理」か否かが判定される（Ｓ６７）。
【０２８８】
文字列記憶メモリ２５ａに記憶された文字列が「標準モード用イエロー対応濃度作成処理」である場合には（Ｓ６７：Ｙｅｓ）、標準モード用イエロー濃度パッチを搬送ベルト６８に形成し、その濃度測定を行う標準モード用イエロー濃度パッチ測定処理（Ｓ６８）に移行する。一方、文字列記憶メモリ２５ａに記憶された文字列が「標準モード用イエロー対応濃度作成処理」でない場合には（Ｓ６７：Ｎｏ）、文字列記憶メモリ２５ａに記憶された文字列は、「標準モード用ブラック対応濃度作成処理」か否かが判定される（Ｓ６９）。
【０２８９】
文字列記憶メモリ２５ａに記憶された文字列が「標準モード用ブラック対応濃度作成処理」である場合には（Ｓ６９：Ｙｅｓ）、標準モード用ブラック濃度パッチを搬送ベルト６８に形成し、その濃度測定を行う標準モード用ブラック濃度パッチ測定処理（Ｓ７０）に移行する。一方、文字列記憶メモリ２５ａに記憶された文字列が「標準モード用ブラック対応濃度作成処理」でない場合には（Ｓ６９：Ｎｏ）、文字列記憶メモリ２５ａに記憶された文字列は、「高品質モード用シアン対応濃度作成処理」か否かが判定される（Ｓ７１）。
【０２９０】
文字列記憶メモリ２５ａに記憶された文字列が「高品質モード用シアン対応濃度作成処理」である場合には（Ｓ７１：Ｙｅｓ）、高品質モード用シアン濃度パッチを搬送ベルト６８に形成し、その濃度測定を行う高品質モード用シアン濃度パッチ測定処理（Ｓ７２）に移行する。一方、文字列記憶メモリ２５ａに記憶された文字列が「高品質モード用シアン対応濃度作成処理」でない場合には（Ｓ７１：Ｎｏ）、文字列記憶メモリ２５ａに記憶された文字列は、「高品質モード用マゼンタ対応濃度作成処理」か否かが判定される（Ｓ７３）。
【０２９１】
文字列記憶メモリ２５ａに記憶された文字列が「高品質モード用マゼンタ対応濃度作成処理」である場合には（Ｓ７３：Ｙｅｓ）、高品質モード用マゼンタ濃度パッチを搬送ベルト６８に形成し、その濃度測定を行う高品質モード用マゼンタ濃度パッチ測定処理（Ｓ７４）に移行する。一方、文字列記憶メモリ２５ａに記憶された文字列が「高品質モード用マゼンタ対応濃度作成処理」でない場合には（Ｓ７３：Ｎｏ）、文字列記憶メモリ２５ａに記憶された文字列は、「高品質モード用イエロー対応濃度作成処理」か否かが判定される（Ｓ７５）。
【０２９２】
文字列記憶メモリ２５ａに記憶された文字列が「高品質モード用イエロー対応濃度作成処理」である場合には（Ｓ７５：Ｙｅｓ）、高品質モード用イエロー濃度パッチを搬送ベルト６８に形成し、その濃度測定を行う高品質モード用イエロー濃度パッチ測定処理（Ｓ７６）に移行する。一方、文字列記憶メモリ２５ａに記憶された文字列が「高品質モード用イエロー対応濃度作成処理」でない場合には（Ｓ７５：Ｎｏ）、文字列記憶メモリ２５ａに記憶された文字列は、「高品質モード用ブラック対応濃度作成処理」か否かが判定される（Ｓ７７）。
【０２９３】
文字列記憶メモリ２５ａに記憶された文字列が「高品質モード用ブラック対応濃度作成処理」である場合には（Ｓ７７：Ｙｅｓ）、高品質モード用ブラック濃度パッチを搬送ベルト６８に形成し、その濃度測定を行う高品質モード用ブラック濃度パッチ測定処理（Ｓ７８）に移行する。一方、文字列記憶メモリ２５ａに記憶された文字列が「高品質モード用ブラック対応濃度作成処理」でない場合には（Ｓ７７：Ｎｏ）、全ての文字列（標準モード用シアン対応濃度作成処理、標準モード用マゼンタ対応濃度作成処理、標準モード用イエロー対応濃度作成処理、標準モード用ブラック対応濃度作成処理、高品質モード用シアン対応濃度作成処理、高品質モード用マゼンタ対応濃度作成処理、高品質モード用イエロー対応濃度作成処理、高品質モード用ブラック対応濃度作成処理）について、文字列記憶メモリ２５ａに記憶されているか否かの判定が終了するので、このモード変換処理を終了する。
【０２９４】
Ｓ６１の処理で、濃度パッチ測定モードへ移行するコマンドをＰＣ１２５から受信していない場合には（Ｓ６１：Ｎｏ）、カラーレーザープリンタ１へキャリブレーション実行の入力があるか否かが判定される（Ｓ７９）。キャリブレーション実行の入力がある場合には（Ｓ７９：Ｙｅｓ）、カラーレーザープリンタ１が印刷用紙３に印刷する画像の濃度補正を行うキャリブレーション処理へ移行する（Ｓ８０）。一方、キャリブレーション実行の入力がない場合には（Ｓ７９：Ｎｏ）、カラーレーザープリンタ１の表示装置１０９の表示を変える等の処理を行うその他の処理に移行する（Ｓ８１）。
【０２９５】
上記のＳ８０又はＳ８１の処理終了後、このモード変換処理を終了する。このモード変換処理により、各濃度パッチ（標準モード用シアン濃度パッチ、標準モード用マゼンタ濃度パッチ、標準モード用イエロー濃度パッチ、標準モード用ブラック濃度パッチ、高品質用シアン濃度パッチ、高品質用マゼンタ濃度パッチ、高品質用イエロー濃度パッチ、高品質用ブラック濃度パッチ）を搬送ベルト６８に形成する処理と、カラーレーザープリンタ１が印刷用紙３に印刷する画像の濃度補正を行うキャリブレーションを実行する処理とを選択することができる。
【０２９６】
次に、図１６を参照して、カラーレーザープリンタ１のプリンタ用ＣＰＵ２２で実行される標準モード用シアン濃度パッチ測定処理（図１５のＳ６４の処理）について説明する。図１６は、カラーレーザープリンタ１のプリンタ用ＣＰＵ２２で実行される標準モード用シアン濃度パッチ測定処理のフローチャートを示した図である。標準モード用シアン濃度パッチ測定処理は、ＰＣ１２５から送信された各標準モード用シアン濃度パッチデータに基づいて各標準モード用シアン濃度パッチ（図１０参照）を搬送ベルト６８に形成し、その濃度を測定してＰＣ１２５へ送信する処理と、シアン色の基準濃度パッチＣ１〜Ｃ４（図６参照）を搬送ベルト６８に形成し、その濃度を測定してＰＣ１２５へ送信する処理とを行う処理である。
【０２９７】
標準モード用シアン濃度パッチ測定処理では、まずＰＣ１２５から送信された各標準モード用シアン濃度パッチデータを受信したか否かが判定される（Ｓ９１）。ＰＣ１２５から受信された各標準モード用シアン濃度パッチデータが受信されていない場合には（Ｓ９１：Ｎｏ）、各標準モード用シアン濃度パッチデータを受信するまで、Ｓ９１の処理が繰り返し実行される。
【０２９８】
一方、ＰＣ１２５から受信された各標準モード用シアン濃度パッチデータが受信された場合には（Ｓ９１：Ｙｅｓ）、受信した各基準モード用シアン濃度パッチデータを標準モード用シアン濃度パッチデータプリンタメモリ２５ｃ１に記憶する（Ｓ９２）。
【０２９９】
次に、標準モード用シアン濃度パッチデータプリンタメモリ２５ｃ１に記憶された各標準モード用シアン濃度パッチデータに基づき、各標準モード用シアン濃度パッチ（図１０参照）を搬送ベルト６８にそれぞれ形成し（Ｓ９３）、搬送ベルト６８に形成された各標準モード用シアン濃度パッチを濃度測定センサ８０でそれぞれ測定する（Ｓ９４）。
【０３００】
次に、各測定濃度を標準モード用シアン測定濃度データプリンタメモリ２５ｄ１にそれぞれ記憶して（Ｓ９５）、標準モード用シアン測定濃度データプリンタメモリ２５ｄ１に記憶された各測定濃度をＰＣ１２５へ送信する（Ｓ９６）。このＳ９１からＳ９６までの処理により、ＰＣ１２５は標準モード用シアン濃度パッチの各測定濃度を受信することができる。
【０３０１】
次に、シアン色の各基準濃度パッチＣ１〜Ｃ４の濃度測定を実行するコマンドをＰＣ１２５から受信したか否かが判定される（Ｓ９７、図１３のＳ３６の処理参照）。シアン色の基準濃度パッチＣ１〜Ｃ４の濃度測定を実行するコマンドをＰＣ１２５から受信していない場合には（Ｓ９７：Ｎｏ）、このコマンドを受信するまで、Ｓ９７の処理が繰り返し実行される。
【０３０２】
一方、シアン色の基準濃度パッチＣ１〜Ｃ４の濃度測定を実行するコマンドをＰＣ１２５から受信した場合には（Ｓ９７：Ｙｅｓ）、基準濃度パッチデータメモリ２４ａに記憶されたシアン色の基準濃度パッチＣ１〜Ｃ４（図６参照）を搬送ベルト６８にそれぞれ形成し（Ｓ９８）、搬送ベルト６８に形成したシアン色の基準濃度パッチＣ１〜Ｃ４を濃度測定センサ８０でそれぞれ測定する（Ｓ９９）。
【０３０３】
次に、各測定濃度を基準濃度パッチシアン測定濃度データプリンタメモリ２５ｂ１にそれぞれ記憶し（Ｓ１００）、基準濃度パッチシアン測定濃度データプリンタメモリ２５ｂ１に記憶された各測定濃度をＰＣ１２５へ送信する（Ｓ１０１）。このＳ９７からＳ１０１までの処理により、ＰＣ１２５はシアン色の基準濃度パッチＣ１〜Ｃ４の各測定濃度を受信することができる。
【０３０４】
この標準モード用シアン濃度パッチ測定処理によって、ＰＣ１２５から送信された各標準モード用シアン濃度パッチデータに基づいて各標準モード用シアン濃度パッチ（図１０参照）を搬送ベルト６８に形成し、その濃度を測定してＰＣ１２５へ送信する処理と、シアン色の基準濃度パッチＣ１〜Ｃ４（図６参照）を搬送ベルト６８に形成し、その濃度を測定してＰＣ１２５へ送信する処理とを行う処理とを行うことができる。
【０３０５】
なお、図１６に示す標準モード用シアン濃度パッチ測定処理の処理方法と、図１５に示す標準モード用マゼンタ濃度パッチ測定処理（Ｓ６６）、標準モード用イエロー濃度パッチ測定処理（Ｓ６８）、標準モード用ブラック濃度パッチ測定処理（Ｓ７０）、高品質モード用シアン濃度パッチ測定処理（Ｓ７２）、高品質モード用マゼンタ濃度パッチ測定処理（Ｓ７４）、高品質モード用イエロー濃度パッチ測定処理（Ｓ７６）および高品質モード用ブラック濃度パッチ測定処理（Ｓ７８）の各処理の処理方法とは同じである。
【０３０６】
よって、図１５に示す標準モード用マゼンタ濃度パッチ測定処理（Ｓ６６）、標準モード用イエロー濃度パッチ測定処理（Ｓ６８）、標準モード用ブラック濃度パッチ測定処理（Ｓ７０）、高品質モード用シアン濃度パッチ測定処理（Ｓ７２）、高品質モード用マゼンタ濃度パッチ測定処理（Ｓ７４）、高品質モード用イエロー濃度パッチ測定処理（Ｓ７６）および高品質モード用ブラック濃度パッチ測定処理（Ｓ７８）の各処理については、図１６に示す標準モード用シアン濃度パッチ測定処理と異なる処理の内容のみを説明する。
【０３０７】
図１５に示す標準モード用マゼンタ濃度パッチ測定処理（Ｓ６６）（標準モード用イエロー濃度パッチ測定処理（Ｓ６８）、標準モード用ブラック濃度パッチ測定処理（Ｓ７０））は、ＰＣ１２５から送信された各標準モード用マゼンタ濃度パッチデータ（各標準モード用イエロー濃度パッチデータ、各標準モード用ブラック濃度パッチデータ）に基づいて各標準モード用マゼンタ濃度パッチ（各標準モード用イエロー濃度パッチ、各標準モード用ブラック濃度パッチ）を搬送ベルト６８に形成し、その濃度を測定してＰＣ１２５へ送信する処理と、基準濃度パッチＭ１〜Ｍ４（基準濃度パッチＹ１〜Ｙ４、基準濃度パッチＫ１〜Ｋ４）（図６参照）を搬送ベルト６８に形成し、その濃度を測定してＰＣ１２５へ送信する処理とを行う処理である。
【０３０８】
図１５に示す標準モード用マゼンタ濃度パッチ測定処理（Ｓ６６）（標準モード用イエロー濃度パッチ測定処理（Ｓ６８）、標準モード用ブラック濃度パッチ測定処理（Ｓ７０））では、図１６に示す標準モード用シアン濃度パッチ測定処理のＳ９１の処理が、「ＰＣ１２５から送信された各標準モード用マゼンタ濃度パッチデータ（各標準モード用イエロー濃度パッチデータ、各標準モード用ブラック濃度パッチデータ）を受信したか」となる。
【０３０９】
次に、図１５に示す標準モード用マゼンタ濃度パッチ測定処理（Ｓ６６）（標準モード用イエロー濃度パッチ測定処理（Ｓ６８）、標準モード用ブラック濃度パッチ測定処理（Ｓ７０））では、図１６に示す標準モード用シアン濃度パッチ測定処理のＳ９２の処理が、「受信した各標準モード用マゼンタ濃度パッチデータ（各標準モード用イエロー濃度パッチデータ、各標準モード用ブラック濃度パッチデータ）を標準モード用マゼンタ濃度パッチデータプリンタメモリ２５ｃ２（標準モード用イエロー濃度パッチデータプリンタメモリ２５ｃ３、標準モード用ブラック濃度パッチデータプリンタメモリ２５ｃ４）に記憶する」となる。
【０３１０】
次に、図１５に示す標準モード用マゼンタ濃度パッチ測定処理（Ｓ６６）（標準モード用イエロー濃度パッチ測定処理（Ｓ６８）、標準モード用ブラック濃度パッチ測定処理（Ｓ７０））では、図１６に示す標準モード用シアン濃度パッチ測定処理のＳ９３の処理が、「標準モード用マゼンタ濃度パッチデータプリンタメモリ２５ｃ２（標準モード用イエロー濃度パッチデータプリンタメモリ２５ｃ３、標準モード用ブラック濃度パッチデータプリンタメモリ２５ｃ４）に記憶された各標準モード用マゼンタ濃度パッチデータ（各標準モード用イエロー濃度パッチデータ、各標準モード用ブラック濃度パッチデータ）に基づき、各標準モード用マゼンタ濃度パッチ（各標準モード用イエロー濃度パッチ、各標準モード用ブラック濃度パッチ）を搬送ベルト６８にそれぞれ形成する」となる。
【０３１１】
次に、図１５に示す標準モード用マゼンタ濃度パッチ測定処理（Ｓ６６）（標準モード用イエロー濃度パッチ測定処理（Ｓ６８）、標準モード用ブラック濃度パッチ測定処理（Ｓ７０））では、図１６に示す標準モード用シアン濃度パッチ測定処理のＳ９４の処理が、「搬送ベルト６８に形成された各標準モード用マゼンタ濃度パッチ（各標準モード用イエロー濃度パッチ、各標準モード用ブラック濃度パッチ）を濃度測定センサ８０でそれぞれ測定する」となる。
【０３１２】
次に、図１５に示す標準モード用マゼンタ濃度パッチ測定処理（Ｓ６６）（標準モード用イエロー濃度パッチ測定処理（Ｓ６８）、標準モード用ブラック濃度パッチ測定処理（Ｓ７０））では、図１６に示す標準モード用シアン濃度パッチ測定処理のＳ９５の処理が、「各測定濃度を標準モード用マゼンタ測定濃度データプリンタメモリ２５ｄ２（標準モード用イエロー測定濃度データプリンタメモリ２５ｄ３、標準モード用ブラック測定濃度データプリンタメモリ２５ｄ４）にそれぞれ記憶する」となる。
【０３１３】
次に、図１５に示す標準モード用マゼンタ濃度パッチ測定処理（Ｓ６６）（標準モード用イエロー濃度パッチ測定処理（Ｓ６８）、標準モード用ブラック濃度パッチ測定処理（Ｓ７０））では、図１６に示す標準モード用シアン濃度パッチ測定処理のＳ９６の処理が、「標準モード用マゼンタ測定濃度データプリンタメモリ２５ｄ２（標準モード用イエロー測定濃度データプリンタメモリ２５ｄ３、標準モード用ブラック測定濃度データプリンタメモリ２５ｄ４）に記憶された各測定濃度をＰＣ１２５へ送信する」となる。
【０３１４】
次に、図１５に示す標準モード用マゼンタ濃度パッチ測定処理（Ｓ６６）（標準モード用イエロー濃度パッチ測定処理（Ｓ６８）、標準モード用ブラック濃度パッチ測定処理（Ｓ７０））では、図１６に示す標準モード用シアン濃度パッチ測定処理のＳ９７の処理が、「各基準濃度パッチＭ１〜Ｍ４（各基準濃度パッチＹ１〜Ｙ４、各基準濃度パッチＫ１〜Ｋ４）の濃度測定を実行するコマンドをＰＣ１２５から受信したか」となる。
【０３１５】
次に、図１５に示す標準モード用マゼンタ濃度パッチ測定処理（Ｓ６６）（標準モード用イエロー濃度パッチ測定処理（Ｓ６８）、標準モード用ブラック濃度パッチ測定処理（Ｓ７０））では、図１６に示す標準モード用シアン濃度パッチ測定処理のＳ９８の処理が、「基準濃度パッチデータメモリ２４ａに記憶された各基準濃度パッチＭ１〜Ｍ４（各基準濃度パッチＹ１〜Ｙ４、各基準濃度パッチＫ１〜Ｋ４）を搬送ベルト６８にそれぞれ形成する」となる。
【０３１６】
次に、図１５に示す標準モード用マゼンタ濃度パッチ測定処理（Ｓ６６）（標準モード用イエロー濃度パッチ測定処理（Ｓ６８）、標準モード用ブラック濃度パッチ測定処理（Ｓ７０））では、図１６に示す標準モード用シアン濃度パッチ測定処理のＳ９９の処理が、「搬送ベルト６８に形成された各基準濃度パッチＭ１〜Ｍ４（各基準濃度パッチＹ１〜Ｙ４、各基準濃度パッチＫ１〜Ｋ４）を濃度測定センサ８０でそれぞれ測定する」となる。
【０３１７】
次に、図１５に示す標準モード用マゼンタ濃度パッチ測定処理（Ｓ６６）（標準モード用イエロー濃度パッチ測定処理（Ｓ６８）、標準モード用ブラック濃度パッチ測定処理（Ｓ７０））では、図１６に示す標準モード用シアン濃度パッチ測定処理のＳ１００の処理が、「各測定濃度を基準濃度パッチマゼンタ測定濃度データプリンタメモリ２５ｂ２（基準濃度パッチイエロー測定濃度データプリンタメモリ２５ｂ３、基準濃度パッチブラック測定濃度データプリンタメモリ２５ｂ４）にそれぞれ記憶する」となる。
【０３１８】
最後に、図１５に示す標準モード用マゼンタ濃度パッチ測定処理（Ｓ６６）（標準モード用イエロー濃度パッチ測定処理（Ｓ６８）、標準モード用ブラック濃度パッチ測定処理（Ｓ７０））では、図１６に示す標準モード用シアン濃度パッチ測定処理のＳ１０１の処理が、「基準濃度パッチマゼンタ測定濃度データプリンタメモリ２５ｂ２（基準濃度パッチイエロー測定濃度データプリンタメモリ２５ｂ３、基準濃度パッチブラック測定濃度データプリンタメモリ２５ｂ４）に記憶された各測定濃度をＰＣ１２５へ送信する」となる。
【０３１９】
この図１５に示す標準モード用マゼンタ濃度パッチ測定処理（Ｓ６６）（標準モード用イエロー濃度パッチ測定処理（Ｓ６８）、標準モード用ブラック濃度パッチ測定処理（Ｓ７０））により、ＰＣ１２５から送信された各標準モード用マゼンタ濃度パッチデータ（各標準モード用イエロー濃度パッチデータ、各標準モード用ブラック濃度パッチデータ）に基づいて各標準モード用マゼンタ濃度パッチ（各標準モード用イエロー濃度パッチ、各標準モード用ブラック濃度パッチ）を搬送ベルト６８に形成し、その濃度を測定してＰＣ１２５へ送信する処理と、基準濃度パッチＭ１〜Ｍ４（基準濃度パッチＹ１〜Ｙ４、基準濃度パッチＫ１〜Ｋ４）（図６参照）を搬送ベルト６８に形成し、その濃度を測定してＰＣ１２５へ送信する処理とを行うことができる。
【０３２０】
図１５に示す高品質モード用シアン濃度パッチ測定処理（Ｓ７２）（高品質モード用マゼンタ濃度パッチ測定処理（Ｓ７４）、高品質モード用イエロー濃度パッチ測定処理（Ｓ７６）、高品質モード用ブラック濃度パッチ測定処理（Ｓ７８））は、ＰＣ１２５から送信された各高品質モード用シアン濃度パッチデータ（各高品質モード用マゼンタ濃度パッチデータ、各高品質モード用イエロー濃度パッチデータ、各高品質モード用ブラック濃度パッチデータ）に基づいて各高品質モード用シアン濃度パッチ（各高品質モード用マゼンタ濃度パッチ、各高品質モード用イエロー濃度パッチ、各高品質モード用ブラック濃度パッチ）を搬送ベルト６８に形成し、その濃度を測定してＰＣ１２５へ送信する処理と、基準濃度パッチＣ１〜Ｃ４（基準濃度パッチＭ１〜Ｍ４、基準濃度パッチＹ１〜Ｙ４、基準濃度パッチＫ１〜Ｋ４）（図６参照）を搬送ベルト６８に形成し、その濃度を測定してＰＣ１２５へ送信する処理とを行う処理である。
【０３２１】
図１５に示す高品質モード用シアン濃度パッチ測定処理（Ｓ７２）（高品質モード用マゼンタ濃度パッチ測定処理（Ｓ７４）、高品質モード用イエロー濃度パッチ測定処理（Ｓ７６）、高品質モード用ブラック濃度パッチ測定処理（Ｓ７８））では、図１６に示す標準モード用シアン濃度パッチ測定処理のＳ９１の処理が、「ＰＣ１２５から送信された各高品質モード用シアン濃度パッチデータ（各高品質モード用マゼンタ濃度パッチデータ、各高品質モード用イエロー濃度パッチデータ、各高品質モード用ブラック濃度パッチデータ）を受信したか」となる。
【０３２２】
次に、図１５に示す高品質モード用シアン濃度パッチ測定処理（Ｓ７２）（高品質モード用マゼンタ濃度パッチ測定処理（Ｓ７４）、高品質モード用イエロー濃度パッチ測定処理（Ｓ７６）、高品質モード用ブラック濃度パッチ測定処理（Ｓ７８））では、図１６に示す標準モード用シアン濃度パッチ測定処理のＳ９２の処理が、「受信した各高品質モード用シアン濃度パッチデータ（各高品質モード用マゼンタ濃度パッチデータ、各高品質モード用イエロー濃度パッチデータ、各高品質モード用ブラック濃度パッチデータ）を高品質モード用シアン濃度パッチデータプリンタメモリ２５ｃ５（高品質モード用マゼンタ濃度パッチデータプリンタメモリ２５ｃ６、高品質モード用イエロー濃度パッチデータプリンタメモリ２５ｃ７、高品質モード用ブラック濃度パッチデータプリンタメモリ２５ｃ８）に記憶する」となる。
【０３２３】
次に、図１５に示す高品質モード用シアン濃度パッチ測定処理（Ｓ７２）（高品質モード用マゼンタ濃度パッチ測定処理（Ｓ７４）、高品質モード用イエロー濃度パッチ測定処理（Ｓ７６）、高品質モード用ブラック濃度パッチ測定処理（Ｓ７８））では、図１６に示す標準モード用シアン濃度パッチ測定処理のＳ９３の処理が、「高品質モード用シアン濃度パッチデータプリンタメモリ２５ｃ５（高品質モード用マゼンタ濃度パッチデータプリンタメモリ２５ｃ６、高品質モード用イエロー濃度パッチデータプリンタメモリ２５ｃ７、高品質モード用ブラック濃度パッチデータプリンタメモリ２５ｃ８）に記憶された各高品質モード用シアン濃度パッチデータ（各高品質モード用マゼンタ濃度パッチデータ、各高品質モード用イエロー濃度パッチデータ、各高品質モード用ブラック濃度パッチデータ）に基づき、各高品質モード用シアン濃度パッチ（各高品質モード用マゼンタ濃度パッチ、各高品質モード用イエロー濃度パッチ、各高品質モード用ブラック濃度パッチ）を搬送ベルト６８にそれぞれ形成する」となる。
【０３２４】
次に、図１５に示す高品質モード用シアン濃度パッチ測定処理（Ｓ７２）（高品質モード用マゼンタ濃度パッチ測定処理（Ｓ７４）、高品質モード用イエロー濃度パッチ測定処理（Ｓ７６）、高品質モード用ブラック濃度パッチ測定処理（Ｓ７８））では、図１６に示す標準モード用シアン濃度パッチ測定処理のＳ９４の処理が、「搬送ベルト６８に形成された各高品質モード用シアン濃度パッチ（各高品質モード用マゼンタ濃度パッチ、各高品質モード用イエロー濃度パッチ、各高品質モード用ブラック濃度パッチ）を濃度測定センサ８０でそれぞれ測定する」となる。
【０３２５】
次に、図１５に示す高品質モード用シアン濃度パッチ測定処理（Ｓ７２）（高品質モード用マゼンタ濃度パッチ測定処理（Ｓ７４）、高品質モード用イエロー濃度パッチ測定処理（Ｓ７６）、高品質モード用ブラック濃度パッチ測定処理（Ｓ７８））では、図１６に示す標準モード用シアン濃度パッチ測定処理のＳ９５の処理が、「各測定濃度を高品質モード用シアン測定濃度データプリンタメモリ２５ｄ５（高品質モード用マゼンタ測定濃度データプリンタメモリ２５ｄ６、高品質モード用イエロー測定濃度データプリンタメモリ２５ｄ７、高品質モード用ブラック測定濃度データプリンタメモリ２５ｄ８）にそれぞれ記憶する」となる。
【０３２６】
次に、図１５に示す高品質モード用シアン濃度パッチ測定処理（Ｓ７２）（高品質モード用マゼンタ濃度パッチ測定処理（Ｓ７４）、高品質モード用イエロー濃度パッチ測定処理（Ｓ７６）、高品質モード用ブラック濃度パッチ測定処理（Ｓ７８））では、図１６に示す標準モード用シアン濃度パッチ測定処理のＳ９６の処理が、「高品質モード用シアン測定濃度データプリンタメモリ２５ｄ５（高品質モード用マゼンタ測定濃度データプリンタメモリ２５ｄ６、高品質モード用イエロー測定濃度データプリンタメモリ２５ｄ７、高品質モード用ブラック測定濃度データプリンタメモリ２５ｄ８）に記憶された各測定濃度をＰＣ１２５へ送信する」となる。
【０３２７】
次に、図１５に示す高品質モード用シアン濃度パッチ測定処理（Ｓ７２）（高品質モード用マゼンタ濃度パッチ測定処理（Ｓ７４）、高品質モード用イエロー濃度パッチ測定処理（Ｓ７６）、高品質モード用ブラック濃度パッチ測定処理（Ｓ７８））では、図１６に示す標準モード用シアン濃度パッチ測定処理のＳ９７の処理が、「各基準濃度パッチＣ１〜Ｃ４（各基準濃度パッチＭ１〜Ｍ４、各基準濃度パッチＹ１〜Ｙ４、各基準濃度パッチＫ１〜Ｋ４）の濃度測定を実行するコマンドをＰＣ１２５から受信したか」となる。
【０３２８】
次に、図１５に示す高品質モード用シアン濃度パッチ測定処理（Ｓ７２）（高品質モード用マゼンタ濃度パッチ測定処理（Ｓ７４）、高品質モード用イエロー濃度パッチ測定処理（Ｓ７６）、高品質モード用ブラック濃度パッチ測定処理（Ｓ７８））では、図１６に示す標準モード用シアン濃度パッチ測定処理のＳ９８の処理が、「基準濃度パッチデータメモリ２４ａに記憶された各基準濃度パッチＣ１〜Ｃ４（各基準濃度パッチＭ１〜Ｍ４、各基準濃度パッチＹ１〜Ｙ４、各基準濃度パッチＫ１〜Ｋ４）を搬送ベルト６８にそれぞれ形成する」となる。
【０３２９】
次に、図１５に示す高品質モード用シアン濃度パッチ測定処理（Ｓ７２）（高品質モード用マゼンタ濃度パッチ測定処理（Ｓ７４）、高品質モード用イエロー濃度パッチ測定処理（Ｓ７６）、高品質モード用ブラック濃度パッチ測定処理（Ｓ７８））では、図１６に示す標準モード用シアン濃度パッチ測定処理のＳ９９の処理が、「搬送ベルト６８に形成された各基準濃度パッチＣ１〜Ｃ４（各基準濃度パッチＭ１〜Ｍ４、各基準濃度パッチＹ１〜Ｙ４、各基準濃度パッチＫ１〜Ｋ４）を濃度測定センサ８０でそれぞれ測定する」となる。
【０３３０】
次に、図１５に示す高品質モード用シアン濃度パッチ測定処理（Ｓ７２）（高品質モード用マゼンタ濃度パッチ測定処理（Ｓ７４）、高品質モード用イエロー濃度パッチ測定処理（Ｓ７６）、高品質モード用ブラック濃度パッチ測定処理（Ｓ７８））では、図１６に示す標準モード用シアン濃度パッチ測定処理のＳ１００の処理が、「各測定濃度を基準濃度パッチシアン測定濃度データプリンタメモリ２５ｂ１（基準濃度パッチマゼンタ測定濃度データプリンタメモリ２５ｂ２、基準濃度パッチイエロー測定濃度データプリンタメモリ２５ｂ３、基準濃度パッチブラック測定濃度データプリンタメモリ２５ｂ４）にそれぞれ記憶する」となる。
【０３３１】
最後に、図１５に示す高品質モード用シアン濃度パッチ測定処理（Ｓ７２）（高品質モード用マゼンタ濃度パッチ測定処理（Ｓ７４）、高品質モード用イエロー濃度パッチ測定処理（Ｓ７６）、高品質モード用ブラック濃度パッチ測定処理（Ｓ７８））では、図１６に示す標準モード用シアン濃度パッチ測定処理のＳ１０１の処理が、「基準濃度パッチシアン測定濃度データプリンタメモリ２５ｂ１（基準濃度パッチマゼンタ測定濃度データプリンタメモリ２５ｂ２、基準濃度パッチイエロー測定濃度データプリンタメモリ２５ｂ３、基準濃度パッチブラック測定濃度データプリンタメモリ２５ｂ４）に記憶された各測定濃度をＰＣ１２５へ送信する」となる。
【０３３２】
この図１５に示す高品質モード用シアン濃度パッチ測定処理（Ｓ７２）（高品質モード用マゼンタ濃度パッチ測定処理（Ｓ７４）、高品質モード用イエロー濃度パッチ測定処理（Ｓ７６）、高品質モード用ブラック濃度パッチ測定処理（Ｓ７８））により、ＰＣ１２５から送信された各高品質モード用シアン濃度パッチデータ（各高品質モード用マゼンタ濃度パッチデータ、各高品質モード用イエロー濃度パッチデータ、各高品質モード用ブラック濃度パッチデータ）に基づいて各高品質モード用シアン濃度パッチ（各高品質モード用マゼンタ濃度パッチ、各高品質モード用イエロー濃度パッチ、各高品質モード用ブラック濃度パッチ）を搬送ベルト６８に形成し、その濃度を測定してＰＣ１２５へ送信する処理と、基準濃度パッチＣ１〜Ｃ４（基準濃度パッチＭ１〜Ｍ４、基準濃度パッチＹ１〜Ｙ４、基準濃度パッチＫ１〜Ｋ４）（図６参照）を搬送ベルト６８に形成し、その濃度を測定してＰＣ１２５へ送信する処理とを行うことができる。
【０３３３】
図１１〜図１６を参照して説明した通り、ＰＣ１２５によって図１１〜図１４の処理が実行され、更には、カラーレーザープリンタ１によって図１５及び図１６の処理が実行されることにより、対応濃度データ領域１２８ｂに記憶する対応濃度データ（標準モード用対応濃度シアンデータ領域１２８ｂ１に記憶される標準モード用対応濃度シアンデータ、標準モード用対応濃度マゼンタデータ領域１２８ｂ２に記憶される標準モード用対応濃度マゼンタデータ、標準モード用対応濃度イエローデータ領域１２８ｂ３に記憶される標準モード用対応濃度イエローデータ、標準モード用対応濃度ブラックデータ領域１２８ｂ４に記憶される標準モード用対応濃度ブラックデータ、高品質モード用対応濃度シアンデータ領域１２８ｂ５に記憶される高品質モード用対応濃度シアンデータ、高品質モード用対応濃度マゼンタデータ領域１２８ｂ６に記憶される高品質モード用対応濃度マゼンタデータ、高品質モード用対応濃度イエローデータ領域１２８ｂ７に記憶される高品質モード用対応濃度イエローデータおよび高品質モード用対応濃度ブラックデータ領域１２８ｂ８に記憶される高品質モード用対応濃度ブラックデータ）を作成することができる。
【０３３４】
次に、ＰＣ１２５のＰＣ用ＨＤＤ１２８の補正テーブル領域１２８ｃに記憶する補正テーブルをＰＣ１２５及びカラーレーザープリンタ１が分担処理して作成する処理について説明する。最初に、図１７を参照して、カラーレーザープリンタ１で実行される処理について説明する。その後、図１８および図１９を参照して、ＰＣ１２５で実行される処理について説明する。
【０３３５】
まず、図１７を参照して、カラーレーザープリンタ１のプリンタ用ＣＰＵ２２で実行される基準濃度パッチ測定処理について説明する。図１７は、カラーレーザープリンタ１のプリンタ用ＣＰＵ２２で実行される基準濃度パッチ測定処理のフローチャートを示した図である。基準濃度パッチ測定処理は、基準濃度パッチＣ１〜Ｋ４（図６参照）を搬送ベルト６８に形成し、その濃度を測定してＰＣ１２５へ送信する処理である。この基準濃度パッチ測定処理は、図１５に示すモード変換処理のＳ７９の処理でキャリブレーション実行の入力があると判定された場合に（図１５のＳ７９：Ｙｅｓ）実行される処理である。
【０３３６】
基準濃度パッチ測定処理では、まずキャリブレーション実行コマンドをＰＣ１２５へ送信する（Ｓ１１０）。なお、このキャリブレーション実行コマンドがＰＣ１２５によって受信されると、ＰＣ１２５は後述する図１８に示す補正テーブル作成処理を実行する。
【０３３７】
Ｓ１１０の処理後、基準濃度パッチデータメモリ２４ａに記憶された各基準濃度パッチＣ１〜Ｋ４（図６参照）を搬送ベルト６８上にそれぞれ形成し（Ｓ１１１）、搬送ベルト６８に形成された各基準濃度パッチＣ１〜Ｋ４を濃度測定センサ８０でそれぞれ測定する（Ｓ１１２）。
【０３３８】
次に、各測定濃度を基準濃度パッチ測定濃度データプリンタメモリ２５ｂにそれぞれ記憶し（Ｓ１１３）、基準濃度パッチ測定濃度データプリンタメモリ２５ｂに記憶された各基準濃度パッチＣ１〜Ｋ４の各測定濃度をＰＣ１２５に送信し（Ｓ１１４）、このキャリブレーション処理を終了する。
【０３３９】
この基準濃度パッチ測定処理により、基準濃度パッチＣ１〜Ｋ４（図６参照）を搬送ベルト６８に形成し、その濃度を測定してＰＣ１２５へ送信する処理を実行することができる。
【０３４０】
次に、図１８を参照して、ＰＣ１２５のＰＣ用ＣＰＵ１２６で実行される補正テーブル作成処理について説明する。図１８は、ＰＣ１２５のＰＣ用ＣＰＵ１２６で実行される補正テーブル作成処理のフローチャートを示した図である。補正テーブル作成処理は、カラーレーザープリンタ１から送信された基準濃度パッチＣ１〜Ｋ４の各測定濃度を受信して、各補正テーブル（標準モード用シアン補正テーブル、標準モード用マゼンタ補正テーブル、標準モード用イエロー補正テーブル、標準モード用ブラック補正テーブル、高品質モード用シアン補正テーブル、高品質モード用マゼンタ補正テーブル、高品質モード用イエロー補正テーブル、高品質モード用ブラック補正テーブル）を作成する処理である。この補正テーブル作成処理は、カラーレーザープリンタ１から送信されたキャリブレーション実行コマンド（図１７のＳ１１０の処理参照）を受信した場合に実行される処理である。
【０３４１】
ただし、補正テーブル作成処理は、前述した対応濃度データがＰＣ１２５の対応濃度データ領域１２８ｂに記憶されている場合には実行されるが、対応濃度データがＰＣ１２５の対応濃度データ領域１２８ｂに記憶されていない場合には実行されない。対応濃度データがＰＣ１２５の対応濃度データ領域１２８ｂに記憶されていない場合には、補正テーブル作成処理の前に図１１〜図１６の処理が行われて、ＰＣ１２５の対応濃度データ領域１２８ｂに対応濃度データが記憶されたときに、この補正テーブル作成処理が実行される。
【０３４２】
これは、対応濃度データが対応濃度データ領域１２８ｂに記憶されていなければ、基準濃度パッチＣ１〜Ｋ４と測定濃度が略同一となる各ディザマトリクスの各設定濃度が分からないので、基準濃度パッチＣ１〜Ｋ４の各測定濃度を測定したとしても、各ディザマトリクスの測定濃度を求めることができないためである。
【０３４３】
なお、補正テーブルとは、記録用紙３に形成される画像の各濃度が、目標データメモリ１２９ｇのそれぞれに記憶される各測定濃度の目標値となるように各ディザマトリクスの各設定濃度を適切に補正するためテーブルである。
【０３４４】
補正テーブル作成処理では、まず各基準濃度パッチＣ１〜Ｋ４の各測定濃度を全て受信したか否かが判定される（Ｓ１２０）。各基準濃度パッチＣ１〜Ｋ４の各測定濃度を全て受信していない場合には（Ｓ１２０：Ｎｏ）、各基準濃度パッチＣ１〜Ｋ４の各測定濃度を全て受信するまで、Ｓ１２０の処理を繰り返し実行する。
【０３４５】
一方、各基準濃度パッチＣ１〜Ｋ４の各測定濃度を全て受信した場合には（Ｓ１２０：Ｙｅｓ）、受信した各基準濃度パッチＣ１〜Ｋ４の各測定濃度を基準濃度パッチ測定濃度データメモリ１２９ｃにそれぞれ記憶する（Ｓ１２１）。
【０３４６】
次に、標準モード用シアンディザマトリクス領域１２８ａ１に記憶された標準モード用シアンディザマトリクス（記録用紙３に形成される画像が標準モードであり、記録用紙３に形成される画像の色がシアン色の場合に使用されるディザマトリクス）を用いて形成される画像の濃度が、標準モード用シアン目標データメモリ１２９ｇ１に記憶される各測定濃度の目標値となるように、標準モード用シアンディザマトリクスの各設定濃度を適切に補正するための標準モード用シアン補正テーブルを作成する処理である標準モード用シアン補正テーブル作成処理が実行される（Ｓ１２２）。
【０３４７】
次に、標準モード用マゼンタディザマトリクス領域１２８ａ２に記憶された標準モード用マゼンタディザマトリクス（記録用紙３に形成される画像が標準モードであり、記録用紙３に形成される画像の色がマゼンタ色の場合に使用されるディザマトリクス）を用いて形成される画像の濃度が、標準モード用マゼンタ目標データメモリ１２９ｇ２に記憶される各測定濃度の目標値となるように、標準モード用マゼンタディザマトリクスの各設定濃度を適切に補正するための標準モード用マゼンタ補正テーブルを作成する処理である標準モード用マゼンタ補正テーブル作成処理が実行される（Ｓ１２３）。
【０３４８】
次に、標準モード用イエローディザマトリクス領域１２８ａ３に記憶された標準モード用イエローディザマトリクス（記録用紙３に形成される画像が標準モードであり、記録用紙３に形成される画像の色がイエロー色の場合に使用されるディザマトリクス）を用いて形成される画像の濃度が、標準モード用イエロー目標データメモリ１２９ｇ３に記憶される各測定濃度の目標値となるように、標準モード用イエローディザマトリクスの各設定濃度を適切に補正するための標準モード用イエロー補正テーブルを作成する処理である標準モード用イエロー補正テーブル作成処理が実行される（Ｓ１２４）。
【０３４９】
次に、標準モード用ブラックディザマトリクス領域１２８ａ４に記憶された標準モード用ブラックディザマトリクス（記録用紙３に形成される画像が標準モードであり、記録用紙３に形成される画像の色がブラック色の場合に使用されるディザマトリクス）を用いて形成される画像の濃度が、標準モード用ブラック目標データメモリ１２９ｇ４に記憶される各測定濃度の目標値となるように、標準モード用ブラックディザマトリクスの各設定濃度を適切に補正するための標準モード用ブラック補正テーブルを作成する処理である標準モード用ブラック補正テーブル作成処理が実行される（Ｓ１２５）。
【０３５０】
次に、高品質モード用シアンディザマトリクス領域１２８ａ５に記憶された高品質モード用シアンディザマトリクス（記録用紙３に形成される画像が高品質モードであり、記録用紙３に形成される画像の色がシアン色の場合に使用されるディザマトリクス）を用いて形成される画像の濃度が、高品質モード用シアン目標データメモリ１２９ｇ５に記憶される各測定濃度の目標値となるように、高品質モード用シアンディザマトリクスの各設定濃度を適切に補正するための高品質モード用シアン補正テーブルを作成する処理である高品質モード用シアン補正テーブル作成処理が実行される（Ｓ１２６）。
【０３５１】
次に、高品質モード用マゼンタディザマトリクス領域１２８ａ６に記憶された高品質モード用マゼンタディザマトリクス（記録用紙３に形成される画像が高品質モードであり、記録用紙３に形成される画像の色がマゼンタ色の場合に使用されるディザマトリクス）を用いて形成される画像の濃度が、高品質モード用マゼンタ目標データメモリ１２９ｇ６に記憶される各測定濃度の目標値となるように、高品質モード用マゼンタディザマトリクスの各設定濃度を適切に補正するための高品質モード用マゼンタ補正テーブルを作成する処理である高品質モード用マゼンタ補正テーブル作成処理が実行される（Ｓ１２７）。
【０３５２】
次に、高品質モード用イエローディザマトリクス領域１２８ａ７に記憶された高品質モード用イエローディザマトリクス（記録用紙３に形成される画像が高品質モードであり、記録用紙３に形成される画像の色がイエロー色の場合に使用されるディザマトリクス）を用いて形成される画像の濃度が、高品質モード用イエロー目標データメモリ１２９ｇ７に記憶される各測定濃度の目標値となるように、高品質モード用イエローディザマトリクスの各設定濃度を適切に補正するための高品質モード用イエロー補正テーブルを作成する処理である高品質モード用イエロー補正テーブル作成処理が実行される（Ｓ１２８）。
【０３５３】
最後に、高品質モード用ブラックディザマトリクス領域１２８ａ８に記憶された高品質モード用ブラックディザマトリクス（記録用紙３に形成される画像が高品質モードであり、記録用紙３に形成される画像の色がブラック色の場合に使用されるディザマトリクス）を用いて形成される画像の濃度が、高品質モード用ブラック目標データメモリ１２９ｇ８に記憶される各測定濃度の目標値となるように、高品質モード用ブラックディザマトリクスの各設定濃度を適切に補正するための高品質モード用ブラック補正テーブルを作成する処理である高品質モード用ブラック補正テーブル作成処理が実行される（Ｓ１２９）。
【０３５４】
このＳ１２９の処理後、補正テーブル作成処理を終了する。この補正テーブル作成処理により、カラーレーザープリンタ１から送信された基準濃度パッチＣ１〜Ｋ４の各測定濃度を受信して、各補正テーブル（標準モード用シアン補正テーブル、標準モード用マゼンタ補正テーブル、標準モード用イエロー補正テーブル、標準モード用ブラック補正テーブル、高品質モード用シアン補正テーブル、高品質モード用マゼンタ補正テーブル、高品質モード用イエロー補正テーブル、高品質モード用ブラック補正テーブル）を作成する処理を実行することができる。
【０３５５】
次に、図１９を参照して、ＰＣ１２５のＰＣ用ＣＰＵ１２６で実行される標準モード用シアン補正テーブル作成処理について説明する。図１９は、ＰＣ１２５のＰＣ用ＣＰＵ１２６で実行される標準モード用シアン補正テーブル作成処理のフローチャートを示した図である。
【０３５６】
この標準モード用シアン補正テーブル作成処理は、標準モード用シアンディザマトリクス領域１２８ａ１に記憶された標準モード用シアンディザマトリクス（記録用紙３に形成される画像が標準モードであり、記録用紙３に形成される画像の色がシアン色の場合に使用されるディザマトリクス）を用いて形成される画像の濃度が、標準モード用シアン目標データメモリ１２９ｇ１に記憶される各測定濃度の目標値となるように、標準モード用シアンディザマトリクスの各設定濃度を適切に補正するための標準モード用シアン補正テーブルを作成する処理である。
【０３５７】
標準モード用シアン補正テーブル作成処理では、まず基準濃度パッチシアン測定濃度データメモリ１２９ｃ１から基準濃度パッチＣ１〜Ｃ４の各測定濃度を取得する（Ｓ１３０）。
【０３５８】
ここで、図２５を参照して、図１８に示す補正テーブル作成処理のＳ１２１の処理により基準濃度パッチシアン測定濃度データメモリ１２９ｃ１に記憶された基準濃度パッチＣ１〜Ｃ４の各測定濃度（基準濃度パッチシアン測定濃度データ）について説明する。図２５は、基準濃度パッチシアン測定濃度データメモリ１２９ｃ１の内容を示した図である。
【０３５９】
なお、図２５においては、例として、基準濃度パッチシアン測定濃度データメモリ１２９ｃ１に記憶された基準濃度パッチシアン測定濃度データを示しているが、基準濃度パッチマゼンタ測定濃度データメモリ１２９ｃ２に記憶された基準濃度パッチマゼンタ測定濃度データと、基準濃度パッチイエロー測定濃度データメモリ１２９ｃ３に記憶された基準濃度パッチイエロー測定濃度データと、基準濃度パッチブラック測定濃度データメモリ１２９ｃ１に記憶された基準濃度パッチブラック測定濃度データとは、基準濃度パッチシアン測定濃度データメモリ１２９ｃ１に記憶された基準濃度パッチシアン測定濃度データと同様の構成である。よって、説明を省略する。
【０３６０】
基準濃度パッチシアン測定濃度データメモリ１２９ｃ１に記憶された基準濃度パッチシアン測定濃度データは、図１８に示す補正テーブル作成処理のＳ１２１の処理によりカラーレーザープリンタ１から受信した基準濃度パッチＣ１〜Ｃ４（設定濃度２０％，４０％，６０％，８０％）の各測定濃度を示している。よって、基準濃度パッチＣ１（設定濃度が２０％）がカラーレーザープリンタ１の濃度測定センサ８０で測定された測定濃度は「０．１３」である。また、基準濃度パッチＣ２（設定濃度が４０％）がカラーレーザープリンタ１の濃度測定センサ８０で測定された測定濃度は「０．２６」であり、基準濃度パッチＣ３（設定濃度が６０％）がカラーレーザープリンタ１の濃度測定センサ８０で測定された測定濃度は「０．４０」であり、基準濃度パッチＣ４（設定濃度が８０％）がカラーレーザープリンタ１の濃度測定センサ８０で測定された測定濃度は「０．６１」である。
【０３６１】
図１８に示す補正テーブル作成処理のＳ１２１の処理によりカラーレーザープリンタ１から受信した基準濃度パッチシアン測定濃度データメモリ１２９ｃ１に記憶される基準濃度パッチシアン測定濃度データ、即ち、基準濃度パッチＣ１〜Ｃ４（設定濃度２０％，４０％，６０％，８０％）の各測定濃度は、カラーレーザープリンタ１の内部温度等により変化する。よって、キャリブレーションを実行する度に基準濃度パッチＣ１〜Ｃ４の測定濃度をカラーレーザープリンタ１からＰＣ１２５が受信することで、正確なキャリブレーションを実行することができる。
【０３６２】
図１９の説明に戻る。Ｓ１３０の処理後、標準モード用対応濃度シアンデータ領域１２８ｂ１に記憶された標準モード用対応濃度シアンデータを取得する（Ｓ１３１、図２４参照）。次に、Ｓ１３０の処理で取得した基準濃度パッチシアン測定濃度データ（基準濃度パッチＣ１〜Ｃ４の各測定濃度、図２５参照）とＳ１３１の処理で取得した標準モード用対応濃度シアンデータ（図２４参照）とを対応付けて、標準モード用対応測定シアンデータメモリ１２９ｅ１に記憶する（Ｓ１３２）。
【０３６３】
ここで、Ｓ１３２の処理によって作成される標準モード用対応測定シアンデータについて、図２６を用いて説明する。図２６は、標準モード用対応測定シアンデータが記憶された標準モード用対応測定シアンデータメモリ１２９ｅ１の内容を示した図である。
【０３６４】
なお、図２６においては、例として、標準モード用対応測定シアンデータメモリ１２９ｅ１に記憶された標準モード用対応測定シアンデータを示しているが、標準モード用対応測定マゼンタデータメモリ１２９ｅ２に記憶された標準モード用対応測定マゼンタデータと、標準モード用対応測定イエローデータメモリ１２９ｅ３に記憶された標準モード用対応測定イエローデータと、標準モード用対応測定ブラックデータメモリ１２９ｅ４に記憶された標準モード用対応測定ブラックデータと、高品質モード用対応測定シアンデータメモリ１２９ｅ５に記憶された高品質モード用対応測定シアンデータと、高品質モード用対応測定マゼンタデータメモリ１２９ｅ６に記憶された高品質モード用対応測定マゼンタデータと、高品質モード用対応測定イエローデータメモリ１２９ｅ７に記憶された高品質モード用対応測定イエローデータと、高品質モード用対応測定ブラックデータメモリ１２９ｅ８に記憶された高品質モード用対応測定ブラックデータとは、標準モード用対応測定シアンデータメモリ１２９ｅ１に記憶された標準モード用対応測定シアンデータと同様の構成である。よって、説明を省略する。
【０３６５】
標準モード用対応測定シアンデータメモリ１２９ｅ１に記憶される標準モード用対応測定シアンデータは、基準濃度パッチシアン測定濃度データメモリ１２９ｃ１に記憶された基準濃度パッチシアン測定濃度データ（基準濃度パッチＣ１〜Ｃ４の各測定濃度、図２５参照）と標準モード用対応濃度シアンデータ領域１２８ｂ１に記憶された標準モード用対応濃度シアンデータ（図２４参照）とを対応付けたデータから構成されている。
【０３６６】
ここで、上記の対応付けについて説明する。標準モード用対応濃度シアンデータ領域１２８ｂ１に記憶された標準モード用対応濃度シアンデータ（図２４参照）は、基準濃度パッチＣ１〜Ｋ４の各測定濃度と略同一となる標準モード用シアンディザマトリクスの各設定濃度を示している。よって、各基準濃度パッチＣ１〜Ｃ４の各測定濃度を、標準モード用対応濃度シアンデータ領域１２８ｂ１に記憶された各設定濃度に標準モード用シアンディザマトリクスの各設定濃度を設定したときの各測定濃度とすることができる。これにより、標準モード用対応濃度シアンデータ領域１２８ｂ１に記憶された各設定濃度に、基準濃度パッチシアン測定濃度データメモリ１２９ｃ１に記憶された基準濃度パッチＣ１〜Ｃ４の各測定濃度を対応付けるのである。
【０３６７】
よって、標準モード用シアンディザマトリクスの設定濃度「２５．８（％）」と基準濃度パッチＣ１（設定濃度が２０％）がカラーレーザープリンタ１の濃度測定センサ８０で測定された測定濃度「０．１３」とが対応付けられている。また、標準モード用シアンディザマトリクスの設定濃度「４９．１（％）」と基準濃度パッチＣ２（設定濃度が４０％）がカラーレーザープリンタ１の濃度測定センサ８０で測定された測定濃度「０．２６」とが対応付けられている。また、標準モード用シアンディザマトリクスの設定濃度「６７．０（％）」と基準濃度パッチＣ３（設定濃度が６０％）がカラーレーザープリンタ１の濃度測定センサ８０で測定された測定濃度「０．４０」とが対応付けられている。最後に、標準モード用シアンディザマトリクスの設定濃度「８７．２（％）」と基準濃度パッチＣ４（設定濃度が８０％）がカラーレーザープリンタ１の濃度測定センサ８０で測定された測定濃度「０．６１」が対応付けられている。
【０３６８】
この対応付けにより、基準濃度パッチＣ１〜Ｃ４を濃度測定センサ８０で測定すれば、標準モード用対応濃度シアンデータ領域１２８ｂ１に記憶された各設定濃度に標準モード用シアンディザマトリクスの各設定濃度を設定したときの各測定濃度を濃度測定センサ８０で測定することなく、その測定濃度を求めることができる。
【０３６９】
よって、対応濃度シアンデータが標準モード用対応濃度シアンデータ領域１２８ｂ１に記憶されていれば、キャリブレーションを、基準濃度パッチＣ１〜Ｃ４をカラーレーザープリンタ１の搬送ベルト６８に形成し、その濃度を測定してＰＣ１２５へ送信するのみで行うことができる。従って、キャリブレーションに費やす時間を大幅に短縮することができる。
【０３７０】
図１９の説明に戻る。Ｓ１３２の処理後、標準モード用対応測定シアンデータメモリ１２９ｅ１に記憶された標準モード用対応測定シアンデータを直線補間方法により補間し、標準モード用シアン補間データメモリ１２９ｆ１に記憶する（Ｓ１３３）。このＳ１３３の処理により作成される標準モード用シアン補間データは、標準モード用対応測定シアンデータメモリ１２９ｅ１に記憶された標準モード用対応測定シアンデータ（図２６参照）のよりも詳細なデータで構成される。このように、標準モード用対応測定シアンデータメモリ１２９ｅ１に記憶された標準モード用対応測定シアンデータを直線補間方法により補間して、標準モード用シアン補間データを算出することで、標準モード用シアン目標データメモリ１２９ｇ１に記憶された標準モード用シアン目標データとの対比が容易となる。なお、補間方法については、直線補間方法のみならず、スプライン補間方法等を採用しても良い。
【０３７１】
Ｓ１３３の処理後、標準モード用シアン補間データメモリ１２９ｆ１から標準モード用シアン補間データを、標準モード用シアン目標データメモリ１２９ｇ１から標準モード用シアン目標データをそれぞれ取得し、標準モード用シアン補正テーブルを作成し、標準モード用シアン補正テーブル領域１２８ｃ１に記憶して（Ｓ１３４）、この標準モード用シアン補正テーブル作成処理を終了する。
【０３７２】
ここで、Ｓ１３３からＳ１３４の処理について、図２７を用いて説明する。図２７（ａ）は、標準モード用シアン補間データメモリ１２９ｆ１に記憶された標準モード用シアン補間データを示した図であり、図２７（ｂ）は、標準モード用シアン目標データメモリ１２９ｇ１に記憶された標準モード用シアン目標データを示した図である。また、図２７（ｃ）は、標準モード用シアン補間データメモリ１２９ｆ１に記憶された標準モード用シアン補間データと、標準モード用シアン目標データメモリ１２９ｇ１に記憶された標準モード用シアン目標データとをプロットしたグラフであり、図１９（ｄ）は、標準モード用シアン補正テーブル領域１２８ｃ１に記憶された標準モード用シアン補正テーブルを示した図である。
【０３７３】
なお、図２７（ａ）においては、例として、標準モード用シアン補間データメモリ１２９ｆ１に記憶された標準モード用シアン補間データを示しているが、標準モード用マゼンタ補間データメモリ１２９ｆ２に記憶された標準モード用マゼンタ補間データと、標準モード用イエロー補間データメモリ１２９ｆ３に記憶された標準モード用イエロー補間データと、標準モード用ブラック補間データメモリ１２９ｆ４に記憶された標準モード用ブラック補間データと、高品質モード用シアン補間データメモリ１２９ｆ５に記憶された高品質モード用シアン補間データと、高品質モード用マゼンタ補間データメモリ１２９ｆ６に記憶された高品質モード用マゼンタ補間データと、高品質モード用イエロー補間データメモリ１２９ｆ７に記憶された高品質モード用イエロー補間データと、高品質モード用ブラック補間データメモリ１２９ｆ８に記憶された高品質モード用ブラック補間データとは、標準モード用シアン補間データメモリ１２９ｆ１に記憶された標準モード用シアン補間データと同様の構成である。よって、説明を省略する。
【０３７４】
また、図２７（ｂ）においては、例として、標準モード用シアン目標データメモリ１２９ｇ１に記憶された標準モード用シアン目標データを示しているが、標準モード用マゼンタ目標データメモリ１２９ｇ２に記憶された標準モード用マゼンタ目標データと、標準モード用イエロー目標データメモリ１２９ｇ３に記憶された標準モード用イエロー目標データと、標準モード用ブラック目標データメモリ１２９ｇ４に記憶された標準モード用ブラック目標データと、高品質モード用シアン目標データメモリ１２９ｇ５に記憶された高品質モード用シアン目標データと、高品質モード用マゼンタ目標データメモリ１２９ｇ６に記憶された高品質モード用マゼンタ目標データと、高品質モード用イエロー目標データメモリ１２９ｇ７に記憶された高品質モード用イエロー目標データと、高品質モード用ブラック目標データメモリ１２９ｇ８に記憶された高品質モード用ブラック目標データとは、標準モード用シアン目標データメモリ１２９ｇ１に記憶された標準モード用シアン目標データと同様の構成である。よって、説明を省略する。
【０３７５】
また、図２７（ｃ）においては、例として、標準モード用シアン補間データメモリ１２９ｆ１に記憶された標準モード用シアン補間データと、標準モード用シアン目標データメモリ１２９ｇ１に記憶された標準モード用シアン目標データとをプロットしたグラフを示している。ただし、標準モード用マゼンタ補間データメモリ１２９ｆ２に記憶された標準モード用マゼンタ補間データおよび標準モード用マゼンタ目標データメモリ１２９ｇ２に記憶された標準モード用マゼンタ目標データをプロットしたグラフと、標準モード用イエロー補間データメモリ１２９ｆ３に記憶された標準モード用イエロー補間データおよび標準モード用イエロー目標データメモリ１２９ｇ３に記憶された標準モード用イエロー目標データをプロットしたグラフと、標準モード用ブラック補間データメモリ１２９ｆ４に記憶された標準モード用ブラック補間データおよび標準モード用ブラック目標データメモリ１２９ｇ４に記憶された標準モード用ブラック目標データをプロットしたグラフと、高品質モード用シアン補間データメモリ１２９ｆ５に記憶された高品質モード用シアン補間データおよび高品質モード用シアン目標データメモリ１２９ｇ５に記憶された高品質モード用シアン目標データをプロットしたグラフと、高品質モード用マゼンタ補間データメモリ１２９ｆ６に記憶された高品質モード用マゼンタ補間データおよび高品質モード用マゼンタ目標データメモリ１２９ｇ６に記憶された高品質モード用マゼンタ目標データをプロットしたグラフと、高品質モード用イエロー補間データメモリ１２９ｆ７に記憶された高品質モード用イエロー補間データおよび高品質モード用イエロー目標データメモリ１２９ｇ７に記憶された高品質モード用イエロー目標データをプロットしたグラフと、高品質モード用ブラック補間データメモリ１２９ｆ８に記憶された高品質モード用ブラック補間データおよび高品質モード用ブラック目標データメモリ１２９ｇ８に記憶された高品質モード用ブラック目標データをプロットしたグラフとは、標準モード用シアン補間データメモリ１２９ｆ１に記憶された標準モード用シアン補間データおよび標準モード用シアン目標データメモリ１２９ｇ１に記憶された標準モード用シアン目標データをプロットしたグラフと同様の構成である。よって、説明を省略する。
【０３７６】
また、図２７（ｄ）においては、例として、標準モード用シアン補正テーブル領域１２８ｃ１に記憶された標準モード用シアン補正テーブルを示しているが、標準モード用マゼンタ補正テーブル領域１２８ｃ２に記憶された標準モード用マゼンタ補正テーブルと、標準モード用イエロー補正テーブル領域１２８ｃ３に記憶された標準モード用イエロー補正テーブルと、標準モード用ブラック補正テーブル領域１２８ｃ４に記憶された標準モード用ブラック補正テーブルと、高品質モード用シアン補正テーブル領域１２８ｃ５に記憶された高品質モード用シアン補正テーブルと、高品質モード用マゼンタ補正テーブル領域１２８ｃ６に記憶された高品質モード用マゼンタ補正テーブルと、高品質モード用イエロー補正テーブル領域１２８ｃ７に記憶された高品質モード用イエロー補正テーブルと、高品質モード用ブラック補正テーブル領域１２８ｃ８に記憶された高品質モード用ブラック補正テーブルとは、標準モード用シアン補正テーブル領域１２８ｃ１に記憶された標準モード用シアン補正テーブルと同様の構成である。よって、説明を省略する。
【０３７７】
図２７（ａ）に示すように、標準モード用シアン補間データメモリ１２９ｆ１には、標準モード用対応測定シアンデータメモリ１２９ｅ１に記憶された標準モード用対応測定シアンデータを直線補間方法により補間した値である標準モード用シアン補間データが記憶されている。
【０３７８】
図２７（ｂ）に示すように、標準モード用シアン目標データメモリ１２９ｇ１には、標準モード用シアンディザマトリクスの各設定濃度に対する測定濃度の目標値が予め設定された標準モード用シアン目標データが記憶されている。
【０３７９】
図２７（ａ）に示す標準モード用シアン補間データメモリ１２９ｆ１に記憶された標準モード用シアン補間データと、図２７（ｂ）に示す標準モード用シアン目標データメモリ１２９ｇ１に記憶された標準モード用シアン目標データとをプロットしたグラフを図２７（ｃ）に示す。
【０３８０】
図２７（ｃ）のグラフは、横軸を設定濃度（％）、縦軸を濃度としている。よって、図２７（ａ）に示す標準モード用シアンディザマトリクスの設定濃度を補間した値および図２７（ｂ）に示す標準モード用シアンディザマトリクスの設定濃度が横軸となり、図２７（ａ）に示す標準モード用シアン補間データおよび図２７（ｂ）に示す標準モード用シアン目標データが縦軸となる。
【０３８１】
図２７（ｃ）に示すように、例えば、標準モード用シアンディザマトリクスの設定濃度が２５．８（％）の場合、標準モード用シアン目標データの濃度（測定濃度の目標値）が０．２５８であるのに対し、標準モード用シアン補間データの濃度は０．１３０となっている。従って、標準モード用シアンディザマトリクス領域１２８ａ１に記憶された標準モード用シアンディザマトリクスの設定濃度を２５．８（％）として印刷用紙３にシアン色の画像を印刷しても、その印刷されたシアン色の画像の濃度測定センサ８０による測定濃度は０．１３０となり、標準モード用シアン目標データの濃度である０．２５８よりも濃度が低くなる。
【０３８２】
この場合には、印刷されたシアン色の画像の濃度測定センサ８０による測定濃度を標準モード用シアン目標データの濃度（測定濃度の目標値）と同じ０．２５８にするために、標準モード用シアンディザマトリクスの設定濃度をいくつに設定すればよいかを、図２７（ｃ）からＰＣ用ＣＰＵ１２６が読み取る。印刷されたシアン色の画像の測定濃度を０．２５８にするためには、図２７（ｃ）に示すように、標準モード用シアンディザマトリクスの設定濃度を４８．７４（％）に補正すればよいことが分かる。
【０３８３】
また、例えば、標準モード用シアンディザマトリクスの設定濃度が８７．２（％）の場合、標準モード用シアン目標データの濃度（測定濃度の目標値）が０．８７２であるのに対し、標準モード用シアン補間データの濃度は０．６１０となっている。従って、標準モード用シアンディザマトリクス領域１２８ａ１に記憶された標準モード用シアンディザマトリクスの設定濃度を８７．２（％）として印刷用紙３にシアン色の画像を印刷しても、その印刷されたシアン色の画像の濃度測定センサ８０による測定濃度は０．６１０となり、標準モード用シアン目標データの濃度である０．８７２よりも濃度が低くなる。
【０３８４】
この場合には、印刷されたシアン色の画像の濃度測定センサ８０による測定濃度を標準モード用シアン目標データの濃度（測定濃度の目標値）と同じ０．８７２にするために、設定濃度をいくつに設定すればよいかを、図２７（ｃ）からＰＣ用ＣＰＵ１２６が読み取る。印刷されたシアン色の画像の測定濃度を０．８７２にするためには、図２７（ｃ）に示すように、標準モード用シアンディザマトリクスの設定濃度を９５．８（％）に補正すればよいことが分かる。
【０３８５】
このようにして、図２７（ｃ）のグラフから読み取った補正量を一覧にしたテーブルが、図２７（ｄ）に示す標準モード用シアン補正テーブル領域１２８ｃ１に記憶された標準モード用シアン補正テーブルとなる。
【０３８６】
図１９の説明に戻る。図１９に示す標準モード用シアン補正テーブル作成処理により、標準モード用シアンディザマトリクス領域１２８ａ１に記憶された標準モード用シアンディザマトリクス（記録用紙３に形成される画像が標準モードであり、記録用紙３に形成される画像の色がシアン色の場合に使用されるディザマトリクス）を用いて形成される画像の濃度が、標準モード用シアン目標データメモリ１２９ｇ１に記憶される各測定濃度の目標値となるように、標準モード用シアンディザマトリクスの各設定濃度を適切に補正するための標準モード用シアン補正テーブルを作成することができる。
【０３８７】
なお、図１９に示す標準モード用シアン補正テーブル作成処理の処理方法と、図１８に示す標準モード用マゼンタ補正テーブル作成処理（Ｓ１２３）、標準モード用イエロー補正テーブル作成処理（Ｓ１２４）、標準モード用ブラック補正テーブル作成処理（Ｓ１２５）、高品質モード用シアン補正テーブル作成処理（Ｓ１２６）、高品質モード用マゼンタ補正テーブル作成処理（Ｓ１２７）、高品質モード用イエロー補正テーブル作成処理（Ｓ１２８）および高品質モード用ブラック補正テーブル作成処理（Ｓ１２９）の各処理の処理方法とは同じである。
【０３８８】
よって、図１８に示す標準モード用マゼンタ補正テーブル作成処理（Ｓ１２３）、標準モード用イエロー補正テーブル作成処理（Ｓ１２４）、標準モード用ブラック補正テーブル作成処理（Ｓ１２５）、高品質モード用シアン補正テーブル作成処理（Ｓ１２６）、高品質モード用マゼンタ補正テーブル作成処理（Ｓ１２７）、高品質モード用イエロー補正テーブル作成処理（Ｓ１２８）および高品質モード用ブラック補正テーブル作成処理（Ｓ１２９）の各処理については、図１９に示す標準モード用シアン補正テーブル作成処理と異なる処理の内容のみを説明する。
【０３８９】
図１８に示す標準モード用マゼンタ補正テーブル作成処理（Ｓ１２３）（標準モード用イエロー補正テーブル作成処理（Ｓ１２４）、標準モード用ブラック補正テーブル作成処理（Ｓ１２５））は、標準モード用マゼンタディザマトリクス領域１２８ａ２（標準モード用イエローディザマトリクス領域１２８ａ３、標準モード用ブラックディザマトリクス領域１２８ａ４）に記憶された標準モード用マゼンタディザマトリクス（標準モード用イエローディザマトリクス、標準モード用ブラックディザマトリクス）を用いて形成される画像の濃度が、標準モード用マゼンタ目標データメモリ１２９ｇ２（標準モード用イエロー目標データメモリ１２９ｇ３、標準モード用ブラック目標データメモリ１２９ｇ４）に記憶される各測定濃度の目標値となるように、標準モード用マゼンタディザマトリクス（標準モード用イエローディザマトリクス、標準モード用ブラックディザマトリクス）の各設定濃度を適切に補正するための標準モード用マゼンタ補正テーブル（標準モード用イエロー補正テーブル、標準モード用ブラック補正テーブル）を作成する処理である。
【０３９０】
図１８に示す標準モード用マゼンタ補正テーブル作成処理（Ｓ１２３）（標準モード用イエロー補正テーブル作成処理（Ｓ１２４）、標準モード用ブラック補正テーブル作成処理（Ｓ１２５））では、図１９に示す標準モード用シアン補正テーブル作成処理のＳ１３０の処理が、「基準濃度パッチマゼンタ測定濃度データメモリ１２９ｃ２（基準濃度パッチイエロー測定濃度データメモリ１２９ｃ３、基準濃度パッチブラック測定濃度データメモリ１２９ｃ４）から基準濃度パッチＭ１〜Ｍ４（基準濃度パッチＹ１〜Ｙ４、基準濃度パッチＫ１〜Ｋ４）の各測定濃度を取得する」となる。
【０３９１】
次に、図１８に示す標準モード用マゼンタ補正テーブル作成処理（Ｓ１２３）（標準モード用イエロー補正テーブル作成処理（Ｓ１２４）、標準モード用ブラック補正テーブル作成処理（Ｓ１２５））では、図１９に示す標準モード用シアン補正テーブル作成処理のＳ１３１の処理が、「標準モード用対応濃度マゼンタデータ領域１２８ｂ２（標準モード用対応濃度イエローデータ領域１２８ｂ３、標準モード用対応濃度ブラックデータ領域１２８ｂ４）から標準モード用対応濃度マゼンタデータ（標準モード用対応濃度イエローデータ、標準モード用対応濃度ブラックデータ）を取得する」となる。
【０３９２】
次に、図１８に示す標準モード用マゼンタ補正テーブル作成処理（Ｓ１２３）（標準モード用イエロー補正テーブル作成処理（Ｓ１２４）、標準モード用ブラック補正テーブル作成処理（Ｓ１２５））では、図１９に示す標準モード用シアン補正テーブル作成処理のＳ１３２の処理が、「Ｓ１３０で取得した基準濃度パッチマゼンタ測定濃度データ（基準濃度パッチイエロー測定濃度データ、基準濃度パッチブラック測定濃度データ）とＳ１３１で取得した標準モード用対応濃度マゼンタデータ（標準モード用対応濃度イエローデータ、標準モード用対応濃度ブラックデータ）とを対応付けて、標準モード用対応測定マゼンタデータメモリ１２９ｅ２（標準モード用対応測定イエローデータメモリ１２９ｅ３、標準モード用対応測定ブラックデータメモリ１２９ｅ４）に記憶する」となる。
【０３９３】
次に、図１８に示す標準モード用マゼンタ補正テーブル作成処理（Ｓ１２３）（標準モード用イエロー補正テーブル作成処理（Ｓ１２４）、標準モード用ブラック補正テーブル作成処理（Ｓ１２５））では、図１９に示す標準モード用シアン補正テーブル作成処理のＳ１３３の処理が、「標準モード用対応測定マゼンタデータメモリ１２９ｅ２（標準モード用対応測定イエローデータメモリ１２９ｅ３、標準モード用対応測定ブラックデータメモリ１２９ｅ４）に記憶された標準モード用対応測定マゼンタデータ（標準モード用対応測定イエローデータ、標準モード用対応測定ブラックデータ）を直線補間方法により補間し、標準モード用マゼンタ補間データメモリ１２９ｆ２（標準モード用イエロー補間データメモリ１２９ｆ３、標準モード用ブラック補間データメモリ１２９ｆ４）に記憶する」となる。
【０３９４】
最後に、図１８に示す標準モード用マゼンタ補正テーブル作成処理（Ｓ１２３）（標準モード用イエロー補正テーブル作成処理（Ｓ１２４）、標準モード用ブラック補正テーブル作成処理（Ｓ１２５））では、図１９に示す標準モード用シアン補正テーブル作成処理のＳ１３４の処理が、「標準モード用マゼンタ補間データメモリ１２９ｆ２（標準モード用イエロー補間データメモリ１２９ｆ３、標準モード用ブラック補間データメモリ１２９ｆ４）から標準モード用マゼンタ補間データ（標準モード用イエロー補間データ、標準モード用ブラック補間データ）を、標準モード用マゼンタ目標データメモリ１２９ｇ２（標準モード用イエロー目標データメモリ１２９ｇ３、標準モード用ブラック目標データメモリ１２９ｇ４）から標準モード用マゼンタ目標データ（標準モード用イエロー目標データ、標準モード用ブラック目標データ）をそれぞれ取得し、標準モード用マゼンタ補正テーブル（標準モード用イエロー補正テーブル、標準モード用ブラック補正テーブル）を作成し、標準モード用マゼンタ補正テーブル領域１２８ｃ２（標準モード用イエロー補正テーブル領域１２８ｃ３、標準モード用ブラック補正テーブル領域１２８ｃ４）に記憶する」となる。
【０３９５】
図１８に示す標準モード用マゼンタ補正テーブル作成処理（Ｓ１２３）（標準モード用イエロー補正テーブル作成処理（Ｓ１２４）、標準モード用ブラック補正テーブル作成処理（Ｓ１２５））により、標準モード用マゼンタディザマトリクス領域１２８ａ２（標準モード用イエローディザマトリクス領域１２８ａ３、標準モード用ブラックディザマトリクス領域１２８ａ４）に記憶された標準モード用マゼンタディザマトリクス（標準モード用イエローディザマトリクス、標準モード用ブラックディザマトリクス）を用いて形成される画像の濃度が、標準モード用マゼンタ目標データメモリ１２９ｇ２（標準モード用イエロー目標データメモリ１２９ｇ３、標準モード用ブラック目標データメモリ１２９ｇ４）に記憶される各測定濃度の目標値となるように、標準モード用マゼンタディザマトリクス（標準モード用イエローディザマトリクス、標準モード用ブラックディザマトリクス）の各設定濃度を適切に補正するための標準モード用マゼンタ補正テーブル（標準モード用イエロー補正テーブル、標準モード用ブラック補正テーブル）を作成することができる。
【０３９６】
図１８に示す高品質モード用シアン補正テーブル作成処理（Ｓ１２６）（高品質モード用マゼンタ補正テーブル作成処理（Ｓ１２７）、高品質モード用イエロー補正テーブル作成処理（Ｓ１２８）、高品質モード用ブラック補正テーブル作成処理（Ｓ１２９））は、高品質モード用シアンディザマトリクス領域１２８ａ５（高品質モード用マゼンタディザマトリクス領域１２８ａ６、高品質モード用イエローディザマトリクス領域１２８ａ７、高品質モード用ブラックディザマトリクス領域１２８ａ８）に記憶された高品質モード用シアンディザマトリクス（高品質モード用マゼンタディザマトリクス、高品質モード用イエローディザマトリクス、高品質モード用ブラックディザマトリクス）を用いて形成される画像の濃度が、高品質モード用シアン目標データメモリ１２９ｇ５（高品質モード用マゼンタ目標データメモリ１２９ｇ６、高品質モード用イエロー目標データメモリ１２９ｇ７、高品質モード用ブラック目標データメモリ１２９ｇ８）に記憶される各測定濃度の目標値となるように、高品質モード用シアンディザマトリクス（高品質モード用マゼンタディザマトリクス、高品質モード用イエローディザマトリクス、高品質モード用ブラックディザマトリクス）の各設定濃度を適切に補正するための高品質モード用シアン補正テーブル（高品質モード用マゼンタ補正テーブル、高品質モード用イエロー補正テーブル、高品質モード用ブラック補正テーブル）を作成する処理である。
【０３９７】
図１８に示す高品質モード用シアン補正テーブル作成処理（Ｓ１２６）（高品質モード用マゼンタ補正テーブル作成処理（Ｓ１２７）、高品質モード用イエロー補正テーブル作成処理（Ｓ１２８）、高品質モード用ブラック補正テーブル作成処理（Ｓ１２９））では、図１９に示す標準モード用シアン補正テーブル作成処理のＳ１３０の処理が、「基準濃度パッチシアン測定濃度データメモリ１２９ｃ１（基準濃度パッチマゼンタ測定濃度データメモリ１２９ｃ２、基準濃度パッチイエロー測定濃度データメモリ１２９ｃ３、基準濃度パッチブラック測定濃度データメモリ１２９ｃ４）から基準濃度パッチＣ１〜Ｃ４（基準濃度パッチＭ１〜Ｍ４、基準濃度パッチＹ１〜Ｙ４、基準濃度パッチＫ１〜Ｋ４）の各測定濃度を取得する」となる。
【０３９８】
次に、図１８に示す高品質モード用シアン補正テーブル作成処理（Ｓ１２６）（高品質モード用マゼンタ補正テーブル作成処理（Ｓ１２７）、高品質モード用イエロー補正テーブル作成処理（Ｓ１２８）、高品質モード用ブラック補正テーブル作成処理（Ｓ１２９））では、図１９に示す標準モード用シアン補正テーブル作成処理のＳ１３１の処理が、「高品質モード用対応濃度シアンデータ領域１２８ｂ５（高品質モード用対応濃度マゼンタデータ領域１２８ｂ６、高品質モード用対応濃度イエローデータ領域１２８ｂ７、高品質モード用対応濃度ブラックデータ領域１２８ｂ８）から高品質モード用対応濃度シアンデータ（高品質モード用対応濃度マゼンタデータ、高品質モード用対応濃度イエローデータ、高品質モード用対応濃度ブラックデータ）を取得する」となる。
【０３９９】
次に、図１８に示す高品質モード用シアン補正テーブル作成処理（Ｓ１２６）（高品質モード用マゼンタ補正テーブル作成処理（Ｓ１２７）、高品質モード用イエロー補正テーブル作成処理（Ｓ１２８）、高品質モード用ブラック補正テーブル作成処理（Ｓ１２９））では、図１９に示す標準モード用シアン補正テーブル作成処理のＳ１３２の処理が、「Ｓ１３０で取得した基準濃度パッチシアン測定濃度データ（基準濃度パッチマゼンタ測定濃度データ、基準濃度パッチイエロー測定濃度データ、基準濃度パッチブラック測定濃度データ）とＳ１３１で取得した高品質モード用対応濃度シアンデータ（高品質モード用対応濃度マゼンタデータ、高品質モード用対応濃度イエローデータ、高品質モード用対応濃度ブラックデータ）とを対応付けて、高品質モード用対応測定シアンデータメモリ１２９ｅ５（高品質モード用対応測定マゼンタデータメモリ１２９ｅ６、高品質モード用対応測定イエローデータメモリ１２９ｅ７、高品質モード用対応測定ブラックデータメモリ１２９ｅ８）に記憶する」となる。
【０４００】
次に、図１８に示す高品質モード用シアン補正テーブル作成処理（Ｓ１２６）（高品質モード用マゼンタ補正テーブル作成処理（Ｓ１２７）、高品質モード用イエロー補正テーブル作成処理（Ｓ１２８）、高品質モード用ブラック補正テーブル作成処理（Ｓ１２９））では、図１９に示す標準モード用シアン補正テーブル作成処理のＳ１３３の処理が、「高品質モード用対応測定シアンデータメモリ１２９ｅ５（高品質モード用対応測定マゼンタデータメモリ１２９ｅ６、高品質モード用対応測定イエローデータメモリ１２９ｅ７、高品質モード用対応測定ブラックデータメモリ１２９ｅ８）に記憶された高品質モード用対応測定シアンデータ（高品質モード用対応測定マゼンタデータ、高品質モード用対応測定イエローデータ、高品質モード用対応測定ブラックデータ）を直線補間方法により補間し、高品質モード用シアン補間データメモリ１２９ｆ５（高品質モード用マゼンタ補間データメモリ１２９ｆ６、高品質モード用イエロー補間データメモリ１２９ｆ７、高品質モード用ブラック補間データメモリ１２９ｆ８）に記憶する」となる。
【０４０１】
最後に、図１８に示す高品質モード用シアン補正テーブル作成処理（Ｓ１２６）（高品質モード用マゼンタ補正テーブル作成処理（Ｓ１２７）、高品質モード用イエロー補正テーブル作成処理（Ｓ１２８）、高品質モード用ブラック補正テーブル作成処理（Ｓ１２９））では、図１９に示す標準モード用シアン補正テーブル作成処理のＳ１３４の処理が、「高品質モード用シアン補間データメモリ１２９ｆ５（高品質モード用マゼンタ補間データメモリ１２９ｆ６、高品質モード用イエロー補間データメモリ１２９ｆ７、高品質モード用ブラック補間データメモリ１２９ｆ８）から高品質モード用シアン補間データ（高品質モード用マゼンタ補間データ、高品質モード用イエロー補間データ、高品質モード用ブラック補間データ）を、高品質モード用シアン目標データメモリ１２９ｇ５（高品質モード用マゼンタ目標データメモリ１２９ｇ６、高品質モード用イエロー目標データメモリ１２９ｇ７、高品質モード用ブラック目標データメモリ１２９ｇ８）から高品質モード用シアン目標データ（高品質モード用マゼンタ目標データ、高品質モード用イエロー目標データ、高品質モード用ブラック目標データ）をそれぞれ取得し、高品質モード用シアン補正テーブル（高品質モード用マゼンタ補正テーブル、高品質モード用イエロー補正テーブル、高品質モード用ブラック補正テーブル）を作成し、高品質モード用シアン補正テーブル領域１２８ｃ５（高品質モード用マゼンタ補正テーブル領域１２８ｃ６、高品質モード用イエロー補正テーブル領域１２８ｃ７、高品質モード用ブラック補正テーブル領域１２８ｃ８）に記憶する」となる。
【０４０２】
図１８に示す高品質モード用シアン補正テーブル作成処理（Ｓ１２６）（高品質モード用マゼンタ補正テーブル作成処理（Ｓ１２７）、高品質モード用イエロー補正テーブル作成処理（Ｓ１２８）、高品質モード用ブラック補正テーブル作成処理（Ｓ１２９））により、高品質モード用シアンディザマトリクス領域１２８ａ５（高品質モード用マゼンタディザマトリクス領域１２８ａ６、高品質モード用イエローディザマトリクス領域１２８ａ７、高品質モード用ブラックディザマトリクス領域１２８ａ８）に記憶された高品質モード用シアンディザマトリクス（高品質モード用マゼンタディザマトリクス、高品質モード用イエローディザマトリクス、高品質モード用ブラックディザマトリクス）を用いて形成される画像の濃度が、高品質モード用シアン目標データメモリ１２９ｇ５（高品質モード用マゼンタ目標データメモリ１２９ｇ６、高品質モード用イエロー目標データメモリ１２９ｇ７、高品質モード用ブラック目標データメモリ１２９ｇ８）に記憶される各測定濃度の目標値となるように、高品質モード用シアンディザマトリクス（高品質モード用マゼンタディザマトリクス、高品質モード用イエローディザマトリクス、高品質モード用ブラックディザマトリクス）の各設定濃度を適切に補正するための高品質モード用シアン補正テーブル（高品質モード用マゼンタ補正テーブル、高品質モード用イエロー補正テーブル、高品質モード用ブラック補正テーブル）を作成することができる。
【０４０３】
次に、図２０を参照して、ＰＣ１２５のＰＣ用ＣＰＵ１２６で実行される補正処理について説明する。図２０は、ＰＣ１２５のＰＣ用ＣＰＵ１２６で実行される補正処理を示したフローチャートである。補正処理は、カラーレーザープリンタ１から出力される画像データに基づいて設定される各ディザマトリクスの各設定濃度を補正する処理であり、ＰＣ１２５からカラーレーザープリンタ１へ画像データを出力する命令が入力装置１３１を介して操作者から入力される度に、ＰＣ１２５のＰＣ用ＣＰＵ１２６により実行される処理である。
【０４０４】
補正処理では、まずカラーレーザープリンタ１へＰＣ１２５から出力する画像データに基づいて設定された各ディザマトリクス（標準モード用シアンディザマトリクス、標準モード用マゼンタディザマトリクス、標準モード用イエローディザマトリクス、標準モード用ブラックディザマトリクス、高品質モード用シアンディザマトリクス、高品質モード用マゼンタディザマトリクス、高品質モード用イエローディザマトリクス、高品質モード用ブラックディザマトリクス）の設定濃度に対応する補正テーブルを補正テーブル領域１２８ｃから取得する（Ｓ１４０）。
【０４０５】
このＳ１４０の処理では、カラーレーザープリンタ１へＰＣ１２５から出力する画像データに基づいて、標準モード用シアンディザマトリクスの設定濃度が設定された場合は、標準モード用シアン補正テーブル領域１２８ｃ１から標準モード用シアン補正テーブルを取得する。また、カラーレーザープリンタ１へＰＣ１２５から出力する画像データに基づいて、標準モード用マゼンタディザマトリクスの設定濃度が設定された場合は、標準モード用マゼンタ補正テーブル領域１２８ｃ２から標準モード用マゼンタ補正テーブルを取得する。また、カラーレーザープリンタ１へＰＣ１２５から出力する画像データに基づいて、標準モード用イエローディザマトリクスの設定濃度が設定された場合は、標準モード用イエロー補正テーブル領域１２８ｃ３から標準モード用イエロー補正テーブルを取得する。また、カラーレーザープリンタ１へＰＣ１２５から出力する画像データに基づいて、標準モード用ブラックディザマトリクスの設定濃度が設定された場合は、標準モード用ブラック補正テーブル領域１２８ｃ４から標準モード用シアン補正テーブルを取得する。
【０４０６】
また、Ｓ１４０の処理では、カラーレーザープリンタ１へＰＣ１２５から出力する画像データに基づいて、高品質モード用シアンディザマトリクスの設定濃度が設定された場合は、高品質モード用シアン補正テーブル領域１２８ｃ５から高品質モード用シアン補正テーブルを取得する。また、カラーレーザープリンタ１へＰＣ１２５から出力する画像データに基づいて、高品質モード用マゼンタディザマトリクスの設定濃度が設定された場合は、高品質モード用マゼンタ補正テーブル領域１２８ｃ６から高品質モード用マゼンタ補正テーブルを取得する。また、カラーレーザープリンタ１へＰＣ１２５から出力する画像データに基づいて、高品質モード用イエローディザマトリクスの設定濃度が設定された場合は、高品質モード用イエロー補正テーブル領域１２８ｃ７から高品質モード用イエロー補正テーブルを取得する。また、カラーレーザープリンタ１へＰＣ１２５から出力する画像データに基づいて、高品質モード用ブラックディザマトリクスの設定濃度が設定された場合は、高品質モード用ブラック補正テーブル領域１２８ｃ８から高品質モード用ブラック補正テーブルを取得する。
【０４０７】
Ｓ１４０の処理が終了すると、取得した各補正テーブルに基づいて、カラーレーザープリンタ１へ出力する画像データに基づいて設定された各ディザマトリクスの設定濃度を補正し、補正した各ディザマトリクスの設定濃度をカラーレーザープリンタ１へ出力し（Ｓ１４１）、この補正処理を終了する。
【０４０８】
Ｓ１４１の処理では、カラーレーザープリンタ１へＰＣ１２５から出力する画像データに基づいて、標準モード用シアンディザマトリクスの設定濃度が設定された場合は、Ｓ１４０で取得した標準モード用シアン補正テーブルに基づいて、標準モード用シアンディザマトリクスの設定濃度を補正し、補正した標準モード用シアンディザマトリクスの設定濃度をカラーレーザープリンタ１へ出力する。また、カラーレーザープリンタ１へＰＣ１２５から出力する画像データに基づいて、標準モード用マゼンタディザマトリクスの設定濃度が設定された場合は、Ｓ１４０で取得した標準モード用マゼンタ補正テーブルに基づいて、標準モード用マゼンタディザマトリクスの設定濃度を補正し、補正した標準モード用マゼンタディザマトリクスの設定濃度をカラーレーザープリンタ１へ出力する。また、カラーレーザープリンタ１へＰＣ１２５から出力する画像データに基づいて、標準モード用イエローディザマトリクスの設定濃度が設定された場合は、Ｓ１４０で取得した標準モード用イエロー補正テーブルに基づいて、標準モード用イエローディザマトリクスの設定濃度を補正し、補正した標準モード用イエローディザマトリクスの設定濃度をカラーレーザープリンタ１へ出力する。また、カラーレーザープリンタ１へＰＣ１２５から出力する画像データに基づいて、標準モード用ブラックディザマトリクスの設定濃度が設定された場合は、Ｓ１４０で取得した標準モード用ブラック補正テーブルに基づいて、標準モード用ブラックディザマトリクスの設定濃度を補正し、補正した標準モード用ブラックディザマトリクスの設定濃度をカラーレーザープリンタ１へ出力する。
【０４０９】
また、Ｓ１４１の処理では、カラーレーザープリンタ１へＰＣ１２５から出力する画像データに基づいて、高品質モード用シアンディザマトリクスの設定濃度が設定された場合は、Ｓ１４０で取得した高品質モード用シアン補正テーブルに基づいて、高品質モード用シアンディザマトリクスの設定濃度を補正し、補正した高品質モード用シアンディザマトリクスの設定濃度をカラーレーザープリンタ１へ出力する。また、カラーレーザープリンタ１へＰＣ１２５から出力する画像データに基づいて、高品質モード用マゼンタディザマトリクスの設定濃度が設定された場合は、Ｓ１４０で取得した高品質モード用マゼンタ補正テーブルに基づいて、高品質モード用マゼンタディザマトリクスの設定濃度を補正し、補正した高品質モード用マゼンタディザマトリクスの設定濃度をカラーレーザープリンタ１へ出力する。また、カラーレーザープリンタ１へＰＣ１２５から出力する画像データに基づいて、高品質モード用イエローディザマトリクスの設定濃度が設定された場合は、Ｓ１４０で取得した高品質モード用イエロー補正テーブルに基づいて、高品質モード用イエローディザマトリクスの設定濃度を補正し、補正した高品質モード用イエローディザマトリクスの設定濃度をカラーレーザープリンタ１へ出力する。また、カラーレーザープリンタ１へＰＣ１２５から出力する画像データに基づいて、高品質モード用ブラックディザマトリクスの設定濃度が設定された場合は、Ｓ１４０で取得した高品質モード用ブラック補正テーブルに基づいて、高品質モード用ブラックディザマトリクスの設定濃度を補正し、補正した高品質モード用ブラックディザマトリクスの設定濃度をカラーレーザープリンタ１へ出力する。
【０４１０】
ここで、Ｓ１４１の処理について、図２７（ｄ）を参照して詳しく説明する。記録用紙３に画像を形成する場合（カラーレーザープリンタ１で記録用紙３に画像を形成する場合）に、例えば、カラーレーザープリンタ１へＰＣ１２５から出力する画像データに基づいて、標準モード用シアンディザマトリクスの設定濃度が４９．１（％）に設定されると、ＰＣ用ＣＰＵ１２６は、標準モード用シアン補正テーブル領域１２８ｃ１に記憶された標準モード用シアン補正テーブルを使用して、標準モード用シアンディザマトリクスの設定濃度を７５．７５（％）に補正して、カラーレーザープリンタ１へ出力する。
【０４１１】
また、例えば、カラーレーザープリンタ１へＰＣ１２５から出力する画像データに基づいて、標準モード用シアンディザマトリクスの設定濃度が６７．０（％）に設定されると、ＰＣ用ＣＰＵ１２６は、標準モード用シアン補正テーブル領域１２８ｃ１に記憶された標準モード用シアン補正テーブルを使用して、標準モード用シアンディザマトリクスの設定濃度を８９．１７（％）に補正して、カラーレーザープリンタ１へ出力する。
【０４１２】
このように、例えば、標準モード用シアンディザマトリクス領域１２８ａ１に記憶された標準モード用シアンディザマトリクスを使用してシアン色の標準モード画像を記録用紙３に印刷するときに、カラーレーザープリンタ１へＰＣ１２５から出力する画像データに基づいて設定される標準モード用シアンディザマトリクスの設定濃度が低い場合、あるいは、カラーレーザープリンタ１へＰＣ１２５から出力する画像データに基づいて設定される標準モード用シアンディザマトリクスの設定濃度が高い場合でも、ＰＣ用ＣＰＵ１２６が標準モード用シアン補正テーブル領域１２８ｃ１に記憶された標準モード用シアン補正テーブルを使用して、標準モード用シアンディザマトリクスの設定濃度を補正することによって、標準モード用シアンディザマトリクスを使用して印刷されるシアン色の画像の測定濃度を標準モード用シアン目標データメモリ１２９ｇ１に記憶された標準モード用シアン目標データの濃度（測定濃度の目標値）とすることができる。
【０４１３】
図２０に示す補正処理によれば、ＰＣ用ＣＰＵ１２６は、カラーレーザープリンタ１へＰＣ１２５から出力する画像データに基づいて設定される各ディザマトリクスの各設定濃度を各補正テーブルを用いて補正し、記録用紙３に形成される画像の各濃度を目標データメモリ１２９ｇのそれぞれに記憶される各測定濃度の目標値とすることができる。
【０４１４】
上述した通り、本実施形態によれば、ＰＣ用ＣＰＵ１２６は、プリンタドライバ領域１２８ａに記憶された各ディザマトリクス（標準モード用シアンディザマトリクス、標準モード用マゼンタディザマトリクス、標準モード用イエローディザマトリクス、標準モード用ブラックディザマトリクス、高品質モード用シアンディザマトリクス、高品質モード用マゼンタディザマトリクス、高品質モード用イエローディザマトリクス、高品質モード用ブラックディザマトリクス）を用いて各濃度パッチデータを作成し、カラーレーザープリンタ１へ送信する。プリンタ用ＣＰＵ２２は、ＰＣ１２５から送信された各濃度パッチデータに基づき、各濃度パッチ（標準モード用シアン濃度パッチ、標準モード用マゼンタ濃度パッチ、標準モード用イエロー濃度パッチ、標準モード用ブラック濃度パッチ、高品質モード用シアン濃度パッチ、高品質モード用マゼンタ濃度パッチ、高品質モード用イエロー濃度パッチ、高品質モード用ブラック濃度パッチ）を搬送ベルト６８に形成し、その濃度を濃度測定センサ８０でそれぞれ測定する。測定後、プリンタ用ＣＰＵ２２は、各濃度パッチの各測定濃度をＰＣ１２５へ送信する。また、プリンタ用ＣＰＵ２２は、ＰＣ１２５から送信された基準濃度パッチＣ１〜Ｋ４の濃度測定を実行するコマンドに基づき、基準濃度パッチデータメモリ２４ａに記憶された基準濃度パッチデータに基いて基準濃度パッチＣ１〜Ｋ４を搬送ベルト６８に形成し、その形成した基準濃度パッチＣ１〜Ｋ４を濃度測定センサ８０でそれぞれ測定する。測定後、プリンタ用ＣＰＵ２２は、基準濃度パッチＣ１〜Ｋ４の各測定濃度をＰＣ１２５へ送信する。ＰＣ用ＣＰＵ１２６は、基準濃度パッチＣ１〜Ｋ４の各測定濃度と各濃度パッチの各測定濃度とに基づいて、基準濃度パッチＣ１〜Ｋ４の各測定濃度と略同一となる各ディザマトリクスの各設定濃度を算出し、その各ディザマトリクスの各設定濃度（対応濃度データ）を対応濃度データ領域１２８ｂに記憶する。この対応濃度データにより、各基準濃度パッチＣ１〜Ｋ４の各測定濃度を、対応濃度データ領域１２８ｂに記憶された各設定濃度に各ディザマトリクスの各設定濃度を設定したときの各測定濃度とすることができる。
【０４１５】
この対応濃度データが作成されると、基準濃度パッチＣ１〜Ｋ４を濃度測定センサ８０で測定すれば、対応濃度データ領域１２８ｂに記憶された各設定濃度に各ディザマトリクスの各設定濃度を設定したときの各測定濃度を濃度測定センサ８０で測定することなく、その測定濃度を求めることができる。
【０４１６】
次に、ＰＣ１２５でキャリブレーションを行う際には、ＰＣ用ＣＰＵ１２６は、まず基準濃度パッチＣ１〜Ｋ４をカラーレーザープリンタ１の搬送ベルト６８に形成させ、その濃度を測定させて、カラーレーザープリンタ１に各測定濃度を送信させる。そして、ＰＣ用ＣＰＵ１２６は、送信された基準濃度パッチＣ１〜Ｋ４の各測定濃度と、対応濃度データ領域１２８ｂに記憶された対応濃度データ（基準濃度パッチＣ１〜Ｋ４の各測定濃度と略同一となる各ディザマトリクスの各設定濃度）とを用いて、対応測定データ（対応濃度データ領域１２８ｂに記憶された各ディザマトリクスの各設定濃度と基準濃度パッチＣ１〜Ｋ４の各測定濃度とを対応付けたデータ）を作成し、対応測定データメモリ１２９ｅに記憶する。そして、ＰＣ用ＣＰＵ１２６は、対応測定データメモリ１２９ｅに記憶された対応測定データ（各ディザマトリクスの各設定濃度と基準濃度パッチＣ１〜Ｋ４の各測定濃度とを対応付けたデータ）と、目標データメモリ１２９ｇに記憶された各ディザマトリクスの各設定濃度に対応する各測定濃度の目標値との関係に基づいて、各補正テーブル（標準モード用シアン補正テーブル、標準モード用マゼンタ補正テーブル、標準モード用イエロー補正テーブル、標準モード用ブラック補正テーブル、高品質モード用シアン補正テーブル、高品質モード用マゼンタ補正テーブル、高品質モード用イエロー補正テーブル、高品質モード用ブラック補正テーブル）を作成する。そして、ＰＣ用ＣＰＵ１２６は、この各補正テーブルを用いて、カラーレーザープリンタ１へ出力する画像データに基づいて設定される各ディザマトリクスの各設定濃度を補正し、記録用紙３に形成される画像の各濃度を目標データメモリ１２９ｇのそれぞれに記憶される各測定濃度の目標値とする。
【０４１７】
このように、対応濃度データ領域１２８ｂに記憶された各ディザマトリクスの各設定濃度の時の各測定濃度を、基準濃度パッチＣ１〜Ｋ４の各測定濃度とすることで、従来のように各ディザマトリクス（標準モード用シアンディザマトリクス、標準モード用マゼンタディザマトリクス、標準モード用イエローディザマトリクス、標準モード用ブラックディザマトリクス、高品質モード用シアンディザマトリクス、高品質モード用マゼンタディザマトリクス、高品質モード用イエローディザマトリクス、高品質モード用ブラックディザマトリクス）に対応して作成される濃度パッチをカラーレーザープリンタ１の搬送ベルト６８に形成し、その形成した濃度パッチを濃度測定センサ８０で測定することなく、画像の濃度補正を行うことができる。よって、従来、画像の濃度補正に必要であった各ディザマトリクスに対応して作成されていた濃度パッチを不要とすることができる。従って、各ディザマトリクスに対応して作成されていた濃度パッチを記憶する記憶装置の容量が不要となり、記憶装置の容量を低減させることができる。
【０４１８】
また、本実施形態によれば、対応濃度データ領域１２８ｂに記憶された対応濃度データ（基準濃度パッチＣ１〜Ｋ４の各測定濃度と略同一となる各ディザマトリクスの各設定濃度）とを用いて、対応測定データ（対応濃度データ領域１２８ｂに記憶された各ディザマトリクスの各設定濃度と基準濃度パッチＣ１〜Ｋ４の各測定濃度とを対応付けたデータ）を作成している。この対応測定データを作成するために用いられる対応濃度データは、基準濃度パッチＣ１〜Ｋ４の面積率（設定濃度に応じてオンとなるドット数を、基準濃度パッチを構成する全ドット数で除算した値）と各濃度パッチの面積率（設定濃度に応じてオンとなるドット数を、濃度パッチを構成する全ドット数で除算した値）とから求めることもできるが、この場合は次のような問題点がある。この問題点を、図２８を参照して説明する。
【０４１９】
図２８（ａ）は、カラーレーザープリンタ１の搬送ベルト６８に形成された基準濃度パッチＣ１を模式的に示した図であり、図２８（ｂ）は、カラーレーザープリンタ１の搬送ベルト６８に形成された基準濃度パッチＣ４を模式的に示した図である。なお、図２８においては、ハッチングされている領域がドットが形成されている領域を示している。図２８（ａ）に示すように、基準濃度パッチＣ１においては、領域Ｃ１ａは、ドットが形成されなければならない領域であるにも拘らず（図６（ｂ）のＰ１参照）、ドットが形成されていない。一方、図２８（ｂ）に示すように、基準濃度パッチＣ４においては、領域Ｃ４ｂは、ドットが形成されてはいけない領域であるにも拘らず（図６（ｂ）のＰ４参照）、ドットが形成されている。
【０４２０】
これは、搬送ベルト６８にドットを形成するためには（基準濃度パッチＣ１〜Ｋ４を形成するためには）、トナーの微小制御が必要であるが、このトナーの微小制御が正確に行われなかったことによる。このように、トナーの微小制御が正確に行われず、ドットが形成されなければならない領域であるにも拘らずドットが形成されなかった場合やドットが形成されてはいけない領域であるにも拘らずドットが形成された場合には、基準濃度パッチＣ１〜Ｋ４の面積率に対する測定濃度は、トナーの微小制御が正確に行われ、正確にドットが形成された場合の基準濃度パッチＣ１〜Ｋ４の面積率に対する測定濃度と異なる。よって、この測定濃度の違いにより、対応測定データを作成するために用いられる対応濃度データを、基準濃度パッチＣ１〜Ｋ４の面積率（設定濃度に応じてオンとなるドット数を、基準濃度パッチを構成する全ドット数で除算した値）と各濃度パッチの面積率（設定濃度に応じてオンとなるドット数を、濃度パッチを構成する全ドット数で除算した値）とから求めると、正確な対応濃度データが作成できず、正確な対応測定データが作成できないという問題点があった。
【０４２１】
しかし、本実施形態によれば、対応濃度データ領域１２８ｂに記憶された対応濃度データ（基準濃度パッチＣ１〜Ｋ４の各測定濃度と略同一となる各ディザマトリクスの各設定濃度）とを用いて、対応測定データ（対応濃度データ領域１２８ｂに記憶された各ディザマトリクスの各設定濃度と基準濃度パッチＣ１〜Ｋ４の各測定濃度とを対応付けたデータ）を作成しているので、上記の問題点を解決することができる。
【０４２２】
また、本実施形態によれば、対応濃度データ領域１２８ｂに対応濃度データ（基準濃度パッチＣ１〜Ｋ４の各測定濃度と略同一となる各ディザマトリクスの各設定濃度）が記憶された後にキャリブレーションを行う際には、ＰＣ用ＣＰＵ１２６は、基準濃度パッチＣ１〜Ｋ４をカラーレーザープリンタ１の搬送ベルト６８に形成させ、その濃度を濃度測定センサ８０に測定させて、各測定濃度をカラーレーザープリンタ１から受信すれば良い。よって、従来のように各ディザデータに対応して作成される濃度パッチをカラーレーザープリンタ１の搬送ベルト６８に形成させ、その形成させた濃度パッチの濃度を測定することなく、キャリブレーションを行うことができる。従って、キャリブレーションに費やす時間を従来と比較して短縮することができる。
【０４２３】
また、本実施形態によれば、カラーレーザープリンタ１は、ＰＣ１２５により送信された基準濃度パッチデータに基づいて、搬送ベルト６８に濃度パッチを形成する。よって、従来、搬送ベルト６８に濃度パッチを形成させるために必要であったディザデータに対応して作成される濃度パッチを記憶する記憶装置が不要となる。よって、カラーレーザープリンタ１は、ディザデータに対応して作成される濃度パッチを記憶する記憶装置の容量が不要となり、記憶装置の容量を低減させることができる。
【０４２４】
また、本実施形態によれば、ＰＣ１２５のプリンタドライバ領域１２８ａに記憶された各ディザマトリクスは複数の解像度毎（標準モード用および高品質モード用）に設けられているのに対し、カラーレーザープリンタ１の基準濃度パッチデータメモリ２４ａに記憶された基準濃度パッチデータは１種類の基準ディザマトリクスから作成されている。よって、ディザマトリクスが、形成する画像の解像度毎に複数設けられていても、１種類の基準ディザマトリクスから作成された基準濃度パッチＣ１〜Ｋ４のみを使用して、キャリブレーションを実行することができる。これにより、従来、複数の解像度毎のディザマトリクスに対応して作成されていた濃度パッチを不要とすることができる。従って、カラーレーザープリンタ１は、複数の解像度毎のディザマトリクスに対応して作成されていた濃度パッチを記憶する記憶装置の容量が不要となり、記憶装置の容量を低減させることができる。また、キャリブレーションの際には、カラーレーザープリンタ１は、１種類の基準ディザマトリクスから作成された基準濃度パッチＣ１〜Ｋ４を搬送ベルト６８に形成し、その形成した基準濃度パッチＣ１〜Ｋ４を濃度測定センサ８０により測定すれば良い。よって、カラーレーザープリンタ１は、従来のように複数の解像度毎（標準モード用および高品質モード用）のディザマトリクスに対応して作成されていた濃度パッチを搬送ベルト６８に形成し、その形成した複数の解像度毎の濃度パッチを濃度測定センサ８０により測定する必要がないので、キャリブレーションに費やす時間を短縮することができる。
【０４２５】
また、本実施形態によれば、ＰＣ１２５のプリンタドライバ領域１２８ａに記憶されたディザマトリクスは色毎（シアン色、マゼンタ色、イエロー色、ブラック色）に設けられているのに対し、カラーレーザープリンタ１の基準濃度パッチデータメモリ２４ａに記憶された基準濃度パッチデータは１種類の基準ディザマトリクスから作成されている。よって、ディザマトリクスが、形成する画像の色毎に設けられていたとしても、１種類の基準ディザマトリクスから作成された基準濃度パッチＣ１〜Ｋ４のみを使用して、キャリブレーションを実行することができる。これにより、カラーレーザープリンタ１は、従来、色毎のディザマトリクスに対応して作成されていた濃度パッチを不要とすることができる。従って、カラーレーザープリンタ１は、色毎のディザデータに対応して作成されていた濃度パッチを記憶する記憶装置の容量が不要となり、記憶装置の容量を低減させることができる。また、キャリブレーションの際には、カラーレーザープリンタ１は、１種類の基準ディザマトリクスから作成された基準濃度パッチＣ１〜Ｋ４を搬送ベルト６８に形成し、その形成した基準濃度パッチＣ１〜Ｋ４を濃度測定センサ８０により測定すれば良い。よって、カラーレーザープリンタ１は、従来のように色毎（シアン色、マゼンタ色、イエロー色、ブラック色）のディザデータに対応して作成されていた濃度パッチを搬送ベルト６８に形成し、その形成した色毎の濃度パッチを濃度測定センサ８０により測定する必要がないので、キャリブレーションに費やす時間を短縮することができる。
【０４２６】
以上、各実施の形態に基づき本発明を説明したが、本発明は上記実施形態に何ら限定されるものではなく、本発明の趣旨を逸脱しない範囲内で種々の変形改良が可能であることは容易に推察できるものである。
【０４２７】
本実施形態では、図１７に示すプリンタ用ＣＰＵ２２で実行される基準濃度パッチ測定処理を実行させて、基準濃度パッチＣ１〜Ｋ４の各測定濃度を改めて測定して各補正テーブルを作成したが、これに限らず、対応濃度データ領域１２８ｂに記憶する対応濃度データを作成する際に取得した基準濃度パッチＣ１〜Ｋ４の各測定濃度を使用して各補正テーブルを作成しても良い。
【０４２８】
本実施形態では、タンデム方式のカラーレーザープリンタ１に本発明を適用したが、これに限らず、転写ドラム方式のカラーレーザープリンタや転写ベルト方式のカラーレーザープリンタ、あるいは直接転写方式のカラーレーザープリンタに本発明を適用しても良い。
【０４２９】
また、本実施形態では、濃度パッチＣ１〜Ｋ４を搬送ベルト６８に形成して、その形成した基準濃度パッチＣ１〜Ｋ４を濃度測定センサ８０で測定したが、これに限らず、基準濃度パッチＣ１〜Ｋ４を記録用紙３に形成し、その記録用紙３に形成した基準濃度パッチＣ１〜Ｋ４をカラーレーザープリンタ１に設けられた画像読取装置であるスキャナで読み込み、基準濃度パッチＣ１〜Ｋ４の濃度をそれぞれ測定してキャリブレーションを実行しても良い。この場合には、スキャナを、基準濃度パッチＣ１〜Ｋ４の濃度を測定する濃度測定センサ８０として用いることができるので、濃度測定センサ８０を不要とすることができる。
【図面の簡単な説明】
【０４３０】
【図１】カラーレーザープリンタの縦断面を示した縦断面図である。
【図２】カラーレーザープリンタおよびＰＣの電気的構成を示すブロック図である。
【図３】プリンタ用ＲＡＭの内容を示した図である。
【図４】ＰＣ用ＨＤＤの内容を示した図である。
【図５】ＰＣ用ＲＡＭの内容を示した図である。
【図６】図６（ａ）は、基準濃度パッチデータメモリの内容のうち、基準濃度パッチ名、基準濃度パッチの設定濃度および形成色を示した図であり、図６（ｂ）は、基準濃度パッチデータメモリの内容のうち、基準濃度パッチの形成パターンを示した図である。
【図７】搬送ベルトに形成された基準濃度パッチを模式的に示した図である。
【図８】標準モード用シアンディザマトリクス領域に記憶された標準モード用シアンディザマトリクスを模式的に示した図である。
【図９】高品質モード用シアンディザマトリクス領域に記憶された高品質モード用シアンディザマトリクスを模式的に示した図である。
【図１０】各設定濃度毎の標準モード用シアン濃度パッチの形成パターンＣＰ１からＣＰ４を示した図である。
【図１１】ＰＣ用ＣＰＵで実行される濃度補正処理を示したフローチャートである。
【図１２】ＰＣ用ＣＰＵで実行される対応濃度作成処理のフローチャートを示した図である。
【図１３】ＰＣ用ＣＰＵで実行される標準モード用シアン対応濃度作成処理のフローチャートを示した図である。
【図１４】ＰＣ用ＣＰＵで実行される標準モード用シアン対応濃度検索処理のフローチャートを示した図である
【図１５】プリンタ用ＣＰＵで実行されるモード変換処理を示したフローチャートである。
【図１６】プリンタ用ＣＰＵで実行される標準モード用シアン濃度パッチ測定処理のフローチャートを示した図である。
【図１７】プリンタ用ＣＰＵで実行される基準濃度パッチ測定処理のフローチャートを示した図である。
【図１８】ＰＣ用ＣＰＵで実行される補正テーブル作成処理のフローチャートを示した図である。
【図１９】ＰＣ用ＣＰＵで実行される標準モード用シアン補正テーブル作成処理のフローチャートを示した図である。
【図２０】ＰＣ用ＣＰＵで実行される補正処理を示したフローチャートである。
【図２１】標準モード用シアン測定濃度データメモリの内容を示した図である。
【図２２】基準濃度パッチシアン測定濃度データメモリの内容を示した図である。
【図２３】標準モード用シアン補間濃度データメモリの内容を示した図である。
【図２４】標準モード用対応濃度シアンデータ領域の内容を示した図である。
【図２５】基準濃度パッチシアン測定濃度データメモリの内容を示した図である。
【図２６】標準モード用対応測定シアンデータメモリの内容を示した図である。
【図２７】図２７（ａ）は、標準モード用シアン補間データメモリの内容を示した図であり、図２７（ｂ）は、標準モード用シアン目標データメモリの内容を示した図であり、図２７（ｃ）は、標準モード用シアン補間データと標準モード用シアン目標データとをプロットしたグラフであり、図２７（ｄ）は、標準モード用シアン補正テーブル領域の内容を示した図である。
【図２８】図２８（ａ）は、カラーレーザープリンタの搬送ベルトに形成された基準濃度パッチＣ１を模式的に示した図であり、図２８（ｂ）は、カラーレーザープリンタの搬送ベルトに形成された基準濃度パッチＣ４を模式的に示した図である。
【符号の説明】
【０４３１】
１        カラーレーザープリンタ（画像印刷装置、画像形成システムの一部）
４        画像形成装置（画像形成手段）
２４ａ    基準濃度パッチデータメモリ（基準濃度パッチデータ記憶手段）
８０      濃度測定センサ（濃度測定手段の一部、濃度パッチ測定手段の一部、基準濃度パッチ測定手段の一部）
１２５    ＰＣ（画像処理装置、画像形成システムの一部）
１２８ａ  プリンタドライバ領域（ディザデータ記憶手段）
１２８ｂ  対応測定データ領域（ディザデータ設定濃度記憶手段の一部）
１２８ｃ  補正テーブル領域（補正手段）
１２９ｅ  対応測定データメモリ（補正制御手段の一部）
１２９ｇ  目標データメモリ（目標濃度記憶手段）
１３０    ＰＣ用ネットワークＩ/Ｆ（送信手段）
Ｓ３１，Ｓ３３  （濃度パッチデータ送信手段、濃度パッチデータ送信ステップ）
Ｓ３４    （濃度パッチ測定濃度受信手段、濃度パッチ測定濃度受信ステップ）
Ｓ３７    （基準濃度パッチ測定濃度受信手段、基準濃度パッチ測定濃度受信ステップ）
Ｓ４７    （ディザデータ設定濃度記憶手段の一部、ディザデータ設定濃度記憶ステップ）
Ｓ９１    （濃度パッチデータ受信手段）
Ｓ９３，Ｓ９４  （濃度パッチ測定手段の一部）
Ｓ９６，Ｓ１０１  （測定濃度送信手段）
Ｓ９８，Ｓ９９  （基準濃度パッチ測定手段の一部）
Ｓ１２１  （更新手段）
Ｓ１３２  （補正制御手段の一部、補正制御ステップ）
Ｓ１４１  （補正制御手段の一部、画像データ作成ステップ、送信ステップ、濃度補正ステップ、補正制御ステップ）
【図１】
2008246997.tif 000003
【図２】
2008246997.tif 000004
【図３】
2008246997.tif 000005
【図４】
2008246997.tif 000006
【図５】
2008246997.tif 000007
【図６】
2008246997.tif 000008
【図７】
2008246997.tif 000009
【図８】
2008246997.tif 000010
【図９】
2008246997.tif 000011
【図１０】
2008246997.tif 000012
【図１１】
2008246997.tif 000013
【図１２】
2008246997.tif 000014
【図１３】
2008246997.tif 000015
【図１４】
2008246997.tif 000016
【図１５】
2008246997.tif 000017
【図１６】
2008246997.tif 000018
【図１７】
2008246997.tif 000019
【図１８】
2008246997.tif 000020
【図１９】
2008246997.tif 000021
【図２０】
2008246997.tif 000022
【図２１】
2008246997.tif 000023
【図２２】
2008246997.tif 000024
【図２３】
2008246997.tif 000025
【図２４】
2008246997.tif 000026
【図２５】
2008246997.tif 000027
【図２６】
2008246997.tif 000028
【図２７】
2008246997.tif 000029
【図２８】
2008246997.tif 000030